(57)【特許請求の範囲】
【請求項１】
電子サービスガイド（ＥＳＧ）ブートストラップエントリポイントの発見情報を提供する方法であって、
端末のローミングカバレッジ領域内のローミングパートナーに対応するＥＳＧブートストラップエントリポイントの情報及び前記端末の情報を含む管理オブジェクト（ＭＯ）を生成するステップと、
前記生成されたＭＯを、双方向チャンネルを介して前記端末に伝送するステップと、を有することを特徴とする方法。
【請求項２】
前記端末の情報は、ＩＰＤＣ（Ｉｎｔｅｒｎｅｔ  Ｐｒｏｔｏｃｏｌ  Ｄａｔａ  ｃａｓｔ）オペレータ識別子と、ＩＰＤＣＫ端末識別子（ＭＳＩＤ）及び位置情報を含むことを特徴とする特徴とする請求項１に記載の方法。
【請求項３】
前記ＥＳＧブートストラップエントリポイントの情報は、
ＥＳＧブートストラップ情報、ネットワーク情報及びＥＳＧ情報を要求するためのＥＳＧブートストラップエントリポイントＵＲＬを含むことを特徴とする特徴とする請求項１に記載の方法。
【請求項４】
前記ＥＳＧブートストラップエントリポイントの情報は、
エントリポイントに対する属性情報を搬送するノードであるＥｎｔｒｙＰｏｉｎｔＡｔｔｒｉ、ＩＰ（Ｉｎｔｅｒｎｅｔ  Ｐｒｏｔｏｃｏｌ）プラットフォーム関連情報を搬送するノードであるＩＰＰｌａｔｆｏｒｍ、ＩＰプラットフォームムインジケータを搬送するノードであるＩＰＰｌａｔｆｏｒｍＩＤ、ＥＳＧプロバイダ関連情報を搬送するノードであるＥＳＧＰｒｏｖｉｄｅｒ、ＥＳＧプロバイダを識別するＵＲＩを搬送するノードであるＥＳＧＰｒｏｖｉｄｅｒＵＲＩ（Ｕｎｉｖｅｒｓａｌ  Ｒｅｓｏｕｒｃｅ  Ｉｄｅｎｔｉｆｉｅｒ）、ＥＳＧブートストラップ内で検索できるＥＳＧＵＲＩを示すノードであるＥＳＧＵＲＩ、ネットワークＩＤ、セルＩＤ、ＧＰＳ、国家コードなどのような領域関連パラメータを搬送するＡｒｅａＰａｒａｍｅｔｅｒｓ、ネットワークタイプ、ネットワークＩＤなどのようなネットワーク関連情報を搬送するノードであるＮｅｔｗｏｒｋＩｎｆｏ及び関連したチューニングパラメータを搬送するノードであるＴｕｎｉｎｇｐａｒａｍｅｔｅｒｓのうち、少なくとも一つをさらに含むことを特徴とする特徴とする請求項１に記載の方法。
【請求項５】
前記ＥＳＧブートストラップエントリポイントの情報は、
ホームカバレッジの外部地域でローカルＩＰＤＣ  ＫＭＳシステム及びＩＰＤＣオペレータのためのローミングパートナー関連情報を搬送するノードであるＲｏａｍｉｎｇＰａｒｔｎｅｒＯｕｔｓｉｄｅ、オペレータ情報を搬送するノードであるＰｅｒａｔｏｒ、ローカル端末のためのこのＩＰＤＣＫＭＳＩＤを有するローミングＩＰＤＣ  ＫＭＳシステムを搬送するノードであり、どのＩＰＤＣ  ＫＭＳシステムがホーム（ローカル）ＩＰＤＣ  ＫＭＳシステム及びオペレータとローミング協定を結んでいるかを示すＯｕｔｓｉｄｅＲｏａｍｉｎｇＩＰＤＣＫＭＳＩＤ、ローカル端末のためのＩＰＤＣＯＰｅｒａｔｏｒＩＤを有するローミングＩＰＤＣオペレータを搬送するノードであり、どのＩＰＤＣオペレータがホーム（ローカル）ＩＰＤＣオペレータとローミング協定を結んでいるかを示すＯｕｔｓｉｄｅＲｏａｍｉｎｇＩＰＤＣＯＰｅｒａｔｏｒＩＤのうち、少なくとも一つをさらに含むことを特徴とする特徴とする請求項４に記載の方法。
【請求項６】
電子サービスガイド（ＥＳＧ）ブートストラップエントリポイントを発見する方法であって、
端末のローミングカバレッジ領域内のローミングパートナーに対応するＥＳＧブートストラップエントリポイントの情報及び前記端末の情報を含む管理オブジェクト（ＭＯ）を双方向チャンネルを介して受信するステップと、
他のカバレッジ領域へのオペレータ移動に対応するブートストラップのためのＥＳＧブートストラップエントリポイントを選択するステップと、を有することを特徴とする方法。
【請求項７】
前記端末の情報は、ＩＰＤＣ（Ｉｎｔｅｒｎｅｔ  Ｐｒｏｔｏｃｏｌ  Ｄａｔａ  ｃａｓｔ）オペレータ識別子と、ＩＰＤＣＫ端末識別子（ＭＳＩＤ）及び位置情報を含むことを特徴とする特徴とする請求項６に記載の方法。
【請求項８】
前記ＥＳＧブートストラップエントリポイントの情報は、
ＥＳＧブートストラップ情報、ネットワーク情報及びＥＳＧ情報を要求するためのＥＳＧブートストラップエントリポイントＵＲＬを含むことを特徴とする特徴とする請求項６に記載の方法。
【請求項９】
前記ＥＳＧブートストラップエントリポイントの情報は、
エントリポイントに対する属性情報を搬送するノードであるＥｎｔｒｙＰｏｉｎｔＡｔｔｒｉ、ＩＰ（Ｉｎｔｅｒｎｅｔ  Ｐｒｏｔｏｃｏｌ）プラットフォーム関連情報を搬送するノードであるＩＰＰｌａｔｆｏｒｍ、ＩＰプラットフォームムインジケータを搬送するノードであるＩＰＰｌａｔｆｏｒｍＩＤ、ＥＳＧプロバイダ関連情報を搬送するノードであるＥＳＧＰｒｏｖｉｄｅｒ、ＥＳＧプロバイダを識別するＵＲＩを搬送するノードであるＥＳＧＰｒｏｖｉｄｅｒＵＲＩ（Ｕｎｉｖｅｒｓａｌ  Ｒｅｓｏｕｒｃｅ  Ｉｄｅｎｔｉｆｉｅｒ）、ＥＳＧブートストラップ内で検索できるＥＳＧＵＲＩを示すノードであるＥＳＧＵＲＩ、ネットワークＩＤ、セルＩＤ、ＧＰＳ、国家コードなどのような領域関連パラメータを搬送するＡｒｅａＰａｒａｍｅｔｅｒｓ、ネットワークタイプ、ネットワークＩＤなどのようなネットワーク関連情報を搬送するノードであるＮｅｔｗｏｒｋＩｎｆｏ及び関連したチューニングパラメータを搬送するノードであるＴｕｎｉｎｇｐａｒａｍｅｔｅｒｓのうち、少なくとも一つをさらに含むことを特徴とする特徴とする請求項６に記載の方法。
【請求項１０】
前記ＥＳＧブートストラップエントリポイントの情報は、
ホームカバレッジの外部地域でローカルＩＰＤＣ  ＫＭＳシステム及びＩＰＤＣオペレータのためのローミングパートナー関連情報を搬送するノードであるＲｏａｍｉｎｇＰａｒｔｎｅｒＯｕｔｓｉｄｅ、オペレータ情報を搬送するノードであるＰｅｒａｔｏｒ、ローカル端末のためのこのＩＰＤＣＫＭＳＩＤを有するローミングＩＰＤＣ  ＫＭＳシステムを搬送するノードであり、どのＩＰＤＣ  ＫＭＳシステムがホーム（ローカル）ＩＰＤＣ  ＫＭＳシステム及びオペレータとローミング協定を結んでいるかを示すＯｕｔｓｉｄｅＲｏａｍｉｎｇＩＰＤＣＫＭＳＩＤ、ローカル端末のためのＩＰＤＣＯＰｅｒａｔｏｒＩＤを有するローミングＩＰＤＣオペレータを搬送するノードであり、どのＩＰＤＣオペレータがホーム（ローカル）ＩＰＤＣオペレータとローミング協定を結んでいるかを示すＯｕｔｓｉｄｅＲｏａｍｉｎｇＩＰＤＣＯＰｅｒａｔｏｒＩＤのうち、少なくとも一つをさらに含むことを特徴とする特徴とする請求項９に記載の方法。
【請求項１１】
ＥＳＧブートストラップエントリポイントを発見するための端末装置であって、
端末のローミングカバレッジ領域内のローミングパートナーに対応するＥＳＧブートストラップエントリポイントの情報及び前記端末の情報を含む管理オブジェクト（ＭＯ）を、双方向チャンネルを介して受信する双方向アダプタと、
オペレータが他のカバレッジへ移動するときのブートストラップのためのＥＳＧブートストラップエントリポイントを選択する制御部と、を備えることを特徴とする端末装置。
【請求項１２】
前記端末の情報は、ＩＰＤＣ（Ｉｎｔｅｒｎｅｔ  Ｐｒｏｔｏｃｏｌ  Ｄａｔａ  ｃａｓｔ）オペレータ識別子と、ＩＰＤＣＫ端末識別子（ＭＳＩＤ）及び位置情報を含むことを特徴とする特徴とする請求項１１に記載の端末装置。
【請求項１３】
前記ＥＳＧブートストラップエントリポイントの情報は、
ＥＳＧブートストラップ情報、ネットワーク情報及びＥＳＧ情報を要求するためのＥＳＧブートストラップエントリポイントＵＲＬを含むことを特徴とする特徴とする請求項１１に記載の端末装置。
【請求項１４】
前記ＥＳＧブートストラップエントリポイントの情報は、
エントリポイントに対する属性情報を搬送するノードであるＥｎｔｒｙＰｏｉｎｔＡｔｔｒｉ、ＩＰ（Ｉｎｔｅｒｎｅｔ  Ｐｒｏｔｏｃｏｌ）プラットフォーム関連情報を搬送するノードであるＩＰＰｌａｔｆｏｒｍ、ＩＰプラットフォームムインジケータを搬送するノードであるＩＰＰｌａｔｆｏｒｍＩＤ、ＥＳＧプロバイダ関連情報を搬送するノードであるＥＳＧＰｒｏｖｉｄｅｒ、ＥＳＧプロバイダを識別するＵＲＩを搬送するノードであるＥＳＧＰｒｏｖｉｄｅｒＵＲＩ（Ｕｎｉｖｅｒｓａｌ  Ｒｅｓｏｕｒｃｅ  Ｉｄｅｎｔｉｆｉｅｒ）、ＥＳＧブートストラップ内で検索できるＥＳＧＵＲＩを示すノードであるＥＳＧＵＲＩ、ネットワークＩＤ、セルＩＤ、ＧＰＳ、国家コードなどのような領域関連パラメータを搬送するＡｒｅａＰａｒａｍｅｔｅｒｓ、ネットワークタイプ、ネットワークＩＤなどのようなネットワーク関連情報を搬送するノードであるＮｅｔｗｏｒｋＩｎｆｏ及び関連したチューニングパラメータを搬送するノードであるＴｕｎｉｎｇｐａｒａｍｅｔｅｒｓのうち、少なくとも一つをさらに含むことを特徴とする特徴とする請求項１１に記載の端末装置。
【請求項１５】
前記ＥＳＧブートストラップエントリポイントの情報は、
ホームカバレッジの外部地域でローカルＩＰＤＣ  ＫＭＳシステム及びＩＰＤＣオペレータのためのローミングパートナー関連情報を搬送するノードであるＲｏａｍｉｎｇＰａｒｔｎｅｒＯｕｔｓｉｄｅ、オペレータ情報を搬送するノードであるＰｅｒａｔｏｒ、ローカル端末のためのこのＩＰＤＣＫＭＳＩＤを有するローミングＩＰＤＣ  ＫＭＳシステムを搬送するノードであり、どのＩＰＤＣ  ＫＭＳシステムがホーム（ローカル）ＩＰＤＣ  ＫＭＳシステム及びオペレータとローミング協定を結んでいるかを示すＯｕｔｓｉｄｅＲｏａｍｉｎｇＩＰＤＣＫＭＳＩＤ、ローカル端末のためのＩＰＤＣＯＰｅｒａｔｏｒＩＤを有するローミングＩＰＤＣオペレータを搬送するノードであり、どのＩＰＤＣオペレータがホーム（ローカル）ＩＰＤＣオペレータとローミング協定を結んでいるかを示すＯｕｔｓｉｄｅＲｏａｍｉｎｇＩＰＤＣＯＰｅｒａｔｏｒＩＤのうち、少なくとも一つをさらに含むことを特徴とする特徴とする請求項１４に記載の端末装置。
【請求項１６】
ＥＳＧブートストラップエントリポイントの発見情報を提供する装置であって、
端末のローミングカバレッジ領域内のローミングパートナーに対応するＥＳＧブートストラップエントリポイントの情報及び前記端末の情報を含む管理オブジェクト（ＭＯ）を生成するＭＯ生成部と、
前記生成されたＭＯを、双方向チャンネルを介して前記端末に伝送する伝送部と、を備えることを特徴とする装置。
【請求項１７】
前記端末の情報は、ＩＰＤＣ（Ｉｎｔｅｒｎｅｔ  Ｐｒｏｔｏｃｏｌ  Ｄａｔａ  ｃａｓｔ）オペレータ識別子と、ＩＰＤＣＫ端末識別子（ＭＳＩＤ）及び位置情報を含むことを特徴とする特徴とする請求項１６に記載の装置。
【請求項１８】
前記ＥＳＧブートストラップエントリポイントの情報は、
ＥＳＧブートストラップ情報、ネットワーク情報及びＥＳＧ情報を要求するためのＥＳＧブートストラップエントリポイントＵＲＬを含むことを特徴とする特徴とする請求項１６に記載の装置。
【請求項１９】
前記ＥＳＧブートストラップエントリポイントの情報は、
エントリポイントに対する属性情報を搬送するノードであるＥｎｔｒｙＰｏｉｎｔＡｔｔｒｉ、ＩＰ（Ｉｎｔｅｒｎｅｔ  Ｐｒｏｔｏｃｏｌ）プラットフォーム関連情報を搬送するノードであるＩＰＰｌａｔｆｏｒｍ、ＩＰプラットフォームムインジケータを搬送するノードであるＩＰＰｌａｔｆｏｒｍＩＤ、ＥＳＧプロバイダ関連情報を搬送するノードであるＥＳＧＰｒｏｖｉｄｅｒ、ＥＳＧプロバイダを識別するＵＲＩを搬送するノードであるＥＳＧＰｒｏｖｉｄｅｒＵＲＩ（Ｕｎｉｖｅｒｓａｌ  Ｒｅｓｏｕｒｃｅ  Ｉｄｅｎｔｉｆｉｅｒ）、ＥＳＧブートストラップ内で検索できるＥＳＧＵＲＩを示すノードであるＥＳＧＵＲＩ、ネットワークＩＤ、セルＩＤ、ＧＰＳ、国家コードなどのような領域関連パラメータを搬送するＡｒｅａＰａｒａｍｅｔｅｒｓ、ネットワークタイプ、ネットワークＩＤなどのようなネットワーク関連情報を搬送するノードであるＮｅｔｗｏｒｋＩｎｆｏ及び関連したチューニングパラメータを搬送するノードであるＴｕｎｉｎｇｐａｒａｍｅｔｅｒｓのうち、少なくとも一つをさらに含むことを特徴とする特徴とする請求項１６に記載の装置。
【請求項２０】
前記ＥＳＧブートストラップエントリポイントの情報は、
ホームカバレッジの外部地域でローカルＩＰＤＣ  ＫＭＳシステム及びＩＰＤＣオペレータのためのローミングパートナー関連情報を搬送するノードであるＲｏａｍｉｎｇＰａｒｔｎｅｒＯｕｔｓｉｄｅ、オペレータ情報を搬送するノードであるＰｅｒａｔｏｒ、ローカル端末のためのこのＩＰＤＣＫＭＳＩＤを有するローミングＩＰＤＣ  ＫＭＳシステムを搬送するノードであり、どのＩＰＤＣ  ＫＭＳシステムがホーム（ローカル）ＩＰＤＣ  ＫＭＳシステム及びオペレータとローミング協定を結んでいるかを示すＯｕｔｓｉｄｅＲｏａｍｉｎｇＩＰＤＣＫＭＳＩＤ、ローカル端末のためのＩＰＤＣＯＰｅｒａｔｏｒＩＤを有するローミングＩＰＤＣオペレータを搬送するノードであり、どのＩＰＤＣオペレータがホーム（ローカル）ＩＰＤＣオペレータとローミング協定を結んでいるかを示すＯｕｔｓｉｄｅＲｏａｍｉｎｇＩＰＤＣＯＰｅｒａｔｏｒＩＤのうち、少なくとも一つをさらに含むことを特徴とする特徴とする請求項１９に記載の装置。
【発明の詳細な説明】
【技術分野】
【０００１】
本発明は放送及び移動通信サービスの融合（Ｃｏｎｖｅｒｇｅｎｃｅ  ｏｆ  Ｂｒｏａｄｃａｓｔｉｎｇ  ａｎｄ  Ｍｏｂｉｌｅ  Ｓｅｒｖｉｃｅ：以下、“ＣＢＭＳ”と称する）に関するもので、より詳細には、ＣＢＭＳシステムにおける電子サービスガイド（Ｅｌｅｃｔｒｏｎｉｃ  Ｓｅｒｖｉｃ  Ｇｕｉｄｅ：以下、“ＥＳＧ”と称する）の選択装置及び方法に関する。
【背景技術】
【０００２】
通信及び放送技術の発展によって、放送システム及び移動通信システムは、パケットデータの伝送を含むモバイル放送（ｍｏｂｉｌｅ  ｂｒｏａｄｃａｓｔ）を、放送チャンネルを介して提供することができる。このモバイル放送は、音声及び画像サービスに制限されている通常の放送サービスを超える機能を有する。このようなモバイル放送は、携帯電話、ノートブック、ＰＤＡ（Ｐｅｒｓｏｎａｌ  Ｄｉｇｉｔａｌ  Ａｓｓｉｓｔａｎｔ）のようなモバイル放送を受信できる移動端末によるサービスの発見（ｄｉｓｃｏｖｅｒｙ）、移動端末によるサービスの加入、サービスを受信するための多様な制御情報の提供、サービスの送信、及び移動端末によるサービスの受信を含んでなることができる。
【０００３】
個々の移動性ソリューション間の対話のための標準を研究する団体であるＯＭＡ（Ｏｐｅｎ  Ｍｏｂｉｌｅ  Ａｌｌｉａｎｃｅ）は、主にモバイルゲーム、インターネットサービス等に関連した多様なアプリケーションに対する標準を決定する。ＯＭＡのワーキンググループの中で、特にＯＭＡ  ＢＡＣ（Ｂｒｏｗｓｅｒ  ａｎｄ  Ｃｏｎｔｅｎｔ）  ＢＣＡＳＴ（Ｍｏｂｉｌｅ  Ｂｒｏａｄｃａｓｔ）のサブワーキンググループは、双方向ネットワーク（ｉｎｔｅｒａｃｔｉｖｅ  ｎｅｔｗｏｒｋ）との通信が可能な移動端末を用いて放送サービスと移動通信サービスを融合するための技術を研究している。また、モバイル放送端末標準機構の一つであるＤＶＢ−ＣＢＭＳ（Ｄｉｇｉｔａｌ  Ｖｉｄｅｏ  Ｂｒｏａｄｃａｓｔｉｎｇ−Ｃｏｎｖｅｒｇｅｎｃｅ  ｏｆ  Ｂｒｏａｄｃａｓｔｉｎｇ  ａｎｄ  Ｍｏｂｉｌｅ  Ｓｅｒｖｉｃｅ）は、放送サービスと移動通信サービスを融合するためのシステム構成及びインタフェースなどを定義する。
【０００４】
図１は、ＣＢＭＳシステムの構成を示すブロック構成図である。
【０００５】
図１は、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）ベースのインターネットプロトコルデータキャスト（Ｉｎｔｅｒｎｅｔ  Ｐｒｏｔｏｃｏｌ  Ｄａｔａ  Ｃａｓｔ：以下、“ＩＰＤＣ”と称する）のために要求される機能（ｃａｐａｂｉｌｉｔｉｅｓ）を達成するために相互に対話する論理的なエンティティを示す。図１に示すエンティティは、その主な機能によって区分され、物理的に区分されたサーバ又は同一のサーバ内に位置することがある。
【０００６】
図１を参照すると、コンテンツ生成部（ｃｏｎｔｅｎｔ  ｃｒｅａｔｉｏｎ  ｂｌｏｃｋ）１０１は、放送サービスのコンテンツソースを生成してサービスアプリケーション部１０３に供給する。このサービスアプリケーション部１０３は、コンテンツ生成部１０１から供給されるコンテンツソースを付加的にサービス構成に使用されるメタデータと統合（ａｇｇｒｅｇａｔｅ）して特定サービスに対するサービスデータを生成する。サービスデータの生成のために、サービスアプリケーション部１０３は、個々のサービスのために異なるアプリケーションを管理する複数のサブエンティティを含む。サービス管理部１０５は、サービスアプリケーション部１０３と端末１１１との間でサービス構成、リソース割り当て、電子サービスガイドプロビジョニング（ｐｒｏｖｉｓｉｏｎｉｎｇ）、セキュリティ、及び移動性管理（Ｍｏｂｉｌｉｔｙ  Ｍａｎａｇｅｍｅｎｔ：以下、“ＭＭ”と称する）の機能を遂行するサブエンティティを含む。
【０００７】
放送ネットワーク１０７は、放送サービスデータを伝送するネットワークであって、その一例としてＤＶＢ−Ｈシステムがある。一般的に、双方向ネットワーク１０９は、３ＧＰＰ（３ｒｄ  Ｇｅｎｅｒａｔｉｏｎ  Ｐａｒｔｎｅｒｓｈｉｐ  Ｐｒｏｊｅｃｔ）によるＵＭＴＳ（Ｕｎｉｖｅｒｓａｌ  Ｍｏｂｉｌｅ  Ｔｅｌｅｃｏｍｍｕｎｉｃａｔｉｏｎｓ  ｓｙｓｔｅｍ）、３ＧＰＰ２によるＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００、及びＷＬＡＮ（Ｗｉｒｅｌｅｓｓ  Ｌｏｃａｌ  Ａｒｅａ  Ｎｅｔｗｏｒｋ）又はＷｉＢｒｏ（Ｗｉｒｅｌｅｓｓ  Ｂｒｏａｄｂａｎｄ  ｉｎｔｅｒｎｅｔ）のようなセルラー移動通信ネットワークを意味する。また、双方向ネットワーク１０９は、端末１１１から情報又は要求を受信してそれらに対する応答を送信できる全てのタイプの移動通信ネットワークを含むことができる。放送ネットワーク１０７及び双方向ネットワーク１０９は、ＣＢＭＳシステムにおける伝送ベアラ（ｔｒａｎｓｍｉｓｓｉｏｎ  ｂｅａｒｅｒ）として動作する。
【０００８】
端末１１１は、ユーザー端末或いは双方向ネットワーク１０９にアクセスし且つ放送ネットワーク１０７から供給される放送サービスを受信することができる受信器を示す。ＣＢＭＳシステムにおいて、端末１１１は、放送ネットワーク１０７からサービスデータ及びシグナリング情報を受信し、双方向ネットワーク１０９でサービスデータ及びシグナリング情報を両方向に交信する。
【０００９】
以下、論理的エンティティを含む個々のエンティティ間のインタフェースについて説明する。図１において、ＣＢＭＳ−ｘ及びＸ−ｘは、異なる機能的エンティティ間の基準ポイント（ｒｅｆｅｒｅｎｃｅ  ｐｏｉｎｔ）を意味し、ＣＢＭＳ−ｘはＤＶＢ−Ｈスペックに対するＩＰデータキャストの範囲内の基準ポイントを、Ｘ−ｘはＤＶＢ−Ｈスペックに対するＩＰデータキャストの範囲外の基準ポイントを、各々示す。
【００１０】
Ｘ−１、Ｘ−２、Ｘ−３のインタフェースは、放送ネットワーク１０７と他のエンティティとの間の基準ポイントを意味し、一般的にＤＶＢ−Ｈに基づいた双方向規格では使用されない。Ｘ−１インタフェースはコンテンツ生成部１０１とサービスアプリケーション部１０３を相互接続させ、Ｘ−２インタフェースは双方向ネットワーク１０９と端末１１１を相互接続させ、Ｘ−３インタフェースはサービス管理部１０５と双方向ネットワーク１０９を相互接続させる。
【００１１】
ＣＢＭＳ−１インタフェースは、放送ネットワーク１０７から端末１１１に放送関連シグナリング、即ちプログラム詳細情報／サービス情報（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ：ＰＳＩ／ＳＩ））を転送し、ＣＢＭＳ−２インタフェースは、オーディオ、ビデオ、及びファイルを含むコンテンツをサービスアプリケーション部１０３から端末１１１に転送する。ＣＢＭＳ−３インタフェースは、電子サービスガイド（ＥＳＧ）を、放送ネットワーク１０７を介してポイントツーマルチポイント（ＰＴＭ）伝送の形態でサービス管理部１０５から端末１１１に伝送する。ＣＢＭＳ−４インタフェースは、サービス管理部１０５と端末１１１との間でサービスアプリケーション部１０３のサービスアプリケーションに対するアクセス制御及びＥＳＧメタデータのポイントツーポイント（ＰＴＰ）伝送に使用される。ＣＢＭＳ−５インタフェースは、サービスアプリケーション部１０３と端末１１１との間のＰＴＰ伝送サービスのためのインタフェースであって、双方向ネットワーク１０９を通じてショートメッセージサービス（Ｓｈｏｒｔ  Ｍｅｓｓａｇｅ  Ｓｅｒｖｉｃｅ：ＳＭＳ）、マルチメディアメッセージサービス（Ｍｕｌｔｉｍｅｄｉａ  Ｍｅｓｓａｇｅ  Ｓｅｒｖｉｃｅ：ＭＭＳ）などを伝送する。ＣＢＭＳ−６インタフェースはＤＶＢ−Ｈ伝送のためにサービスの個数、割り当てられた帯域幅などの構成パラメータをサービス管理部１０５と放送ネットワーク１０７との間で転送する。ＣＢＭＳ−７インタフェースは、サービスアプリケーション部１０３とサービス管理部１０５との間でサービスアプリケーションの宣言又はコンテンツ記述（ｄｅｓｃｒｉｐｔｉｏｎ）とメタデータを含むサービスアプリケーションの記述に使用される。
【００１２】
ＣＢＭＳシステムのようなモバイル放送システムで放送サービスを受信するために、端末は、サービス自体の記述情報、サービスに対する課金情報、及びサービスの受信方法に関する情報を含むサービスガイド（Ｓｅｒｖｉｃｅ  Ｇｕｉｄｅ：ＳＧ）を受信する。その後、端末は、このサービスガイドを用いて所望のサービスを受信することができる。
【００１３】
上述した従来技術によると、端末は、ＥＳＧブートストラップ情報を受信し、ＥＳＧを選択して所望するサービスを受信するために、放送ネットワークでＰＳＩ／ＳＩからＥＳＧブートストラップエントリポイントを選択する。従って、放送ネットワークを使用せずにＯＭＡ  ＤＭ（Ｄｅｖｉｃｅ  Ｍａｎａｇｅｍｅｎｔ）を用いる双方向ネットワークでＥＳＧを選択することが要求される。
【発明の概要】
【発明が解決しようとする課題】
【００１４】
本発明は、上記従来の問題点に鑑みてなされたものであって、本発明の目的は、双方向ネットワークでＥＳＧを選択するためのＥＳＧブートストラップエントリポイントの発見方法及び装置を提供することにある。
【００１５】
本発明の他の目的は、移動局のローミングカバレッジ領域内のローミングパートナー情報とローミングパートナー情報に対応するＥＳＧブートストラップエントリポイントを発見する方法及び装置を提供することにある。
【課題を解決するための手段】
【００１６】
上記目的を達成するためになされた本発明の一態様によれば、電子サービスガイド（ＥＳＧ）ブートストラップエントリポイントの発見情報を提供する方法を提供する。前記方法は、端末のローミングカバレッジ領域内のローミングパートナーに対応するＥＳＧブートストラップエントリポイントの情報及び前記端末の情報を含む管理オブジェクト（ＭＯ）を生成するステップと、前記生成されたＭＯを、双方向チャンネルを介して前記端末に伝送するステップと、を有することを特徴とする。
上記目的を達成するためになされた本発明の一態様によれば、電子サービスガイド（ＥＳＧ）ブートストラップエントリポイントを発見するための装置を提供する。前記装置は、端末のローミングカバレッジ領域内のローミングパートナーに対応するＥＳＧブートストラップエントリポイントの情報及び前記端末の情報を含む管理オブジェクト（ＭＯ）を、双方向チャンネルを介して受信する双方向アダプタと、オペレータが他のカバレッジへ移動するときのブートストラップのためのＥＳＧブートストラップエントリポイントを選択する制御部と、を備えることを特徴とする。
【発明の効果】
【００１７】
本発明は、所望するブートストラップの要件によってＥＳＧブートストラップエントリポイントを選択し、選択されたＥＳＧブートストラップエントリポイントからＥＳＧブートストラップ情報を要求し、要求されたＥＳＧブートストラップ情報を受信してＥＳＧを選択し、選択されたＥＳＧを通じてサービスにアクセスすることができる。
【００１８】
また、本発明は、デジタル放送システムにおいてＯＭＡ  ＤＭを用いて所望のブートストラップによる要件によってＥＳＧブートストラップエントリポイントを選択してＥＳＧを選択することができる。
【００１９】
更に、本発明は、デジタル放送システムにおいてＯＭＡ  ＤＭを用いてプロビジョニング（ｐｒｏｖｉｓｉｏｎｉｎｇ）情報に基づいてＥＳＧを選択できる。その上、本発明は、端末のローミングカバレッジ領域内のローミングパートナー情報と、ローミングパートナー情報に対応するＥＳＧブートストラップエントリポイントを発見することができる。
【００２０】
本発明の上記及び他の様相、特徴、及び利点は、以下のような添付図面と共に続く詳細な説明から、より明白になるだろう。
【図面の簡単な説明】
【００２１】
【図１】ＣＢＭＳシステムの構成を示すブロック構成図である。
【図２】本発明の実施形態によるＭＯ（Ｍａｎａｇｅｍｅｎｔ  Ｏｂｊｅｃｔ）の代表的な方式を示す図である。
【図３】本発明の第１の実施形態による第１のＯＭＡ  ＤＭメカニズムのＭＯを示す図である。
【図４】本発明の第１の実施形態による第２のＯＭＡ  ＤＭメカニズムのＭＯを示す図である。
【図５】本発明の第２の実施形態による第１のＯＭＡ  ＤＭメカニズムのＭＯを示す図である。
【図６】本発明の第２の実施形態による第２のＯＭＡ  ＤＭメカニズムのＭＯを示す図である。
【図７】本発明の第３の実施形態による第１のＯＭＡ  ＤＭメカニズムのＭＯを示す図である。
【図８】本発明の第３の実施形態による第２のＯＭＡ  ＤＭメカニズムのＭＯを示す図である。
【図９】本発明の第４の実施形態による第１のＯＭＡ  ＤＭメカニズムのＭＯを示す図である。
【図１０】本発明の第４の実施形態による第２のＯＭＡ  ＤＭメカニズムのＭＯを示す図である。
【図１１Ａ】本発明の第５の実施形態による第１のＯＭＡ  ＤＭメカニズムのＭＯを示す図である。
【図１１Ｂ】本発明の第５の実施形態による第１のＯＭＡ  ＤＭメカニズムのＭＯを示す図である。
【図１２】本発明の第５の実施形態による第２のＯＭＡ  ＤＭメカニズムのＭＯを示す図である。
【図１３】本発明の第６の実施形態で適用される各々のローカルＩＰＤＣＫＭＳＩＤ及びＩＰＤＣＯｐｅｒａｔｏｒＩＤのローミングパートナーを示す図である。
【図１４】本発明の第６の実施形態によるＯＭＡ  ＤＭメカニズムのＭＯを示す図である。
【図１５】本発明の第７の実施形態による第１のＯＭＡ  ＤＭメカニズムのＭＯを示す図である。
【図１６】本発明の第７の実施形態による第２のＯＭＡ  ＤＭメカニズムのＭＯを示す図である。
【図１７Ａ】本発明の第８の実施形態による第１のＯＭＡ  ＤＭメカニズムのＭＯを示す図である。
【図１７Ｂ】本発明の第８の実施形態による第１のＯＭＡ  ＤＭメカニズムのＭＯを示す図である。
【図１８】本発明の第８の実施形態による第２のＯＭＡ  ＤＭメカニズムのＭＯを示す図である。
【図１９】本発明の第８の実施形態による第３のＯＭＡ  ＤＭメカニズムのＭＯを示す図である。
【図２０】本発明の第８の実施形態による第４のＯＭＡ  ＤＭメカニズムのＭＯを示す図である。
【図２１】本発明の第８の実施形態による第５のＯＭＡ  ＤＭメカニズムのＭＯを示す図である。
【図２２】本発明の第８の実施形態による第６．１のＯＭＡ  ＤＭメカニズムのＭＯを示す図である。
【図２３】本発明の第８の実施形態による第６．２のＯＭＡ  ＤＭメカニズムのＭＯを示す図である。
【図２４】本発明の第８実施形態による第６．３のＯＭＡ  ＤＭメカニズムのＭＯを示す図である。
【図２５】本発明の第８の実施形態によるＤＭサーバの動作を示す図である。
【図２６Ａ】本発明の第８の実施形態による端末の動作を示す図である。
【図２６Ｂ】本発明の第８の実施形態による端末の動作を示す図である。
【図２６Ｃ】本発明の第８の実施形態による端末の動作を示す図である。
【図２６Ｄ】本発明の第８の実施形態による端末の動作を示す図である。
【図２７】本発明の第９の実施形態による第１のＯＭＡ  ＤＭメカニズムのＭＯを示す図である。
【図２８】本発明の第９の実施形態による第２のＯＭＡ  ＤＭメカニズムのＭＯを示す図である。
【図２９】本発明の第９の実施形態による第３のＯＭＡ  ＤＭメカニズムのＭＯを示す図である。
【図３０】本発明の第９の実施形態による第４のＯＭＡ  ＤＭメカニズムのＭＯを示す図である。
【図３１】本発明の第９の実施形態による第５のＯＭＡ  ＤＭメカニズムのＭＯを示す図である。
【図３２】本発明の第９の実施形態による第６のＯＭＡ  ＤＭメカニズムのＭＯを示す図である。
【図３３】本発明の第９の実施形態による第７のＯＭＡ  ＤＭメカニズムのＭＯを示す図である。
【図３４】本発明の第９の実施形態による第８のＯＭＡ  ＤＭメカニズムのＭＯを示す図である。
【図３５】本発明の第９の実施形態によるＤＭサーバの動作を示す図である。
【図３６】本発明の第９の実施形態による端末の動作を示す図である。
【図３７】本発明の第１０の実施形態によるＯＭＡ  ＤＭメカニズムのＭＯを示す図である。
【図３８】本発明の第１０の実施形態によるＤＭサーバの動作を示す図である。
【図３９】本発明の第１０の実施形態による端末の動作を示す図である。
【図４０】本発明の第１１の実施形態によるＯＭＡ  ＤＭメカニズムのＭＯを示す図である。
【図４１Ａ】本発明の第１１の実施形態による他のＯＭＡ  ＤＭメカニズムのＭＯを示す図である。
【図４１Ｂ】本発明の第１１の実施形態による他のＯＭＡ  ＤＭメカニズムのＭＯを示す図である。
【図４２】本発明の第１１の実施形態によるＤＭサーバの動作を示す図である。
【図４３】本発明の第１１の実施形態による端末の動作を示す図である。
【図４４】本発明の第１２の実施形態による第１のＯＭＡ  ＤＭメカニズムのＭＯを示す図である。
【図４５】本発明の第１２の実施形態による第２のＯＭＡ  ＤＭメカニズムのＭＯを示す図である。
【図４６】本発明の第１２の実施形態による第３のＯＭＡ  ＤＭメカニズムのＭＯを示す図である。
【図４７】本発明の第１２の実施形態による第４のＯＭＡ  ＤＭメカニズムのＭＯを示す図である。
【図４８】本発明の第１２の実施形態による第５のＯＭＡ  ＤＭメカニズムのＭＯを示す図である。
【図４９】本発明の第１３の実施形態による第１のＯＭＡ  ＤＭメカニズムのＭＯを示す図である。
【図５０】本発明の第１３の実施形態による第２のＯＭＡ  ＤＭメカニズムのＭＯを示す図である。
【図５１】本発明の第１３の実施形態による第３のＯＭＡ  ＤＭメカニズムのＭＯを示す図である。
【図５２】本発明の第１３の実施形態による第４のＯＭＡ  ＤＭメカニズムのＭＯを示す図である。
【図５３】本発明の一実施形態によるＤＭサーバを示す図である。
【図５４】本発明の一実施形態による端末を示す図である。
【図５５】本発明の一実施形態によるＥＳＧブートストラップエントリポイント発見情報を提供する装置を示す図である。
【発明を実施するための形態】
【００２２】
以下、本発明の望ましい実施形態を添付の図面を参照して詳細に説明する。
【００２３】
特許請求の範囲とこれと均等なものに基づいて定義される本発明の実施形態は、理解を助けるために多様で詳細な説明を含む。従って、本発明の範囲及び精神を逸脱することなく、以下に説明する本発明の様々な変形及び変更が可能であることは、当該技術分野における通常の知識を持つ者には明らかである。なお、公知の機能又は構成に関する具体的な説明は、明瞭性と簡潔性のために省略する。
【００２４】
次の説明及び請求項に使用する用語及び単語は、辞典的意味に限定されるものではなく、発明者によって本発明の理解を明確且つ一貫性があるようにするために使用する。従って、特許請求の範囲とそれと均等なものに基づいて定義されるものであり、本発明の実施形態の説明が単に実例を提供するためのものであって、本発明の目的を限定するものでないことは、本発明の技術分野で通常の知識を持つ者には明らかである。
【００２５】
英文明細書に記載の“ａ”、“ａｎ”、及び“ｔｈｅ”、即ち単数形は、文脈中に特に明示されない限り、複数形を含むことは、当業者にはわかることである。従って、例えば、“コンポーネント表面（ａ  ｃｏｍｐｏｎｅｎｔ  ｓｕｒｆａｃｅ）”との記載は一つ又は複数の表面を含む。
【００２６】
“実質的に（ｓｕｂｓｔａｎｔｉａｌｌｙ）”という用語は、提示された特徴、パラメータ、又は値が正確に設定される必要はないが、許容誤差、測定誤り、測定精度限界及び当業者に知られているか、或いは当業者によって実験なしに得られる要素を含む偏差又は変化が、これらの特性が提供しようとする効果を排除しない範囲内で発生することを意味する。
【００２７】
本発明の実施形態では、端末がＯＭＡ  ＤＭに基づいた新たなＥＳＧブートストラップエントリポイントを選択し、或いはプロビジョニングに基づいてＥＳＧを選択することができるメカニズムを提案する。ここで、“ＥＳＧブートストラップエントリポイント”は、端末がＥＳＧブートストラップ情報に対して検索できるようにＥＳＧブートストラップにアクセスできるポイントを意味する。
【００２８】
先ず、ＯＭＡ  ＤＭを用いてＥＳＧブートストラップエントリポイントを検索するのに使用されるＥＳＧブートストラップエントリポイント情報である管理オブジェクト（Ｍａｎａｇｅｍｅｎｔ  Ｏｂｊｅｃｔ：以下、“ＭＯ”と称する）が定義される。本発明の実施形態によると、ＭＯは、多様な構成を有し、端末がＥＳＧブートストラップエントリポイント情報を適切に選択できるように有用な情報を提供することができる。そのため、ＭＯは、その用途に従って適切に変更することができる。
【００２９】
図２は、本発明の実施形態による代表的なＭＯを示す。
【００３０】
図２を参照すると、参照符号２１０〜２７０は、ＥＳＧブートストラップエントリポイントの検索に使用されるノードを示す。これらノードの中で、Ｘフィールド２１０はプレースホルダ（ｐｌａｃｅｈｏｌｄｅｒ）として機能し、ＩＰＤＣフィールド２３０はＩＰＤＣ端末のためのノードであり、ＥＳＧフィールド２５０はＥＳＧ関連情報を搬送（ｃａｒｒｙｉｎｇ）するノードであり、ＥＳＧＢｏｏｔｓｔｒａｐＥｎｔｒｙＰｏｉｎｔＵＲＬフィールド２７０は、双方向ネットワークを通じてＥＳＧブートストラップ情報を要求するためのエントリポイントＵＲＬを示すノードである。
【００３１】
下記の表は、ＯＭＡ  ＤＭの説明を通じて提供された各ノードの説明のために提供される。従って、下記の表に関する詳細な説明はＯＭＡ  ＤＭの詳細な説明を参照してなされる。
【００３２】
＜表１＞は、上記したノード＜ｘ＞をより詳細に示す。
【表１】
0005394406.tif 000002
【００３３】
＜表２＞は、上記したノード＜ｘ＞／ＩＰＤＣ／をより詳細に示す。
【表２】
0005394406.tif 000003
【００３４】
＜表３＞は、上記したノード＜ｘ＞／ＩＰＤＣ／ＥＳＧ／をより詳細に示す。
【表３】
0005394406.tif 000004
【００３５】
＜表４＞は、上記したノード＜ｘ＞／ＩＰＤＣ／ＥＳＧ／ＥＳＧＢｏｏｔｓｔｒａｐＥｎｔｒｙＰｏｉｎｔＵＲＬ／をより詳細に示す。
【表４】
0005394406.tif 000005
【００３６】
上記した代表的なＭＯに基づき、端末は、次のＯＭＡ  ＤＭメカニズムを用いてＥＳＧブートストラップエントリポイントＵＲＬを検索できる。
【００３７】
＜表５＞は、本発明の実施形態のアイデアを示す。
【表５】
0005394406.tif 000006
【００３８】
≪本発明の第１の実施形態によるＯＭＡ  ＤＭメカニズム≫
端末は、特定のＩＰＤＣ  ＫＭＳ（Ｉｎｔｅｒｎｅｔ  Ｐｌｏｔｏｃｏｌ  Ｄａｔａｃａｓｔ  Ｋｅｙ  Ｍａｎａｇｅｍｅｎｔ  Ｓｙｓｔｅｍ）及びＩＰＤＣオペレータに登録でき、ＩＰＤＣ  ＫＭＳ及びＩＰＤＣオペレータによって所有されたサービスにアクセスする権利を有する。ＥＳＧに記述されているサービスは、特定の一つのＩＰＤＣ  ＫＭＳ及びＩＰＤＣオペレータに属することができ、ＩＰＤＣ  ＫＭＳ及びＩＰＤＣオペレータ情報は獲得フラグメント内に与えられる。
【００３９】
サービスが上記したように獲得フラグメント内に与えられる場合、端末は、ＥＳＧの選択及び検索以前には各サービスがどのＩＰＤＣオペレータに属するかを知ることができない。
【００４０】
一方、現在のＩＰＤＣオペレータはＩＰＤＣＫＭＳＩＤ及びＩＰＤＣＯｐｅｒａｔｏｒＩＤによって識別され得る。本発明の実施形態では、ＩＰＤＣＫＭＳＩＤ及びＩＰＤＣＯｐｅｒａｔｏｒＩＤは、ＩＰＤＣオペレータ識別子として使用される。ＩＰＤＣオペレータ識別子が以後に変更されると、関連識別子も新たな識別子に代替されなければならない。
【００４１】
上記したように、ＩＰＤＣＫＭＳＩＤ及びＩＰＤＣＯｐｅｒａｔｏｒＩＤがＩＰＤＣオペレータ識別子として使用される場合、本発明の第１の実施形態によるＯＭＡ  ＤＭメカニズムで“特定ＩＰＤＣ  ＫＭＳ及びＩＰＤＣオペレータに登録した端末にどのＥＳＧが適切であるか”を示す指示情報は、ＯＭＡ  ＤＭメカニズムを最適化でき、端末がより容易で迅速にＩＰＤＣ  ＫＭＳ及びＩＰＤＣオペレータに属するＥＳＧを選択するための適切なＥＳＧブートストラップエントリポイントを探すように助ける。
【００４２】
＜１．第１のＯＭＡ  ＤＭメカニズム＞
図３は、本発明の第１の実施形態による第１のＯＭＡ  ＤＭメカニズムのＭＯを示す。
【００４３】
図３を参照すると、Ｘフィールド３０１はプレースホルダとしての役割をするノードであり、ＩＰＤＣフィールド３０３はＩＰＤＣ端末のためのノードであり、ＩＰＤＣＫＭＳＩＤフィールド３０５は端末のためのホームＩＰＤＣ  ＫＭＳを示すノードであり、ＩＰＤＣＯｐｅｒａｔｏｒＩＤフィールド３０７は端末のためのホームＩＰＤＣオペレータを示すノードであり、ＥＳＧフィールド３０９はＥＳＧ関連情報を搬送するノードであり、ＥＳＧＢｏｏｔｓｔｒａｐＥｎｔｒｙＰｏｉｎｔＵＲＬフィールド３１１は双方向ネットワークを通じてＥＳＧブートストラップ情報を要求するためのＥＳＧブートストラップエントリポイントＵＲＬを示すノードである。
【００４４】
上述したようにノード３０１〜３１１を通じて、端末は、ＥＳＧブートストラップエントリポイントＵＲＬを検索し、検索によって得られたＥＳＧブートストラップエントリポイントＵＲＬから該当ＩＰＤＣＫＭＳＩＤ及びＩＰＤＣＯｐｅｒａｔｏｒＩＤを有するＥＳＧを探すことができる。
【００４５】
＜２．第２のＯＭＡ  ＤＭメカニズム＞
本発明の第１の実施形態による第２のＯＭＡ  ＤＭメカニズムは、特定ＥＳＧ  ＫＭＳシステムに対するブートストラップエントリポイントを提供する。以下、ブートストラップエントリポイントを用いる特定ＩＰＤＣ  ＫＭＳシステムに属するＩＰＤＣオペレータのための全てのブートストラップ情報について説明する。
【００４６】
図４は、本発明の第１の実施形態による第２のＯＭＡ  ＤＭメカニズムのＭＯを示す。
【００４７】
図４を参照すると、Ｘフィールド４０１はプレースホルダとしての役割をするノードであり、ＩＰＤＣフィールド４０３はＩＰＤＣ端末のためのノードであり、ＩＰＤＣＫＭＳＩＤフィールド４０５は端末のためのホームＩＰＤＣ  ＫＭＳを示すノードであり、ＥＳＧフィールド４０７はＥＳＧ関連情報を搬送するノードであり、ＥＳＧＢｏｏｔｓｔｒａｐＥｎｔｒｙＰｏｉｎｔＵＲＬフィールド４０９は、双方向ネットワークを通じてＥＳＧブートストラップ情報を要求するためのＥＳＧブートストラップエントリポイントＵＲＬを示すノードである。
【００４８】
上記したように本発明の第１の実施形態による第２のＯＭＡ  ＤＭメカニズムに基づき、端末は、ＥＳＧブートストラップエントリポイントＵＲＬを検索できる。検索して得られたＥＳＧブートストラップエントリポイントＵＲＬから、端末は、自身が登録されたＩＰＤＣＫＭＳＩＤを有するＥＳＧを探すことができる。
【００４９】
本発明の第１の実施形態によるＯＭＡ  ＤＭメカニズムに基づいた下記のメカニズムは、本発明の第１の実施形態による第１のＯＭＡ  ＤＭメカニズムを例として使用する。勿論、このようなメカニズムは、本発明の第１の実施形態による第２のＯＭＡ  ＤＭメカニズムを用いる同様の例に適用することができる。しかし、便宜上、本願では、本発明の第１の実施形態による第１のＯＭＡ  ＤＭメカニズムを用いる例のみを説明する。
【００５０】
≪本発明の第２の実施形態によるＯＭＡ  ＤＭメカニズム≫
状況によって、それぞれのＥＳＧブートストラップ内に複数のＥＳＧプロバイダ（ｐｒｏｖｉｄｅｒ）があり、それぞれのＥＳＧプロバイダが複数のＥＳＧを提供できる。それによって、一つのＥＳＧブートストラップエントリポイントは、複数のＥＳＧ情報を含むことができる。上記のように、一つのＥＳＧブートストラップエントリポイントは、複数のＥＳＧ情報を含む場合、本発明の第２の実施形態によるＯＭＡ  ＤＭメカニズムは、ＥＳＧＵＲＩ（ＥＳＧ  Ｕｎｉｖｅｒｓａｌ  Ｒｅｓｏｕｒｃｅ  Ｉｄｅｎｔｉｆｉｅｒ）を示すことによって、端末が適切なＥＳＧブートストラップエントリポイントを探すようにする方案を提供する。
【００５１】
＜１．第１のＯＭＡ  ＤＭメカニズム＞
図５は、本発明の第２の実施形態による第１のＯＭＡ  ＤＭメカニズムのＭＯを示す。
【００５２】
図５を参照すると、Ｘフィールド５０１はプレースホルダの役割をするノードであり、ＩＰＤＣフィールド５０３はＩＰＤＣ端末のためのノードであり、ＥＳＧフィールド５０５はＥＳＧ関連情報を搬送するノードであり、ＥＳＧＵＲＩフィールド５０７はＥＳＧブートストラップ内で探すことができるＥＳＧＵＲＩを示すノードであり、ＥＳＧＢｏｏｔｓｔｒａｐＥｎｔｒｙＰｏｉｎｔＵＲＬフィールド５０９は、双方向ネットワークを通じてＥＳＧブートストラップ情報を要求するためのＥＳＧブートストラップエントリポイントＵＲＬを示すノードである。
【００５３】
＜２．第２のＯＭＡ  ＤＭメカニズム＞
本発明の第２の実施形態による第２のＯＭＡ  ＤＭメカニズムは、上記した本発明の第１の実施形態によるＯＭＡ  ＤＭメカニズムに基づいたメカニズムである。
【００５４】
図６は、本発明の第２の実施形態による第２のＯＭＡ  ＤＭメカニズムのＭＯを示す。
【００５５】
図６を参照すると、Ｘフィールド６０１はプレースホルダとしての役割をするノードであり、ＩＰＤＣフィールド６０３はＩＰＤＣ端末のためのノードであり、ＩＰＤＣＫＭＳＩＤフィールド６０５は端末のためのホームＩＰＤＣ  ＫＭＳを示すノードであり、ＩＰＤＣＯｐｅｒａｔｏｒＩＤフィールド６０７は端末のためのホームＩＰＤＣオペレータを示すノードである。また、ＥＳＧフィールド６０９は、ＥＳＧ関連情報を搬送するノードであり、ＥＳＧＵＲＩフィールド６１１はＥＳＧブートストラップ内で探すことができるＥＳＧＵＲＩを示すノードであり、ＥＳＧＢｏｏｔｓｔｒａｐＥｎｔｒｙＰｏｉｎｔＵＲＬフィールド６１３は、双方向ネットワークを通じてＥＳＧブートストラップ情報を要求するためのＥＳＧブートストラップエントリポイントＵＲＬを示すノードである。
【００５６】
上記のような本発明の第２の実施形態によるＯＭＡ  ＤＭメカニズムを通じて、端末は、所望するＥＳＧのみに関連したＥＳＧブートストラップエントリポイントを探すことができる。例えば、端末は、一つのネットワークでＥＳＧ１にアクセスした後に他のネットワークに移動する。しかし、ネットワークの変更によってＥＳＧ１に対するブートストラップ情報も変更される。この場合、本発明の第２の実施形態によるＯＭＡ  ＤＭメカニズムを使用せずに、端末は、ＥＳＧ１に関連したブートストラップ情報のための全てのブートストラップ情報を検索しなければならない。しかし、本発明の第２の実施形態によるＯＭＡ  ＤＭメカニズムを使用して、端末は、ＥＳＧ１に関連したブートストラップ情報を探すことができる。
【００５７】
≪本発明の第３の実施形態によるＯＭＡ  ＤＭメカニズム≫
利用可能な複数のＥＳＧは、複数の領域内に存在することができる。上記したように複数の領域内に複数の利用可能なＥＳＧがある場合、本発明の第３の実施形態によるＯＭＡ  ＤＭメカニズムは、特定領域に位置した端末がその特定領域で利用可能なＥＳＧのためのブートストラップ情報を、ＥＳＧブートストラップエントリポイントを通じて獲得可能にする。
【００５８】
＜１．第１のＯＭＡ  ＤＭメカニズム＞
図７は、本発明の第３の実施形態による第１のＯＭＡ  ＤＭメカニズムのＭＯを示す。
【００５９】
図７を参照すると、Ｘフィールド７０１は、プレースホルダとしての役割をするノードであり、ＩＰＤＣフィールド７０３はＩＰＤＣ端末のためのノードであり、ＥＳＧフィールド７０５はＥＳＧ関連情報を搬送するノードであり、ＡｒｅａＰａｒａｍｅｔｅｒフィールド７０７はネットワークＩＤ（Ｉｄｅｎｔｉｆｉｅｒ）、セルＩＤ、ＭＣＣ（Ｍｏｂｉｌｅ  Ｃｏｕｎｔｒｙ  Ｃｏｄｅ）、ＭＮＣ（Ｍｏｂｉｌｅ  Ｎｅｔｗｏｒｋ  Ｃｏｄｅ）、ＧＰＳ、国家コード等のような領域関連パラメータ搬送するノードであり、ＥＳＧＢｏｏｔｓｔｒａｐＥｎｔｒｙＰｏｉｎｔＵＲＬフィールド７０９は、双方向ネットワークを通じてＥＳＧブートストラップ情報を要求するためのＥＳＧブートストラップエントリポイントＵＲＬを示すノードである。
【００６０】
＜２．第２のＯＭＡ  ＤＭメカニズム＞
上記した本発明の第１の実施形態によるＯＭＡ  ＤＭメカニズムにおいて、ＥＳＧブートストラップエントリポイントは、特定地域で特定ＩＰＤＣＫＭＳＩＤ及びＩＰＤＣＯｐｅｒａｔｏｒＩＤからの特定端末のためのポイントである。
【００６１】
図８は、本発明の第３の実施形態による第２のＯＭＡ  ＤＭメカニズムのＭＯを示す。
【００６２】
図８を参照すると、Ｘフィールド８０１はプレースホルダとして機能するノードであり、ＩＰＤＣフィールド８０３はＩＰＤＣ端末のためのノードであり、ＩＰＤＣＫＭＳＩＤフィールド８０５は端末のためのホームＩＰＤＣ  ＫＭＳを示すノードであり、ＩＰＤＣＯｐｅｒａｔｏｒＩＤフィールド８０７は端末のためのホームＩＰＤＣオペレータを示すノードである。また、ＥＳＧフィールド８０９は、ＥＳＧ関連情報を搬送するノードであり、ＡｒｅａＰａｒａｍｅｔｅｒフィールド８１１はネットワークＩＤ、セルＩＤ、ＭＣＣ、ＭＮＣ、ＧＰＳ、国家コードのような領域関連パラメータを搬送するノードであり、ＥＳＧＢｏｏｔｓｔｒａｐＥｎｔｒｙＰｏｉｎｔＵＲＬフィールド８１３は、双方向ネットワークを通じてＥＳＧブートストラップ情報を要求するためのＥＳＧブートストラップエントリポイントＵＲＬを示すノードである。
【００６３】
上記した本発明の第３の実施形態によるＯＭＡ  ＤＭメカニズムを用いて、端末は、特定領域のみのためのＥＳＧブートストラップエントリポイントを獲得することができる。例えば、各々ＥＳＧを有する２個のセルが存在する場合、２個のセルのために２個の異なるＥＳＧブートストラップエントリポイントを準備することによって、端末の位置に従って２個の異なるＥＳＧブートストラップエントリポイントを使用することができる。
【００６４】
≪本発明の第４の実施形態によるＯＭＡ  ＤＭメカニズム≫
ネットワーク別に利用できるＥＳＧが異なることがある。例えば、ネットワーク別に利用できる衛星用ＥＳＧ、ＤＶＢ−Ｈ用ＥＳＧ、双方向ネットワーク用ＥＳＧなどがある。上記のようにネットワーク別に利用できるＥＳＧが異なる場合、本発明の第４の実施形態によるＯＭＡ  ＤＭメカニズムは、端末が特定のネットワークにアクセスされ、当該ネットワークで利用可能なＥＳＧのためのブートストラップ情報を、ＥＳＧブートストラップエントリポイントを通じて獲得できる。
【００６５】
＜１．第１のＯＭＡ  ＤＭメカニズム＞
図９は、本発明の第４の実施形態による第１のＯＭＡ  ＤＭメカニズムのＭＯを示す。
【００６６】
図９を参照すると、Ｘフィールド９０１はプレースホルダとしての役割をするノードであり、ＩＰＤＣフィールド９０３はＩＰＤＣ端末のためのノードであり、ＥＳＧフィールド９０５はＥＳＧ関連情報を搬送するノードであり、ＮｅｔｗｏｒｋＩｎｆｏフィールド９０７は、ネットワークタイプ（衛星、地上、双方向ネットワークなど）及びネットワークＩＤのようなネットワーク関連パラメータを搬送するノードであり、ＥＳＧＢｏｏｔｓｔｒａｐＥｎｔｒｙＰｏｉｎｔＵＲＬフィールド９０９は、双方向ネットワークを通じてＥＳＧブートストラップ情報を要求するためのＥＳＧブートストラップエントリポイントＵＲＬを示すノードである。
【００６７】
＜２．第２のＯＭＡ  ＤＭメカニズム＞
上述した本発明の第１の実施形態によるＯＭＡ  ＤＭメカニズムにおいて、ＥＳＧブートストラップエントリポイントは、特定の領域で特定のＩＰＤＣＫＭＳＩＤ及びＩＰＤＣＯｐｅｒａｔｏｒＩＤからの特定端末のためのポイントである。
【００６８】
図１０は、本発明の第４の実施形態による第２のＯＭＡ  ＤＭメカニズムのＭＯを示す。
【００６９】
図１０を参照すると、Ｘフィールド１００１は、プレースホルダ役割をするノードであり、ＩＰＤＣフィールド１００３はＩＰＤＣ端末のためのノードであり、ＩＰＤＣＫＭＳＩＤフィールド１００５は端末のためのホームＩＰＤＣ  ＫＭＳを示すノードであり、ＩＰＤＣＯｐｅｒａｔｏｒＩＤフィールド１００７は端末のためのホームＩＰＤＣオペレータを示すノードである。そして、ＥＳＧフィールド１００９はＥＳＧ関連情報を搬送するノードであり、ＮｅｔｗｏｒｋＩｎｆｏフィールド１０１１はネットワークタイプ（衛星、地上、双方向ネットワークなど）及びネットワークＩＤのようなネットワーク関連パラメータを搬送するノードであり、ＥＳＧＢｏｏｔｓｔｒａｐＥｎｔｒｙＰｏｉｎｔＵＲＬフィールド１０１３は双方向ネットワークを通じてＥＳＧブートストラップ情報を要求するためのＥＳＧブートストラップエントリポイントＵＲＬを示すノードである。
【００７０】
本発明の第４の実施形態によるＯＭＡ  ＤＭメカニズムにおいて、端末は、特定ネットワークに対するＥＳＧブートストラップエントリポイントを得ることができる。例えば、ＤＶＢ−ＳＨ（Ｄｉｇｉｔａｌ  Ｖｉｄｅｏ  Ｂｒｏａｄｃａｓｔｉｎｇ−Ｓａｔｅｌｌｉｔｅ  ｓｅｒｖｉｃｅｓ  ｔｏ  Ｈａｎｄｈｅｌｄ）端末は、衛星信号を受信する場合には衛星用ＥＳＧブートストラップエントリポイントを使用し、地上信号を受信する場合には地上用ＥＳＧブートストラップエントリポイントを使用することができる。
【００７１】
≪第５の実施形態によるＯＭＡ  ＤＭメカニズム≫
それぞれのＥＳＧブートストラップ及びＥＳＧに関して大量の詳細な情報が存在する。本発明の第１〜第４の実施形態に関して、特定のＩＰＤＣＫＭＳＩＤ及びＩＰＤＣＯｐｅｒａｔｏｒＩＤに関連したＥＳＧブートストラップエントリポイントに対するメカニズムと、特定地域に関連したＥＳＧブートストラップ、及び特定ネットワークに関連したＥＳＧブートストラップを含む特定情報を上記で説明した。本発明の第５の実施形態によるＯＭＡ  ＤＭメカニズムでは、上記した特性情報を、特性情報に関する詳細情報と共に示す方式を提供する。即ち、本発明の第５の実施形態によれば、ＥＳＧに関する詳細情報は、端末によって適切なＥＳＧブートストラップエントリポイントを選択するように助けるためにＭＯに含まれる。ＥＳＧに関連した詳細情報の全部又は一部を組み合わせることによって、ＥＳＧブートストラップエントリポイントの属性を示すことができる。更に、関連した詳細情報は、ＩＰＤＣＫＭＳＩＤ、ＩＰＤＣＯｐｅｒａｔｏｒＩＤ、領域パラメータ、及びネットワーク情報に限定されず、ＥＳＧブートストラップエントリポイントの属性をアプリケーション要件として記述するためのより多くの情報を含むことができる。
【００７２】
＜１．第１のＯＭＡ  ＤＭメカニズム＞
図１１Ａ及び図１１Ｂは、本発明の第５の実施形態による第１のＯＭＡ  ＤＭメカニズムのＭＯを示す。
【００７３】
図１１Ａ及び図１１Ｂを参照すると、Ｘフィールド１１０１又は１１０９はプレースホルダとしての役割をするノードであり、ＩＰＤＣフィールド１１０３はＩＰＤＣ端末のためのノードであり、ＥＳＧフィールド１１０５はＥＳＧ関連情報を搬送するノードであり、ＥＳＧＢｏｏｔｓｔｒａｐＥｎｔｒｙＰｏｉｎｔフィールド１１０７はＥＳＧブートストラップ関連情報を搬送するノードである。また、ＥＳＧＢｏｏｔｓｔｒａｐＥｎｔｒｙＰｏｉｎｔＵＲＬフィールド１１１１は双方向ネットワークを通じてＥＳＧブートストラップ情報を要求するためのＥＳＧブートストラップエントリポイントＵＲＬを示すノードであり、ＩＰＰｌａｔｆｏｒｍＩＤフィールド１１１３はＩＰプラットフォームインジケータＩＤを搬送するノードであり、ＥＳＧＰｒｏｖｉｄｅｒＵＲＩフィールド１１１５はＥＳＧプロバイダを識別するＵＲＩを搬送するノードである。更に、ＥＳＧＵＲＩフィールド１１１７はＥＳＧブートストラップ内で検索できるＥＳＧＵＲＩを示すノードであり、ＩＰＤＣＫＭＳＩＤフィールド１１１９はＥＳＧ内で検索できるＩＰＤＣＫＭＳＩＤを示すノードであり、ＩＰＤＣＯｐｅｒａｔｏｒＩＤフィールド１１２１はＥＳＧ内で検索できるＩＰＤＣＯｐｅｒａｔｏｒＩＤを示すノードである。
【００７４】
そして、ＮｅｔｗｏｒｋＴｙｐｅフィールド１１２３は、衛星、地上ネットワーク、ＤＶＢ−Ｓ（Ｄｉｇｉｔａｌ  Ｖｉｄｅｏ  Ｂｒｏａｄｃａｓｔｉｎｇ−Ｓａｔｅｌｌｉｔｅ）、ＤＶＢ−Ｈ、ＤＶＢ−ＳＨ、３ＧＰＰ、ワイマックス（Ｗｉｍａｘ）等のようなネットワークタイプ関連情報を示すノードであり、ＮｅｔｗｏｒｋＩＤフィールド１１２５はＥＳＧにアクセスできるネットワークＩＤを搬送するノードであり、ＣｅｌｌＩＤフィールド１１２７はＥＳＧにアクセスできるセルＩＤを搬送するノードであり、ＡｒｅａＰａｒａｍｅｔｅｒフィールド１１２９はネットワークＩＤ、セルＩＤ、ＭＣＣ、ＭＮＣ、ＧＰＳ、国家コードのような領域関連パラメータを搬送するノードであり、Ｅｘｔフィールド１１３１はアプリケーション要件に関連した他のアクセス範囲パラメータを搬送するノードであり、Ｔｕｎｉｎｇｐａｒａｍｅｔｅｒｓフィールド１１３３は関連チューニングパラメータを搬送するノードであり、Ｅｘｔフィールド１１３５は追加又は拡張のためのノードである。
【００７５】
＜２．第２のＯＭＡ  ＤＭメカニズム＞
次の図１２に示すように、各特性に従って異なるタイプのＥＳＧブートストラップエントリポイントを列挙する（ｅｎｕｍｅｒａｔｅｄ）ことができる。ここで、ＥＳＧブートストラップエントリポイントのタイプは制限されない。そして、新たなタイプのＥＳＧブートストラップエントリポイントを同様な方法で追加することができる。
【００７６】
図１２は、本発明の第５の実施形態による第２のＯＭＡ  ＤＭメカニズムのＭＯを示す。
【００７７】
図１２を参照すると、Ｘフィールド１２０１、１２０９、１２１３、１２１９、１２２９、１２３７、１２４５、１２５３、１２６１、１２６９はプレースホルダの役割をするノードであり、ＩＰＤＣフィールド１２０３はＩＰＤＣ端末のためのノードであり、ＥＳＧフィールド１２０５はＥＳＧ関連情報を搬送するノードであり、ＥＳＧＢｏｏｔｓｔｒａｐＥｎｔｒｙＰｏｉｎｔフィールド１２０７はＥＳＧブートストラップ関連情報を搬送するノードであり、ＧｅｎｅｒａｌＥＳＧＢｏｏｔｓｔｒａｐＥｎｔｒｙＰｏｉｎｔフィールド１２１１は一般的なＥＳＧブートストラップ関連情報を搬送するノードである。そして、ＧｅｎＥＳＧＢｏｏｔｓｔｒａｐＥｎｔｒｙＰｏｉｎｔＵＲＬフィールド１２１５は双方向ネットワークを通じてＥＳＧブートストラップ情報を要求するための一般的なＥＳＧブートストラップエントリポイントであるＵＲＬを示すノードであり、ＩＰＤＣＥＳＧＢｏｏｔｓｔｒａｐＥｎｔｒｙＰｏｉｎｔフィールド１２１７はＩＰＤＣ  ＫＭＳシステム及びＩＰＤＣオペレータに関連したＥＳＧブートストラップの情報を搬送するノードであり、ＩＰＤＣＫＭＳＩＤフィールド１２２１はＥＳＧで探すことができるＩＰＤＣＫＭＳＩＤを示すノードであり、ＩＰＤＣＯｐｅｒａｔｏｒＩＤフィールド１２２３はＥＳＧで探すことができるＩＰＤＣＯｐｅｒａｔｏｒＩＤを示すノードであり、ＩＰＤＣＥＳＧＢｏｏｔｓｔｒａｐＥｎｔｒｙＰｏｉｎｔＵＲＬフィールド１２２５は、双方向ネットワークを通じてＩＰＤＣ  ＫＭＳシステム及びＩＰＤＣオペレータに関連したＥＳＧブートストラップ情報を要求するためのＥＳＧブートストラップエントリポイントであるＵＲＬを示すフィールドであり、ＡｒｅａＥＳＧＢｏｏｔｓｔｒａｐＥｎｔｒｙＰｏｉｎｔフィールド１２２７は一部領域に関連したＥＳＧブートストラップの情報を搬送するノードであり、ＡｒｅａＰａｒａｍｅｔｅｒフィールド１２３１はネットワークＩＤ、セルＩＤ、ＧＰＳ、国家コード等のような領域関連パラメータを搬送するノードである。ＡｒｅａＥＳＧＢｏｏｔｓｔｒａｐＥｎｔｒｙＰｏｉｎｔＵＲＬフィールド１２３３は、双方向ネットワークを通じて一部領域に関連したＥＳＧブートストラップ情報を要求するためのＥＳＧブートストラップエントリポイントであるＵＲＬを示すフィールドであり、ＮｅｔｗｏｒｋＥＳＧＢｏｏｔｓｔｒａｐＥｎｔｒｙＰｏｉｎｔフィールド１２３５はネットワークに関連したＥＳＧブートストラップの情報を搬送するノードであり、ＮｅｔｗｏｒｋＩｎｆｏフィールド１２３９はネットワークタイプ、ネットワークＩＤのようなネットワーク関連情報を搬送するノードである。ＮｅｔｗｏｒｋＥＳＧＢｏｏｔｓｔｒａｐＥｎｔｒｙＰｏｉｎｔＵＲＬフィールド１２４１は、双方向ネットワークを通じてネットワークに関連したＥＳＧブートストラップ情報を要求するためのＥＳＧブートストラップエントリポイントであるＵＲＬを示すノードであり、ＰｒｏｖｉｄｅｒＥＳＧＢｏｏｔｓｔｒａｐＥｎｔｒｙＰｏｉｎｔフィールド１２４３はプロバイダに関連したＥＳＧブートストラップの情報を搬送するノードであり、ＥＳＧＰｒｏｖｉｄｅｒＵＲＩフィールド１２４７はＥＳＧプロバ��ダ関連情報を搬送するノードである。ＰｒｏｖｉｄｅｒＥＳＧＢｏｏｔｓｔｒａｐＥｎｔｒｙＰｏｉｎｔＵＲＬフィールド１２４９は、双方向ネットワークを通じて一部プロバイダと関連したＥＳＧブートストラップ情報を要求するためのＥＳＧブートストラップエントリポイントであるＵＲＬを示すノードであり、ＥＳＧＩｄｅｎＥＳＧＢｏｏｔｓｔｒａｐＥｎｔｒｙＰｏｉｎｔフィールド１２５１はＥＳＧＵＲＩに関連したＥＳＧブートストラップの情報を搬送するノードであり、ＥＳＧＵＲＩフィールド１２５５はＥＳＧブートストラップで探すことができるＥＳＧＵＲＩを示すノードであり、ＥＳＧＩｄｅｎＥＳＧＢｏｏｔｓｔｒａｐＥｎｔｒｙＰｏｉｎｔＵＲＬフィールド１２５７は双方向ネットワークを通じてＥＳＧＵＲＩに関連したＥＳＧブートストラップ情報を要求するためのＥＳＧブートストラップエントリポイントであるＵＲＬを示すノードであり、ＰｌａｔｆｏｒｍＥＳＧＢｏｏｔｓｔｒａｐＥｎｔｒｙＰｏｉｎｔフィールド１２５９はＩＰプラットフォームに関連したＥＳＧブートストラップの情報を搬送するノードである。ＩＰｐｌａｔｆｏｒｍＩＤフィールド１２６３はＩＰプラットフォーム関連情報を搬送するノードであり、ＰｌａｔｆｏｒｍＥＳＧＢｏｏｔｓｔｒａｐＥｎｔｒｙＰｏｉｎｔＵＲＬフィールド１２６５は双方向ネットワークを通じてＩＰプラットフォームに関連したＥＳＧブートストラップ情報を要求するためのＥＳＧブートストラップエントリポイントであるＵＲＬを示すノードであり、ＫＭＳＥＧＢｏｏｔｓｔｒａｐＥｎｔｒｙＰｏｉｎｔフィールド１２６７はＩＰＤＣ  ＫＭＳシステムに関連したＥＳＧブートストラップの情報を搬送するノードであり、ＩＰＤＣＫＭＳＩＤフィールド１２７１はＥＳＧで探すことができるＩＰＤＣＫＭＳＩＤを示すノードであり、ＫＭＳＥＳＧＢｏｏｔｓｔｒａｐＥｎｔｒｙＰｏｉｎｔＵＲＬフィールド１２７３は双方向ネットワークを通じてＩＰＤＣ  ＫＭＳシステムに関連したＥＳＧブートストラップ情報を要求するためのエントリポイントＵＲＬを示すノードであり、Ｔｕｎｉｎｇｐａｒａｍｅｔｅｒフィールド１２７５は関連したチューニングパラメータを搬送するノードであり、Ｅｘｔフィールド１２７７は追加情報のための内部ノードである。
【００７８】
上記した本発明の第５の実施形態によるＯＭＡ  ＤＭメカニズムによって、端末は、それぞれのＥＳＧブートストラップエントリポイントに関連した詳細情報に基づいて適切なＥＳＧブートストラップエントリポイントを選択できる。上述した詳細情報は、選択的であり、要件に応じてネットワーク又は端末によって選択することができる。
【００７９】
≪第６の実施形態によるＯＭＡ  ＤＭメカニズム≫
移動性シナリオにおいて、適切な管理ターゲットは、ローミング概念の主要パラメータである。一つの適切な管理範囲は、ハンドオーバーのローミングに該当する。その理由は、加入及びローミング協定（ａｇｒｅｅｍｅｎｔ）がハンドオーバーのローミングで発生するためである。
【００８０】
現在のＣＢＭＳでは、ＩＰＤＣオペレータ（更に具体的に、ＩＰＤＣ  ＫＭＳ及びＩＰＤＣオペレータ）は、加入及び適切な管理を遂行する。今後、加入及び適切な管理を遂行する役割が変更され得る。しかし、本発明の実施形態の概念及びメカニズムは、ＩＰＤＣ  ＫＭＳシステム及びＩＰＤＣオペレータが新たなパラメータに置き換えられる一部の変更に適用することができる。
【００８１】
ホームカバレッジ内で、端末は、ＥＳＧブートストラップエントリポイントを検索した後にＩＰＤＣ  ＫＭＳシステム及びＩＰＤＣオペレータに関連したＥＳＧにアクセスできる。端末は、ホームカバレッジ外に位置しても、外部及びホームＩＰＤＣ  ＫＭＳシステムとＩＰＤＣオペレータとの間で一種のローミング協定があるため、今まで通りサービスにアクセスする権利を有する。
【００８２】
それぞれのローカルＩＰＤＣＫＭＳＩＤ及びＩＰＤＣＯｐｅｒａｔｏｒＩＤはローミングパートナーを有することができる。
【００８３】
図１３は、本発明の第６の実施形態で適用される各々のローカルＩＰＤＣＫＭＳＩＤ及びＩＰＤＣＯｐｅｒａｔｏｒＩＤのローミングパートナーを示す。
【００８４】
図１３に示すように、ローカルＩＰＤＣＫＭＳＩＤ及びＩＰＤＣＯｐｅｒａｔｏｒＩＤが（ＩＰＤＣＫＭＳＩＤ＝１及びＩＰＤＣＯｐｅｒａｔｏｒＩＤ＝１）及び（ＩＰＤＣＫＭＳＩＤ＝ｍ及びＩＰＤＣＯｐｅｒａｔｏｒＩＤ＝ｍ）を含む場合、それぞれのローカルＩＰＤＣＫＭＳシステム及びＩＰＤＣオペレータはローミングパートナーを有する。即ち、（ＩＰＤＣＫＭＳＩＤ＝ｎ及びＩＰＤＣＯｐｅｒａｔｏｒＩＤ＝ｎ）及び（ＩＰＤＣＫＭＳＩＤ＝ｉ及びＩＰＤＣＯｐｅｒａｔｏｒＩＤ＝ｉ）は、ローカルＩＰＤＣＫＭＳＩＤ＝１及びＩＰＤＣＯｐｅｒａｔｏｒＩＤ＝１のローミングパートナーであり、（ＩＰＤＣＫＭＳＩＤ＝ｊ及びＩＰＤＣＯｐｅｒａｔｏｒＩＤ＝ｊ）及び（ＩＰＤＣＫＭＳＩＤ＝ｋ及びＩＰＤＣＯｐｅｒａｔｏｒＩＤ＝ｋ）は、ローカルＩＰＤＣＫＭＳＩＤ＝ｍ及びＩＰＤＣＯｐｅｒａｔｏｒＩＤ＝ｍのローミングパートナーである。同一のＩＰＤＣ  ＫＭＳシステムに属する２人の共同ＩＰＤＣオペレータはローミング協約が達成可能であるが、２個の異なるＩＰＤＣ  ＫＭＳからの２人のＩＰＤＣオペレータはローミング協定に失敗する可能性がある。例えば、（ＩＰＤＣＫＭＳＩＤ＝１及びＩＰＤＣＯｐｅｒａｔｏｒＩＤ＝１）は、（ＩＰＤＣＫＭＳＩＤ＝１及びＩＰＤＣＯｐｅｒａｔｏｒ＝２）とローミング協定をすることができるが、（ＩＰＤＣＫＭＳＩＤ＝１及びＩＰＤＣＯｐｅｒａｔｏｒＩＤ＝１）は（ＩＰＤＣＫＭＳＩＤ＝２及びＩＰＤＣＯｐｅｒａｔｏｒＩＤ＝３）とローミング協定ができない。実施形態では、簡潔さのために、そして追加拡張のために、ｉ、ｊ、ｋ、ｍ、ｎを、ＩＰＤＣＫＭＳＩＤ及びＩＰＤＣＯｐｅｒａｔｏｒＩＤのためのインデックスとして使用する。詳細数値及び情報は、実際の要件によって指定することができる。
【００８５】
詳細なローミングパートナー情報が示されていない場合、そしてローカル及びローミングＩＰＤＣ  ＫＭＳシステム及びＩＰＤＣオペレータに対するエントリポイントが同時に提供されると、メカニズム１を使用できる。この場合、例えば、そのホームオペレータが（ＩＰＤＣＫＭＳＩＤ＝１及びＩＰＤＣＯｐｅｒａｔｏｒ＝１）であるローカル端末は、（ＩＰＤＣＫＭＳＩＤ＝１及びＩＰＤＣＯｐｅｒａｔｏｒ＝１）のためのエントリポイントを使用できる。更に、例えば、そのホームオペレータが（ＩＰＤＣＫＭＳＩＤ＝１及びＩＰＤＣＯｐｅｒａｔｏｒ＝２）であるローミング端末は、（ＩＰＤＣＫＭＳＩＤ＝１及びＩＰＤＣＯｐｅｒａｔｏｒ＝２）のためのエントリポイントを使用できる。ローカル端末の場合、そのホームＤＭサーバからこのエントリポイント情報を得ることができる。ローミング端末の場合、そのホームＤＭサーバから自身のエントリポイント情報が得られる。しかし、ローミング端末がホームＤＭサーバのカバレッジ外に位置する場合には、ローカルＤＭサーバ及び自身のローミングＤＭサーバとの間の交渉とサポートを通じてローカルＤＭサーバからこのエントリポイント情報が得られる。従って、メカニズム１によると、ローカル及びローミング端末のためのエントリポイントがＩＰＤＣＫＭＳＩＤ及びＩＰＤＣＯｐｅｒａｔｏｒＩＤに基づいて提供される。ローミング関連情報に対する指示はない。
【００８６】
また、メカニズム１に関連されるメカニズム２〜５は、上記した方式でローカル及びローミング端末共に使用できる。
【００８７】
ローカル及びローミングＩＰＤＣ  ＫＭＳ及びＩＰＤＣオペレータのためのエントリポイントは、ＭＯ内の指示によって分離され得る。
【００８８】
本発明の第６の実施形態によるＯＭＡ  ＤＭメカニズムは、該当ＩＰＤＣＫＭＳＩＤ及びＩＰＤＣＯｐｅｒａｔｏｒＩＤによってローミング端末のためのＥＳＧブートストラップエントリポイントを示す方式を提供する。
【００８９】
図１４は、本発明の第６の実施形態によるＯＭＡ  ＤＭメカニズムのＭＯを示す。
【００９０】
図１４を参照すると、Ｘフィールド１４０１はプレースホルダとしての役割をするノードであり、ＩＰＤＣフィールド１４０３はＩＰＤＣ端末のためのノードであり、ＲｏａｍｉｎｇＩＰＤＣＫＭＳＩＤフィールド１４０５はＩＰＤＣＫＭＳＩＤを有するローミング端末のためのノードであり、ＲｏａｍｉｎｇＩＰＤＣＯｐｅｒａｔｏｒＩＤフィールド１４０７はＯＰＤＣＯｐｅｒａｔｏｒＩＤを有するローミング端末のためのノードであり、ＥＳＧフィールド１４０９はＥＳＧ関連情報を搬送するノードであり、ＥＳＧＢｏｏｔｓｔｒａｐＥｎｔｒｙＰｏｉｎｔＵＲＬフィールド１４１１は双方向ネットワークを通じてＥＳＧブートストラップ情報を要求するためのＥＳＧブートストラップエントリポイントであるＵＲＬを示すノードである。
【００９１】
上述したように本発明の第６の実施形態によるＯＭＡ  ＤＭメカニズムによって、端末は、ローミング端末のためのＥＳＧブートストラップエントリポイントを得ることができる。ＥＳＧブートストラップエントリポイントを用いて、端末は、ＥＳＧブートストラップ情報を検索して、ローミングユーザーのための利用可能なサービスを有するＥＳＧを選択できる。
【００９２】
≪第７の実施形態によるＯＭＡ  ＤＭメカニズム≫
本発明の第７の実施形態によるＯＭＡ  ＤＭメカニズムは、それぞれのローミング端末のＥＳＧブートストラップエントリポイント情報と一緒にローカル及びローミングＩＰＤＣ  ＫＭＳシステムとＩＰＤＣオペレータとの間の関係を提供する。
【００９３】
＜１．第１のＯＭＡ  ＤＭメカニズム＞
本発明の第７の実施形態による第１のＯＭＡ  ＤＭメカニズムでは、各々ローカルＩＰＤＣＫＭＳＩＤ及びＩＰＤＣＯｐｅｒａｔｏｒＩＤのローミングパートナーをｒｏａｍｉｎｇＩＰＤＣＫＭＳＩＤ及びｒｏａｍｉｎｇＩＰＤＣＯｐｅｒａｔｏｒＩＤとして列挙し、それぞれのローミングパートナーの該当ＥＳＧブートストラップエントリポイントを示す方式を提供する。
【００９４】
図１５は、本発明の第７の実施形態による第１のＯＭＡ  ＤＭメカニズムのＭＯを示す。
【００９５】
図１５を参照すると、Ｘフィールド１５０１、１５０５、１５１３はプレースホルダの役割をするノードであり、ＩＰＤＣフィールド１５０３はＩＰＤＣ端末のためのノードであり、ＬｏｃａｌＩＰＤＣＫＭＳＩＤフィールド１５０７はＩＰＤＣＫＭＳＩＤを有するローカル端末のためのノードであり、ＬｏｃａｌＩＰＤＣＯｐｅｒａｔｏｒＩＤフィールド１５０９はＩＰＤＣＯｐｅｒａｔｏｒＩＤを有するローカル端末のためのノードであり、ＲｏａｍｉｎｇＰａｒｔｎｅｒフィールド１５１１はローカルＩＰＤＣ  ＫＭＳシステム及びＩＰＤＣオペレータのためのローミングパートナー関連情報を搬送するノードであり、ＲｏａｍｉｎｇＩＰＤＣＫＭＳＩＤフィールド１５１５はＩＰＤＣＫＭＳＩＤを有するローミング端末のためのノードであり、ＲｏａｍｉｎｇＩＰＤＣＯｐｅｒａｔｏｒＩＤフィールド１５１７はＩＰＤＣＯｐｅｒａｔｏｒＩＤを有するローミング端末のためのノードであり、ＥＳＧフィールド１５１９はＥＳＧ関連情報を搬送するノードであり、ＥＳＧＢｏｏｔｓｔｒａｐＥｎｔｒｙＰｏｉｎｔＵＲＬフィールド１５２１は、双方向ネットワークを通じてＥＳＧブートストラップ情報を要求するためのＥＳＧブートストラップエントリポイントであるＵＲＬを示すノードである。
【００９６】
上記した本発明の第７の実施形態による第１のＯＭＡ  ＤＭメカニズムにおいて、ＥＳＧブートストラップエントリポイントがローカル及びローミングユーザーの両方のための共通ブートストラップ情報を有すると、端末は、ＥＳＧを選択し、ＭＯに記述されたローミングパートナー情報に基づいて自身によって利用可能なサービスを探すことができる。ＥＳＧブートストラップエントリポイントが特定パートナーのみのための特定ブートストラップ情報を有すると、端末は、ＥＳＧブートストラップエントリポイントを用いて全ての適切なＥＳＧ情報を獲得することができる。
【００９７】
＜２．第２のＯＭＡ  ＤＭメカニズム＞
図１６は、本発明の第７の実施形態による第２のＯＭＡ  ＤＭメカニズムのＭＯを示す。
【００９８】
図１６を参照すると、Ｘフィールド１６０１、１６０５、１６１３はプレースホルダとしての役割をするノードであり、ＩＰＤＣフィールド１６０３はＩＰＤＣ端末のためのノードであり、ＲｏａｍｉｎｇＩＰＤＣＫＭＳＩＤフィールド１６０７はＩＰＤＣＫＭＳＩＤを有するローミング端末のためのノードであり、ＲｏａｍｉｎｇＩＰＤＣＯｐｅｒａｔｏｒＩＤフィールド１６０９はＩＰＤＣＯｐｅｒａｔｏｒＩＤを有するローミング端末のためのノードであり、ＲｏａｍｉｎｇＰａｒｔｎｅｒフィールド１６１１はローミングパートナー関連情報を搬送するノードである。そしてＬｏｃａｌＩＰＤＣＫＭＳＩＤフィールド１６１５はＩＰＤＣＫＭＳＩＤを有するローカル端末のためのノードであり、ＬｏｃａｌＩＰＤＣＯｐｅｒａｔｏｒＩＤフィールド１６１７はＩＰＤＣＯｐｅｒａｔｏｒＩＤを有するローカル端末のためのノードであり、ＥＳＧフィールド１６１９はＥＳＧ関連情報を搬送するノードであり、ＥＳＧＢｏｏｔｓｔｒａｐＥｎｔｒｙＰｏｉｎｔＵＲＬフィールド１６２１は、双方向ネットワークを通じてＥＳＧブートストラップ情報を要求するためのＥＳＧブートストラップエントリポイントであるＵＲＬを示すノードである。
【００９９】
上記した第７の実施形態による第２のＯＭＡ  ＤＭメカニズムによると、ローミング端末は、ＲｏａｍｉｎｇＩＰＤＣＫＭＳＩＤ及びＲｏａｍｉｎｇＩＰＤＣＯｐｅｒａｔｏｒＩＤでローミング端末自体のＩＰＤＣＫＭＳＩＤ及びＩＰＤＣＯｐｅｒａｔｏｒＩＤを探索できる。探索を通じてローミング端末がそのＩＰＤＣＫＭＳＩＤ及びＩＰＤＣＯｐｅｒａｔｏｒＩＤを検索できない場合、ローミング端末は、適切な情報を獲得できない。一方、ローミング端末がそのＩＰＤＣＫＭＳＩＤ及びＩＰＤＣＯｐｅｒａｔｏｒＩＤを検索できる場合、端末は、ＬｏｃａｌＩＰＤＣＫＭＳＩＤ及びＬｏｃａｌＩＰＤＣＯｐｅｒａｔｏｒＩＤでローミング端末のローミングパートナーを探すことができ、ＥＳＧブートストラップエントリポイントも示す。
【０１００】
≪第８の実施形態によるＯＭＡ  ＤＭメカニズム≫
第８の実施形態によるＯＭＡ  ＤＭメカニズムは、本発明の第５の実施形態によるＯＭＡ  ＤＭメカニズムに基づいてローミングパートナー情報を追加的に提供する方式を提供する。
【０１０１】
＜１．第１のＯＭＡ  ＤＭメカニズム＞
第８の実施形態による第１のＯＭＡ  ＤＭメカニズムは、本発明の第５の実施形態による第１のＯＭＡ  ＤＭメカニズムに基づく。
【０１０２】
図１７Ａ及び図１７Ｂは、本発明の第８の実施形態による第１のＯＭＡ  ＤＭメカニズムのＭＯを示す。
【０１０３】
図１７Ａを参照すると、Ｘフィールド１７０１、１７０９、１７２５はプレースホルダとしての役割をするノードであり、ＩＰＤＣフィールド１７０３はＩＰＤＣ端末のためのノードであり、ＥＳＧフィールド１７０５はＥＳＧ関連情報を搬送するノードであり、ＥＳＧＢｏｏｔｓｔｒａｐＥｎｔｒｙＰｏｉｎｔフィールド１７０７はＥＳＧブートストラップ関連情報を搬送するノードである。また、ＥＳＧＢｏｏｔｓｔｒａｐＥｎｔｒｙＰｏｉｎｔＵＲＬフィールド１７１１は、双方向ネットワークを通じてＥＳＧブートストラップ情報を要求するためのＥＳＧブートストラップエントリポイントＵＲＬを示すノードであり、ＩＰＰｌａｔｆｏｒｍＩＤフィールド１７１３はＩＰプラットフォーム関連情報を搬送するノードであり、ＥＳＧＰｒｏｖｉｄｅｒＵＲＩフィールド１７１５はＥＳＧプロバイダ関連情報を搬送するノードである。更に、ＥＳＧＵＲＩフィールド１７１７はＥＳＧブートストラップ内で探すことができるＥＳＧＵＲＩを示すノードであり、ＩＰＤＣＫＭＳＩＤフィールド１７１９はＥＳＧ内で探すことができるＩＰＤＣＫＭＳＩＤを示すノードであり、ＩＰＤＣＯｐｅｒａｔｏｒＩＤフィールド１７２１はＥＳＧ内で探すことができるＩＰＤＣＯｐｅｒａｔｏｒＩＤを示すノードであり、ＲｏａｍｉｎｇＰａｒｔｎｅｒフィールド１７２３はローカルＩＰＤＣ  ＫＭＳシステム及びＩＰＤＣオペレータのためのローミングパートナー関連情報を搬送するノードである。ＲｏａｍｉｎｇＩＰＤＣＫＭＳＩＤフィールド１７２７はＩＰＤＣＫＭＳＩＤを有するローミング端末のためのノードであり、ＲｏａｍｉｎｇＩＰＤＣＯｐｅｒａｔｏｒＩＤフィールド１７２９はＩＰＤＣＯｐｅｒａｔｏｒＩＤを有するローミング端末のためのノードであり、ＮｅｔｗｏｒｋＴｙｐｅフィールド１７３１はＤＶＢ−Ｓ、ＤＶＢ−Ｈ、ＤＶＢ−ＳＨ、３ＧＰＰ、Ｗｉｍａｘ等のようなネットワークタイプ関連情報を示すノードであり、ＮｅｔｗｏｒｋＩＤフィールド１７３３はＥＳＧにアクセスできるネットワークＩＤを搬送するノードであり、ＣｅｌｌＩＤフィールド１７３５はＥＳＧにアクセスできるセルＩＤを搬送するノードであり、ＡｒｅａＰａｒａｍｅｔｅｒフィールド１７３７はネットワークＩＤ、セルＩＤ、ＭＣＣ、ＭＮＣ、ＧＰＳ、国家コード等のような領域関連パラメータを搬送するノードであり、ＯｔｈｅｒＡｃｃｅｓｓＳｃｏｐｅＰａｒａｍｅｔｅｒフィールド１７３９は国家コード、ＧＰＳのような他の関連したアクセス範囲パラメータを搬送するノードであり、Ｔｕｎｉｎｇｐａｒａｍｅｔｅｒフィールド１７４１は関連したチューニングパラメータを搬送するフィールドである。
【０１０４】
図１７Ａに示すＯＭＡ  ＤＭに基づき、下記の＜表６＞は上記したノード＜ｘ＞をより詳細に示す。
【表６】
0005394406.tif 000007
【０１０５】
下記の＜表７＞は、上記した＜ｘ＞／ＩＰＤＣ／をより詳細に示す。
【表７】
0005394406.tif 000008
【０１０６】
＜表８＞は、上記したノード＜ｘ＞／ＩＰＤＣ／ＥＳＧ／をより詳細に示す。
【表８】
0005394406.tif 000009
【０１０７】
＜表９＞は、上記したノード＜ｘ＞／ＩＰＤＣ／ＥＳＧ／ＥＳＧＢｏｏｔｓｔｒａｐＥｎｔｒｙＰｏｉｎｔ／をより詳細に示す。
【表９】
0005394406.tif 000010
【０１０８】
下記の＜表１０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞をより詳細に示す。
【表１０】
0005394406.tif 000011
【０１０９】
下記の＜表１１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＢｏｏｔｓｔｒａｐＥｎｔｒｙＰｏｉｎｔＵＲＬ／をより詳細に示す。
【表１１】
0005394406.tif 000012
【０１１０】
下記の＜表１２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＰｌａｔｆｏｒｍ／をより詳細に示す。
【表１２】
0005394406.tif 000013
【０１１１】
＜表１３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＰｒｏｖｉｄｅｒＵＲＩ／をより詳細に示す。
【表１３】
0005394406.tif 000014
【０１１２】
下記の＜表１４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／をより詳細に示す。
【表１４】
0005394406.tif 000015
【０１１３】
下記の＜表１５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／ＩＰＤＣＫＭＳＩＤ／をより詳細に示す。
【表１５】
0005394406.tif 000016
【０１１４】
＜表１６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／ＩＰＤＣＫＭＳＩＤ／ＩＰＤＣＯｐｅｒａｔｏｒＩＤ／をより詳細に示す。
【表１６】
0005394406.tif 000017
【０１１５】
下記の＜表１７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／ＩＰＤＣＫＭＳＩＤ／ＩＰＤＣＯｐｅｒａｔｏｒＩＤ／ＲｏａｍｉｎｇＰａｒｔｎｅｒ／をより詳細に示す。
【表１７】
0005394406.tif 000018
【０１１６】
＜表１８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／ＩＰＤＣＫＭＳＩＤ／ＩＰＤＣＯｐｅｒａｔｏｒＩＤ／ＲｏａｍｉｎｇＰａｒｔｎｅｒ／＜ｘ＞をより詳細に示す。
【表１８】
0005394406.tif 000019
【０１１７】
＜表１９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／ＩＰＤＣＫＭＳＩＤ／ＩＰＤＣＯｐｅｒａｔｏｒＩＤ／ＲｏａｍｉｎｇＰａｒｔｎｅｒ／＜ｘ＞／ＲｏａｍｉｎｇＩＰＤＣＫＭＳＩＤ／をより詳細に示す。
【表１９】
0005394406.tif 000020
【０１１８】
下記の＜表２０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／ＩＰＤＣＫＭＳＩＤ／ＩＰＤＣＯｐｅｒａｔｏｒＩＤ／ＲｏａｍｉｎｇＰａｒｔｎｅｒ／＜ｘ＞／ＲｏａｍｉｎｇＩＰＤＣＫＭＳＩＤ／ＲｏａｍｉｎｇＩＰＤＣＯｐｅｒａｔｏｒＩＤ／をより詳細に示す。
【表２０】
0005394406.tif 000021
【０１１９】
下記の＜表２１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／ＮｅｔｗｏｒｋＴｙｐｅ／をより詳細に示す。
【表２１】
0005394406.tif 000022
【０１２０】
下記の＜表２２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／ＮｅｔｗｏｒｋＩＤ／をより詳細に示す。
【表２２】
0005394406.tif 000023
【０１２１】
＜表２３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／ＮｅｔｗｏｒｋＩＤ／ＣｅｌｌＩＤ／をより詳細に示す。
【表２３】
0005394406.tif 000024
【０１２２】
下記の＜表２４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／ＡｒｅａＰａｒａｍｅｔｅｒ／をより詳細に示す。
【表２４】
0005394406.tif 000025
【０１２３】
下記の＜表２５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／Ｅｘｔ／をより詳細に示す。
【表２５】
0005394406.tif 000026
【０１２４】
＜表２６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／Ｅｘｔ／をより詳細に示す。
【表２６】
0005394406.tif 000027
【０１２５】
図１７Ｂに示したＯＭＡ  ＤＭに基づき、下記の＜表２７＞は、上記したノード＜ｘ＞をより詳細に示す。
【表２７】
0005394406.tif 000028
【０１２６】
＜表２８＞は、上記したノード＜ｘ＞／ＩＰＤＣ／をより詳細に示す。
【表２８】
0005394406.tif 000029
【０１２７】
＜表２９＞は、上記したノード＜ｘ＞／ＩＰＤＣ／ＥＳＧ／をより詳細に示す。
【表２９】
0005394406.tif 000030
【０１２８】
下記の＜表３０＞は、上記したノード＜ｘ＞／ＩＰＤＣ／ＥＳＧ／ＥＳＧＢｏｏｔｓｔｒａｐＥｎｔｒｙＰｏｉｎｔ／をより詳細に示す。
【表３０】
0005394406.tif 000031
【０１２９】
下記の＜表３１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞をより詳細に示す。
【表３１】
0005394406.tif 000032
【０１３０】
下記の＜表３２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＢｏｏｔｓｔｒａｐＥｎｔｒｙＰｏｉｎｔＵＲＬ／をより詳細に示す。
【表３２】
0005394406.tif 000033
【０１３１】
＜表３３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＰｌａｔｆｏｒｍ／をより詳細に示す。
【表３３】
0005394406.tif 000034
【０１３２】
下記の＜表３４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＰｒｏｖｉｄｅｒＵＲＩ／をより詳細に示す。
【表３４】
0005394406.tif 000035
【０１３３】
下記の＜表３５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＵＲＩ／をより詳細に示す。
【表３５】
0005394406.tif 000036
【０１３４】
＜表３６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＫＭＳＩＤ／をより詳細に示す。
【表３６】
0005394406.tif 000037
【０１３５】
下記の＜表３７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＫＭＳＩＤ／ＩＰＤＣＯｐｅｒａｔｏｒＩＤ／をより詳細に示す。
【表３７】
0005394406.tif 000038
【０１３６】
＜表３８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＫＭＳＩＤ／ＩＰＤＣＯｐｅｒａｔｏｒＩＤ／ＲｏａｍｉｎｇＰａｒｔｎｅｒ／をより詳細に示す。
【表３８】
0005394406.tif 000039
【０１３７】
＜表３９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＫＭＳＩＤ／ＩＰＤＣＯｐｅｒａｔｏｒＩＤ／ＲｏａｍｉｎｇＰａｒｔｎｅｒ／＜ｘ＞をより詳細に示す。
【表３９】
0005394406.tif 000040
【０１３８】
下記の＜表４０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＫＭＳＩＤ／ＩＰＤＣＯｐｅｒａｔｏｒＩＤ／ＲｏａｍｉｎｇＰａｒｔｎｅｒ／＜ｘ＞／ＲｏａｍｉｎｇＩＰＤＣＫＭＳＩＤ／をより詳細に示す。
【表４０】
0005394406.tif 000041
【０１３９】
下記の＜表４１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＫＭＳＩＤ／ＩＰＤＣＯｐｅｒａｔｏｒＩＤ／ＲｏａｍｉｎｇＰａｒｔｎｅｒ／＜ｘ＞／ＲｏａｍｉｎｇＩＰＤＣＫＭＳＩＤ／ＲｏａｍｉｎｇＩＰＤＣＯｐｅｒａｔｏｒＩＤ／をより詳細に示す。
【表４１】
0005394406.tif 000042
【０１４０】
下記の＜表４２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＴｙｐｅ／をより詳細に示す。
【表４２】
0005394406.tif 000043
【０１４１】
＜表４３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＩＤ／をより詳細に示す。
【表４３】
0005394406.tif 000044
【０１４２】
下記の＜表４４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＩＤ／ＣｅｌｌＩＤ／をより詳細に示す。
【表４４】
0005394406.tif 000045
【０１４３】
下記の＜表４５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＰａｒａｍｅｔｅｒ／をより詳細に示す。
【表４５】
0005394406.tif 000046
【０１４４】
＜表４６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／Ｅｘｔ／をより詳細に示す。
【表４６】
0005394406.tif 000047
【０１４５】
＜２．第２のＯＭＡ  ＤＭメカニズム＞
第８の実施形態による第２のＯＭＡ  ＤＭメカニズムは、本発明の第５の実施形態による第２のＯＭＡ  ＤＭメカニズムに基づく。
【０１４６】
図１８は、本発明の第８の実施形態による第２のＯＭＡ  ＤＭメカニズムのＭＯを示す。
【０１４７】
図１８を参照すると、Ｘフィールド１８０１、１８０９、１８１３、１８１９、１８２９、１８３７、１８４５、１８５３、１８６１、１８６９、１８７９はプレースホルダとしての役割をするノードであり、ＩＰＤＣフィールド１８０３はＩＰＤＣ端末のためのノードであり、ＥＳＧフィールド１８０５はＥＳＧ関連情報を搬送するノードであり、ＥＳＧＢｏｏｔｓｔｒａｐＥｎｔｒｙＰｏｉｎｔフィールド１８０７はＥＳＧブートストラップ関連情報を搬送するノードであり、ＧｅｎｅｒａｌＥＳＧＢｏｏｔｓｔｒａｐＥｎｔｒｙＰｏｉｎｔフィールド１８１１は一般的なＥＳＧブートストラップ関連情報を運搬するノードである。更に、ＧｅｎＥＳＧＢｏｏｔｓｔｒａｐＥｎｔｒｙＰｏｉｎｔＵＲＬフィールド１８１５は双方向ネットワークを通じてＥＳＧブートストラップ情報を要求するための一般的なＥＳＧブートストラップエントリポイントであるＵＲＬを示すノードであり、ＩＰＤＣＥＳＧＢｏｏｔｓｔｒａｐＥｎｔｒｙＰｏｉｎｔフィールド１８１７はＩＰＤＣ  ＫＭＳシステム及びＩＰＤＣオペレータに関連したＥＳＧブートストラップの情報を搬送するノードであり、ＩＰＤＣＫＭＳＩＤフィールド１８２１はＥＳＧで検索できるＩＰＤＣＫＭＳＩＤを示すノードであり、ＩＰＤＣＯｐｅｒａｔｏｒＩＤフィールド１８２３はＥＳＧで検索できるＩＰＤＣＯｐｅｒａｔｏｒＩＤを示すノードであり、ＩＰＤＣＥＳＧＢｏｏｔｓｔｒａｐＥｎｔｒｙＰｏｉｎｔＵＲＬフィールド１８２５は、双方向ネットワークを通じてＩＰＤＣ  ＫＭＳシステム及びＩＰＤＣオペレータに関連したＥＳＧブートストラップ情報を要求するためのＥＳＧブートストラップエントリポイントであるＵＲＬを示すフィールドであり、ＡｒｅａＥＳＧＢｏｏｔｓｒａｐＥｎｔｒｙＰｏｉｎｔフィールド１８２７は一部領域に関連したＥＳＧブートストラップの情報を搬送するノードであり、ＡｒｅａＰａｒａｍｅｔｅｒフィールド１８３１はネットワークＩＤ、セルＩＤ、ＧＰＳ、国家コード等のような領域関連パラメータを搬送するノードであり、ＡｒｅａＥＳＧＢｏｏｔｓｔｒａｐＥｎｔｒｙＰｏｉｎｔＵＲＬフィールド１８３３は双方向ネットワークを通じて一部領域に関連したＥＳＧブートストラップ情報を要求するためのＥＳＧブートストラップエントリポイントであるＵＲＬを示すフィールドであり、ＮｅｔｗｏｒｋＥＳＧＢｏｏｔｓｔｒａｐＥｎｔｒｙＰｏｉｎｔフィールド１８３５はネットワークに関連したＥＳＧブートストラップの情報を搬送するノードであり、ＮｅｔｗｏｒｋＩｎｆｏフィールド１８３９はネットワークタイプ、ネットワークＩＤのようなネットワーク関連情報を搬送するノードであり、ＮｅｔｗｏｒｋＥＳＧＢｏｏｔｓｒａｐＥｎｔｒｙＰｏｉｎｔＵＲＬフィールド１８４１は双方向ネットワークを通じて一部ネットワークと関連したＥＳＧブートストラップ情報を要求するためのＥＳＧブートストラップエントリポイントであるＵＲＬを示すノードであり、ＰｒｏｖｉｄｅｒＥＳＧＢｏｏｔｓｔｒａｐＥｎｔｒｙＰｏｉｎｔフィールド１８４３はプロバイダに関連したＥＳＧブートストラップの情報を搬送するノードであり、ＥＳＧＰｒｏｖｉｄｅｒＵＲＩフィールド１８４７はＥＳＧプロバイ��関連情報を搬送するノードであり、ＰｒｏｖｉｄｅｒＥＳＧＢｏｏｔｓｔｒａｐＥｎｔｒｙＰｏｉｎｔＵＲＬフィールド１８４９は双方向ネットワークを通じてプロバイダに関連したＥＳＧブートストラップ情報を要求するためのＥＳＧブートストラップエントリポイントであるＵＲＬを示すノードであり、ＥＳＧＩｄｅｎＥＳＧＢｏｏｔｓｔｒａｐＥｎｔｒｙＰｏｉｎｔフィールド１８５１はＥＳＧＵＲＩに関連したＥＳＧブートストラップの情報を搬送するノードであり、ＥＳＧＵＲＩフィールド１８５５はＥＳＧブートストラップで探すことができるＥＳＧＵＲＩを示すノードであり、ＥＳＧＩｄｅｎＥＳＧＢｏｏｔｓｔｒａｐＥｎｔｒｙＰｏｉｎｔＵＲＬフィールド１８５７は双方向ネットワークを通じてＥＳＧＵＲＩに関連したＥＳＧブートストラップ情報を要求するためのＥＳＧブートストラップエントリポイントであるＵＲＬを示すノードであり、ＰｌａｔｆｏｒｍＥＳＧＢｏｏｔｓｔｒａｐＥｎｔｒｙＰｏｉｎｔフィールド１８５９はＩＰプラットフォームに関連したＥＳＧブートストラップの情報を搬送するノードであり、ＩＰＰｌａｔｆｏｒｍＩＤフィールド１８６３はＩＰプラットフォーム関連情報を搬送するノードであり、ＰｌａｔｆｏｒｍＥＳＧＢｏｏｔｓｔｒａｐＥｎｔｒｙＰｏｉｎｔＵＲＬフィールド１８６５は双方向ネットワークを通じてＩＰプラットフォームに関連したＥＳＧブートストラップ情報を要求するためのＥＳＧブートストラップエントリポイントであるＵＲＬを示すノードであり、ＲｏａｍｉｎｇＥＳＧＢｏｏｔｓｔｒａｐＥｎｔｒｙＰｏｉｎｔフィールド１８６７はローミングＩＰＤＣ  ＫＭＳシステム及びＩＰＤＣオペレータに関連したＥＳＧブートストラップの情報を搬送するノードであり、ＲｏａｍｉｎｇＩＰＤＣＫＭＳＩＤフィールド１８７１はＩＰＤＣＫＭＳＩＤを有するローミング端末のためのノードであり、ＲｏａｍｉｎｇＩＰＤＣＯｐｅｒａｔｏｒＩＤフィールド１８７３はＩＰＤＣＯｐｅｒａｔｏｒＩＤを有するローミング端末のためのノードであり、ＲｏａｍｉｎｇＥＳＧＢｏｏｔｓｔｒａｐＥｎｔｒｙＰｏｉｎｔＵＲＬフィールド１８７５はローミング端末に関連したＥＳＧブートストラップ情報を要求するためのＥＳＧブートストラップエントリポイントであるＵＲＬを示すノードである。また、ＫＭＳＥＧＢｏｏｔｓｔｒａｐＥｎｔｒｙＰｏｉｎｔフィールド１８７７はＩＰＤＣ  ＫＭＳシステムに関連したＥＳＧブートストラップの情報を搬送するノードであり、ＩＰＤＣＫＭＳＩＤフィールド１８８１はＥＳＧで探すことができるＩＰＤＣＫＭＳＩＤを示すノードであり、ＫＭＳＥＳＧＢｏｏｔｓｔｒａｐＥｎｔｒｙＰｏｉｎｔＵＲＬフィールド１８８３は双方向ネットワークを通じてＩＰＤＣ  ＫＭＳシステムに関連したＥＳＧブートストラップ情報を要求するためのエントリポイントＵＲＬを示すノードであり、Ｔｕｎｉｎｇｐａｒａｍｅｔｅｒｓフィールド１８８５は関連したチューニングパラメータを搬送するノードであり、Ｅｘｔフィールド１８８７は追加情報のための内部ノードである。
【０１４８】
下記の＜表４７＞は、上記したノード＜ｘ＞をより詳細に示す。
【表４７】
0005394406.tif 000048
【０１４９】
＜表４８＞は、上記したノード＜ｘ＞／ＩＰＤＣ／をより詳細に示す。
【表４８】
0005394406.tif 000049
【０１５０】
＜表４９＞は、上記したノード＜ｘ＞／ＩＰＤＣ／ＥＳＧ／をより詳細に示す。
【表４９】
0005394406.tif 000050
【０１５１】
下記の＜表５０＞は、上記したノード＜ｘ＞／ＩＰＤＣ／ＥＳＧ／ＥＳＧＢｏｏｔｓｔｒａｐＥｎｔｒｙＰｏｉｎｔ／をより詳細に示す。
【表５０】
0005394406.tif 000051
【０１５２】
下記の＜表５１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞をより詳細に示す。
【表５１】
0005394406.tif 000052
【０１５３】
下記の＜表５２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＧｅｎｅｒａｌＥＳＧＥｎｔｒｙＰｏｉｎｔ／をより詳細に示す。
【表５２】
0005394406.tif 000053
【０１５４】
＜表５３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＧｅｎｅｒａｌＥＳＧＢｏｏｔｓｔｒａｐＥｎｔｒｙＰｏｉｎｔ／＜ｘ＞をより詳細に示す。
【表５３】
0005394406.tif 000054
【０１５５】
下記の＜表５４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＧｅｎｅｒａｌＥＳＧＥｎｔｒｙＰｏｉｎｔ／＜ｘ＞／ＧｅｎＥＳＧＢｏｏｔｓｔｒａｐＥｎｔｒｙＰｏｉｎｔＵＲＬ／をより詳細に示す。
【表５４】
0005394406.tif 000055
【０１５６】
下記の＜表５５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／をより詳細に示す。
【表５５】
0005394406.tif 000056
【０１５７】
＜表５６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＢｏｏｔｓｔｒａｐＥｎｔｒｙＰｏｉｎｔ／＜ｘ＞をより詳細に示す。
【表５６】
0005394406.tif 000057
【０１５８】
下記の＜表５７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／＜ｘ＞／ＩＰＤＣＫＭＳＩＤ／をより詳細に示す。
【表５７】
0005394406.tif 000058
【０１５９】
＜表５８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／＜ｘ＞／ＩＰＤＣＫＭＳＩＤ／ＩＰＤＣＯｐｅｒａｔｏｒＩＤ／をより詳細に示す。
【表５８】
0005394406.tif 000059
【０１６０】
＜表５９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／＜ｘ＞／ＩＰＤＣＫＭＳＩＤ／ＩＰＤＣＯｐｅｒａｔｏｒＩＤ／ＩＰＤＣＥＳＧＥｎｔｒｙＰｏｉｎｔＵＲＬ／をより詳細に示す。
【表５９】
0005394406.tif 000060
【０１６１】
下記の＜表６０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／をより詳細に示す。
【表６０】
0005394406.tif 000061
【０１６２】
下記の＜表６１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／＜ｘ＞をより詳細に示す。
【表６１】
0005394406.tif 000062
【０１６３】
下記の＜表６２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／＜ｘ＞／ＡｒｅａＰａｒａｍｅｔｅｒ／をより詳細に示す。
【表６２】
0005394406.tif 000063
【０１６４】
＜表６３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／＜ｘ＞／ＡｒｅａＰａｒａｍｅｔｅｒ／ＡｒｅａＥＳＧＢｏｏｔｓｔｒａｐＥｎｔｒｙＰｏｉｎｔＵＲＬ／をより詳細に示す。
【表６３】
0005394406.tif 000064
【０１６５】
下記の＜表６４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／をより詳細に示す。
【表６４】
0005394406.tif 000065
【０１６６】
下記の＜表６５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／＜ｘ＞をより詳細に示す。
【表６５】
0005394406.tif 000066
【０１６７】
＜表６６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／＜ｘ＞／ＮｅｔｗｏｒｋＩｎｆｏ／をより詳細に示す。
【表６６】
0005394406.tif 000067
【０１６８】
下記の＜表６７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／＜ｘ＞／ＮｅｔｗｏｒｋＩｎｆｏ／ＮｅｔｗｏｒｋＥＳＧＢｏｏｔｓｔｒａｐＥｎｔｒｙＰｏｉｎｔＵＲＬ／をより詳細に示す。
【表６７】
0005394406.tif 000068
【０１６９】
＜表６８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／をより詳細に示す。
【表６８】
0005394406.tif 000069
【０１７０】
＜表６９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／＜ｘ＞をより詳細に示す。
【表６９】
0005394406.tif 000070
【０１７１】
下記の＜表７０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／＜ｘ＞／ＥＳＧＰｒｏｖｉｄｅｒＵＲＩ／をより詳細に示す。
【表７０】
0005394406.tif 000071
【０１７２】
下記の＜表７１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／＜ｘ＞／ＥＳＧＰｒｏｖｉｄｅｒＵＲＩ／ＰｒｏｖｉｄｅｒＥＳＧＢｏｏｔｓｔｒａｐＥｎｔｒｙＰｏｉｎｔＵＲＬ／をより詳細に示す。
【表７１】
0005394406.tif 000072
【０１７３】
下記の＜表７２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／をより詳細に示す。
【表７２】
0005394406.tif 000073
【０１７４】
＜表７３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／＜ｘ＞を詳細に示す。
【表７３】
0005394406.tif 000074
【０１７５】
下記の＜表７４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／＜ｘ＞／ＥＳＧＵＲＩ／をより詳細に示す。
【表７４】
0005394406.tif 000075
【０１７６】
下記の＜表７５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／＜ｘ＞／ＥＳＧＵＲＩ／ＥＳＧＩｄｅｎＥＳＧＢｏｏｔｓｔｒａｐＥｎｔｒｙＰｏｉｎｔＵＲＬ／をより詳細に示す。
【表７５】
0005394406.tif 000076
【０１７７】
＜表７６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／をより詳細に示す。
【表７６】
0005394406.tif 000077
【０１７８】
下記の＜表７７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／＜ｘ＞をより詳細に示す。
【表７７】
0005394406.tif 000078
【０１７９】
＜表７８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／＜ｘ＞／ＩＰＰｌａｔｆｏｒｍＩＤ／をより詳細に示す。
【表７８】
0005394406.tif 000079
【０１８０】
＜表７９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／＜ｘ＞／ＩＰＰｌａｔｆｏｒｍＩＤ／ＰｌａｔｆｏｒｍＥＳＧＢｏｏｔｓｔｒａｐＥｎｔｒｙＰｏｉｎｔＵＲＬ／をより詳細に示す。
【表７９】
0005394406.tif 000080
【０１８１】
下記の＜表８０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／をより詳細に示す。
【表８０】
0005394406.tif 000081
【０１８２】
下記の＜表８１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞をより詳細に示す。
【表８１】
0005394406.tif 000082
【０１８３】
下記の＜表８２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＩＰＤＣＫＭＳＩＤ／をより詳細に示す。
【表８２】
0005394406.tif 000083
【０１８４】
＜表８３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＩＰＤＣＫＭＳＩＤ／ＲｏａｍｉｎｇＩＰＤＣＯｐｅｒａｔｏｒＩＤ／をより詳細に示す。
【表８３】
0005394406.tif 000084
【０１８５】
下記の＜表８４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＩＰＤＣＫＭＳＩＤ／ＲｏａｍｉｎｇＩＰＤＣＯｐｅｒａｔｏｒＩＤ／ＥＳＧＢｏｏｔｓｔｒａｐＥｎｔｒｙＰｏｉｎｔＵＲＬ／をより詳細に示す。
【表８４】
0005394406.tif 000085
【０１８６】
下記の＜表８５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／をより詳細に示す。
【表８５】
0005394406.tif 000086
【０１８７】
＜表８６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／＜ｘ＞をより詳細に示す。
【表８６】
0005394406.tif 000087
【０１８８】
下記の＜表８７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／＜ｘ＞／ＩＰＤＣＫＭＳＩＤ／をより詳細に示す。
【表８７】
0005394406.tif 000088
【０１８９】
＜表８８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／＜ｘ＞／ＩＰＤＣＫＭＳＩＤ／ＫＭＳＥＳＧＢｏｏｔｓｔｒａｐＥｎｔｒｙＰｏｉｎｔＵＲＬ／をより詳細に示す。
【表８８】
0005394406.tif 000089
【０１９０】
＜表８９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ｔｕｎｉｎｇｐａｒａｍｅｔｅｒｓ／をより詳細に示す。
【表８９】
0005394406.tif 000090
【０１９１】
下記の＜表９０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／Ｅｘｔ／をより詳細に示す。
【表９０】
0005394406.tif 000091
【０１９２】
＜３．第３のＯＭＡ  ＤＭメカニズム＞
図１９は、本発明の第８の実施形態による第３のＯＭＡ  ＤＭメカニズムのＭＯを示す。
【０１９３】
図１９を参照すると、Ｘフィールド１９０１、１９０９、１９１３、１９１９、１９２９、１９３７、１９４５、１９５３、１９６１、１９７１、１９７９はプレースホルダとしての役割をするノードであり、ＩＰＤＣフィールド１９０３はＩＰＤＣ端末のためのノードであり、ＥＳＧフィールド１９０５はＥＳＧ関連情報を搬送するノードであり、ＥＳＧＢｏｏｔｓｔｒａｐＥｎｔｒｙＰｏｉｎｔフィールド１９０７はＥＳＧブートストラップ関連情報を搬送するノードであり、ＧｅｎｅｒａｌＥＳＧＢｏｏｔｓｔｒａｐＥｎｔｒｙＰｏｉｎｔフィールド１９１１は一般的なＥＳＧブートストラップ関連情報を運搬するノードである。更に、ＧｅｎＥＳＧＢｏｏｔｓｔｒａｐＥｎｔｒｙＰｏｉｎｔＵＲＬフィールド１９１５は双方向ネットワークを通じてＥＳＧブートストラップ情報を要求するための一般的なＥＳＧブートストラップエントリポイントであるＵＲＬを示すノードであり、ＩＰＤＣＥＳＧＢｏｏｔｓｔｒａｐＥｎｔｒｙＰｏｉｎｔフィールド１９１７はＩＰＤＣ  ＫＭＳシステム及びＩＰＤＣオペレータに関連したＥＳＧブートストラップの情報を搬送するノードであり、ＩＰＤＣＫＭＳＩＤフィールド１９２１はＥＳＧで検索できるＩＰＤＣＫＭＳＩＤを示すノードであり、ＩＰＤＣＯｐｅｒａｔｏｒＩＤフィールド１９２３はＥＳＧで検索できるＩＰＤＣＯｐｅｒａｔｏｒＩＤを示すノードであり、ＩＰＤＣＥＳＧＢｏｏｔｓｔｒａｐＥｎｔｒｙＰｏｉｎｔＵＲＬフィールド１９２５は、双方向ネットワークを通じてＩＰＤＣ  ＫＭＳシステム及びＩＰＤＣオペレータに関連したＥＳＧブートストラップ情報を要求するためのＥＳＧブートストラップエントリポイントであるＵＲＬを示すフィールドであり、ＡｒｅａＥＳＧＢｏｏｔｓｒａｐＥｎｔｒｙＰｏｉｎｔフィールド１９２７は一部領域に関連したＥＳＧブートストラップの情報を搬送するノードであり、ＡｒｅａＰａｒａｍｅｔｅｒフィールド１９３１はネットワークＩＤ、セルＩＤ、ＧＰＳ、国家コード等のような領域関連パラメータを搬送するノードであり、ＡｒｅａＥＳＧＢｏｏｔｓｔｒａｐＥｎｔｒｙＰｏｉｎｔＵＲＬフィールド１９３３は双方向ネットワークを通じて一部領域に関連したＥＳＧブートストラップ情報を要求するためのＥＳＧブートストラップエントリポイントであるＵＲＬを示すフィールドであり、ＮｅｔｗｏｒｋＥＳＧＢｏｏｔｓｔｒａｐＥｎｔｒｙＰｏｉｎｔフィールド１９３５はネットワークに関連したＥＳＧブートストラップの情報を搬送するノードであり、ＮｅｔｗｏｒｋＩｎｆｏフィールド１９３９はネットワークタイプ、ネットワークＩＤのようなネットワーク関連情報を搬送するノードであり、ＮｅｔｗｏｒｋＥＳＧＢｏｏｔｓｒａｐＥｎｔｒｙＰｏｉｎｔＵＲＬフィールド１９４１は双方向ネットワークを通じて一部ネットワークと関連したＥＳＧブートストラップ情報を要求するためのＥＳＧブートストラップエントリポイントであるＵＲＬを示すノードであり、ＰｒｏｖｉｄｅｒＥＳＧＢｏｏｔｓｔｒａｐＥｎｔｒｙＰｏｉｎｔフィールド１９４３はプロバイダに関連したＥＳＧブートストラップの情報を搬送するノードであり、ＥＳＧＰｒｏｖｉｄｅｒＵＲＩフィールド１９４７はＥＳＧプロバイ��関連情報を搬送するノードであり、ＰｒｏｖｉｄｅｒＥＳＧＢｏｏｔｓｔｒａｐＥｎｔｒｙＰｏｉｎｔＵＲＬフィールド１９４９は双方向ネットワークを通じてプロバイダに関連したＥＳＧブートストラップ情報を要求するためのＥＳＧブートストラップエントリポイントであるＵＲＬを示すノードであり、ＥＳＧＩｄｅｎＥＳＧＢｏｏｔｓｔｒａｐＥｎｔｒｙＰｏｉｎｔフィールド１９５１はＥＳＧＵＲＩに関連したＥＳＧブートストラップの情報を搬送するノードであり、ＥＳＧＵＲＩフィールド１９５５はＥＳＧブートストラップで探すことができるＥＳＧＵＲＩを示すノードであり、ＥＳＧＩｄｅｎＥＳＧＢｏｏｔｓｔｒａｐＥｎｔｒｙＰｏｉｎｔＵＲＬフィールド１９５７は双方向ネットワークを通じてＥＳＧＵＲＩに関連したＥＳＧブートストラップ情報を要求するためのＥＳＧブートストラップエントリポイントであるＵＲＬを示すノードであり、ＰｌａｔｆｏｒｍＥＳＧＢｏｏｔｓｔｒａｐＥｎｔｒｙＰｏｉｎｔフィールド１９５９はＩＰプラットフォームに関連したＥＳＧブートストラップの情報を搬送するノードであり、ＩＰＰｌａｔｆｏｒｍＩＤフィールド１９６３はＩＰプラットフォーム関連情報を搬送するノードであり、ＰｌａｔｆｏｒｍＥＳＧＢｏｏｔｓｔｒａｐＥｎｔｒｙＰｏｉｎｔＵＲＬフィールド１９６５は双方向ネットワークを通じてＩＰプラットフォームに関連したＥＳＧブートストラップ情報を要求するためのＥＳＧブートストラップエントリポイントであるＵＲＬを示すノードであり、ＲｏａｍｉｎｇＥＳＧＢｏｏｔｓｔｒａｐＥｎｔｒｙＰｏｉｎｔフィールド１９６７又は１９６９はローミングＩＰＤＣ  ＫＭＳシステム及びＩＰＤＣオペレータに関連したＥＳＧブートストラップの情報を搬送するノードであり、ＬｏｃａｌＩＰＤＣＫＭＳＩＤフィールド１９７３はＩＰＤＣＫＭＳＩＤを有するローカル端末のためのノードであり、ＬｏｃａｌＩＰＤＣＯｐｅｒａｔｏｒＩＤフィールド１９７５はＩＰＤＣＯｐｅｒａｔｏｒＩＤを有するローカル端末のためのノードであり、ＲｏａｍｉｎｇＰａｒｔｎｅｒフィールド１９７７はローカルＩＰＤＣ  ＫＭＳシステム及びＩＰＤＣオペレータのためのローミングパートナー関連情報を搬送するノードであり、ＲｏａｍｉｎｇＩＰＤＣＫＭＳＩＤフィールド１９８１はＩＰＤＣＫＭＳＩＤを有するローミング端末のためのノードであり、ＲｏａｍｉｎｇＩＰＤＣＯｐｅｒａｔｏｒＩＤフィールド１９８３はＩＰＤＣＯｐｅｒａｔｏｒＩＤを有するローミング端末のためのノードであり、ＲｏａｍｉｎｇＥＳＧＢｏｏｔｓｔｒａｐＥｎｔｒｙＰｏｉｎｔＵＲＬフィールド１９８５はローミング端末に関連したＥＳＧブートストラップ情報を要求するためのＥＳＧブートストラップエントリポイントであるＵＲＬを示すノードであり、Ｔｕｎｉｎｇｐａｒａｍｅｔｅｒｓフィールド１９８７は関連したチューニングパラメータを搬送するノードであり、Ｅｘｔフィールド１９８９は追加情報のための内部ノードである。
【０１９４】
下記の＜表９１＞は、上記したノード＜ｘ＞をより詳細に示す。
【表９１】
0005394406.tif 000092
【０１９５】
下記の＜表９２＞は、上記したノード＜ｘ＞／ＩＰＤＣ／をより詳細に示す。
【表９２】
0005394406.tif 000093
【０１９６】
＜表９３＞は、上記したノード＜ｘ＞／ＩＰＤＣ／ＥＳＧ／をより詳細に示す。
【表９３】
0005394406.tif 000094
【０１９７】
下記の＜表９４＞は、上記したノード＜ｘ＞／ＩＰＤＣ／ＥＳＧ／ＥＳＧＢｏｏｔｓｔｒａｐＥｎｔｒｙＰｏｉｎｔ／をより詳細に示す。
【表９４】
0005394406.tif 000095
【０１９８】
下記の＜表９５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞をより詳細に示す。
【表９５】
0005394406.tif 000096
【０１９９】
＜表９６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＧｅｎｅｒａｌＥＳＧＥｎｔｒｙＰｏｉｎｔ／をより詳細に示す。
【表９６】
0005394406.tif 000097
【０２００】
下記の＜表９７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＧｅｎｅｒａｌＥＳＧＢｏｏｔｓｔｒａｐＥｎｔｒｙＰｏｉｎｔ／＜ｘ＞をより詳細に示す。
【表９７】
0005394406.tif 000098
【０２０１】
＜表９８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＧｅｎｅｒａｌＥＳＧＥｎｔｒｙＰｏｉｎｔ／＜ｘ＞／ＧｅｎＥＳＧＢｏｏｔｓｔｒａｐＥｎｔｒｙＰｏｉｎｔＵＲＬ／をより詳細に示す。
【表９８】
0005394406.tif 000099
【０２０２】
＜表９９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／をより詳細に示す。
【表９９】
0005394406.tif 000100
【０２０３】
下記の＜表１００＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＢｏｏｔｓｔｒａｐＥｎｔｒｙＰｏｉｎｔ／＜ｘ＞をより詳細に示す。
【表１００】
0005394406.tif 000101
【０２０４】
下記の＜表１０１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／＜ｘ＞／ＩＰＤＣＫＭＳＩＤ／をより詳細に示す。
【表１０１】
0005394406.tif 000102
【０２０５】
下記の＜表１０２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／＜ｘ＞／ＩＰＤＣＫＭＳＩＤ／ＩＰＤＣＯｐｅｒａｔｏｒＩＤ／をより詳細に示す。
【表１０２】
0005394406.tif 000103
【０２０６】
＜表１０３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／＜ｘ＞／ＩＰＤＣＫＭＳＩＤ／ＩＰＤＣＯｐｅｒａｔｏｒＩＤ／ＩＰＤＣＥＳＧＥｎｔｒｙＰｏｉｎｔＵＲＬ／をより詳細に示す。
【表１０３】
0005394406.tif 000104
【０２０７】
下記の＜表１０４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／をより詳細に示す。
【表１０４】
0005394406.tif 000105
【０２０８】
下記の＜表１０５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／＜ｘ＞をより詳細に示す。
【表１０５】
0005394406.tif 000106
【０２０９】
＜表１０６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／＜ｘ＞／ＡｒｅａＰａｒａｍｅｔｅｒ／をより詳細に示す。
【表１０６】
0005394406.tif 000107
【０２１０】
下記の＜表１０７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／＜ｘ＞／ＡｒｅａＰａｒａｍｅｔｅｒ／ＡｒｅａＥＳＧＢｏｏｔｓｔｒａｐＥｎｔｒｙＰｏｉｎｔＵＲＬ／をより詳細に示す。
【表１０７】
0005394406.tif 000108
【０２１１】
＜表１０８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／をより詳細に示す。
【表１０８】
0005394406.tif 000109
【０２１２】
＜表１０９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／＜ｘ＞をより詳細に示す。
【表１０９】
0005394406.tif 000110
【０２１３】
下記の＜表１１０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／＜ｘ＞／ＮｅｔｗｏｒｋＩｎｆｏ／をより詳細に示す。
【表１１０】
0005394406.tif 000111
【０２１４】
下記の＜表１１１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／＜ｘ＞／ＮｅｔｗｏｒｋＩｎｆｏ／ＮｅｔｗｏｒｋＥＳＧＢｏｏｔｓｔｒａｐＥｎｔｒｙＰｏｉｎｔＵＲＬ／をより詳細に示す。
【表１１１】
0005394406.tif 000112
【０２１５】
下記の＜表１１２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／をより詳細に示す。
【表１１２】
0005394406.tif 000113
【０２１６】
＜表１１３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／＜ｘ＞をより詳細に示す。
【表１１３】
0005394406.tif 000114
【０２１７】
下記の＜表１１４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／＜ｘ＞／ＥＳＧＰｒｏｖｉｄｅｒＵＲＩ／を詳細に示す。
【表１１４】
0005394406.tif 000115
【０２１８】
下記の＜表１１５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／＜ｘ＞／ＥＳＧＰｒｏｖｉｄｅｒＵＲＩ／ＰｒｏｖｉｄｅｒＥＳＧＢｏｏｔｓｔｒａｐＥｎｔｒｙＰｏｉｎｔＵＲＬ／をより詳細に示す。
【表１１５】
0005394406.tif 000116
【０２１９】
＜表１１６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／をより詳細に示す。
【表１１６】
0005394406.tif 000117
【０２２０】
下記の＜表１１７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／＜ｘ＞をより詳細に示す。
【表１１７】
0005394406.tif 000118
【０２２１】
＜表１１８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／＜ｘ＞／ＥＳＧＵＲＩ／をより詳細に示す。
【表１１８】
0005394406.tif 000119
【０２２２】
＜表１１９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／＜ｘ＞／ＥＳＧＵＲＩ／ＥＳＧＩｄｅｎＥＳＧＢｏｏｔｓｔｒａｐＥｎｔｒｙＰｏｉｎｔＵＲＬ／をより詳細に示す。
【表１１９】
0005394406.tif 000120
【０２２３】
下記の＜表１２０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／をより詳細に示す。
【表１２０】
0005394406.tif 000121
【０２２４】
下記の＜表１２１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／＜ｘ＞をより詳細に示す。
【表１２１】
0005394406.tif 000122
【０２２５】
下記の＜表１２２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／＜ｘ＞／ＩＰＰｌａｔｆｏｒｍＩＤ／をより詳細に示す。
【表１２２】
0005394406.tif 000123
【０２２６】
＜表１２３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／＜ｘ＞／ＩＰＰｌａｔｆｏｒｍＩＤ／ＰｌａｔｆｏｒｍＥＳＧＢｏｏｔｓｔｒａｐＥｎｔｒｙＰｏｉｎｔＵＲＬ／をより詳細に示す。
【表１２３】
0005394406.tif 000124
【０２２７】
下記の＜表１２４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／をより詳細に示す。
【表１２４】
0005394406.tif 000125
【０２２８】
下記の＜表１２５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞をより詳細に示す。
【表１２５】
0005394406.tif 000126
【０２２９】
＜表１２６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＬｏｃａｌＩＰＤＣＫＭＳＩＤ／をより詳細に示す。
【表１２６】
0005394406.tif 000127
【０２３０】
下記の＜表１２７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表１２７】
0005394406.tif 000128
【０２３１】
＜表１２８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＰａｒｔｎｅｒ／をより詳細に示す。
【表１２８】
0005394406.tif 000129
【０２３２】
＜表１２９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＰａｒｔｎｅｒ／＜ｘ＞をより詳細に示す。
【表１２９】
0005394406.tif 000130
【０２３３】
下記の＜表１３０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＰａｒｔｎｅｒ／＜ｘ＞ＲｏａｍｉｎｇＩＰＤＣＫＭＳＩＤ／をより詳細に示す。
【表１３０】
0005394406.tif 000131
【０２３４】
下記の＜表１３１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＰａｒｔｎｅｒ／＜ｘ＞ＲｏａｍｉｎｇＩＰＤＣＫＭＳＩＤ／ＲｏａｍｉｎｇＩＰＤＣＯｐｅｒａｔｏｒＩＤ／をより詳細に示す。
【表１３１】
0005394406.tif 000132
【０２３５】
下記の＜表１３２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＰａｒｔｎｅｒ／＜ｘ＞ＲｏａｍｉｎｇＥＳＧＢｏｏｔｓｔｒａｐＥｎｔｒｙＰｏｉｎｔＵＲＬをより詳細に示す。
【表１３２】
0005394406.tif 000133
【０２３６】
＜表１３３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／をより詳細に示す。
【表１３３】
0005394406.tif 000134
【０２３７】
下記の＜表１３４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／＜ｘ＞をより詳細に示す。
【表１３４】
0005394406.tif 000135
【０２３８】
下記の＜表１３５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／＜ｘ＞／ＩＰＤＣＫＭＳＩＤ／をより詳細に示す。
【表１３５】
0005394406.tif 000136
【０２３９】
＜表１３６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／＜ｘ＞／ＩＰＤＣＫＭＳＩＤ／ＫＭＳＥＳＧＢｏｏｔｓｔｒａｐＥｎｔｒｙＰｏｉｎｔＵＲＬ／をより詳細に示す。
【表１３６】
0005394406.tif 000137
【０２４０】
下記の＜表１３７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ｔｕｎｉｎｇｐａｒａｍｅｔｅｒｓをより詳細に示す。
【表１３７】
0005394406.tif 000138
【０２４１】
＜表１３８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／Ｅｘｔ／をより詳細に示す。
【表１３８】
0005394406.tif 000139
【０２４２】
＜４．第４のＯＭＡ  ＤＭメカニズム＞
図２０は、本発明の第８の実施形態による第４のＯＭＡ  ＤＭメカニズムのＭＯを示す。
【０２４３】
図２０を参照すると、Ｘフィールド２００１、２００９、２０１３、２０１９、２０２９、２０３７、２０４５、２０５３、２０６１、２０７１、２０７９はプレースホルダとしての役割をするノードであり、ＩＰＤＣフィールド２００３はＩＰＤＣ端末のためのノードであり、ＥＳＧフィールド２００５はＥＳＧ関連情報を搬送するノードであり、ＥＳＧＢｏｏｔｓｔｒａｐＥｎｔｒｙＰｏｉｎｔフィールド２００７はＥＳＧブートストラップ関連情報を搬送するノードであり、ＧｅｎｅｒａｌＥＳＧＢｏｏｔｓｔｒａｐＥｎｔｒｙＰｏｉｎｔフィールド２０１１は一般的なＥＳＧブートストラップ関連情報を運搬するノードである。更に、ＧｅｎＥＳＧＢｏｏｔｓｔｒａｐＥｎｔｒｙＰｏｉｎｔＵＲＬフィールド２０１５は双方向ネットワークを通じてＥＳＧブートストラップ情報を要求するための一般的なＥＳＧブートストラップエントリポイントであるＵＲＬを示すノードであり、ＩＰＤＣＥＳＧＢｏｏｔｓｔｒａｐＥｎｔｒｙＰｏｉｎｔフィールド２０１７はＩＰＤＣ  ＫＭＳシステム及びＩＰＤＣオペレータに関連したＥＳＧブートストラップの情報を搬送するノードであり、ＩＰＤＣＫＭＳＩＤフィールド２０２１はＥＳＧで検索できるＩＰＤＣＫＭＳＩＤを示すノードであり、ＩＰＤＣＯｐｅｒａｔｏｒＩＤフィールド２０２３はＥＳＧで検索できるＩＰＤＣＯｐｅｒａｔｏｒＩＤを示すノードであり、ＩＰＤＣＥＳＧＢｏｏｔｓｔｒａｐＥｎｔｒｙＰｏｉｎｔＵＲＬフィールド２０２５は、双方向ネットワークを通じてＩＰＤＣ  ＫＭＳシステム及びＩＰＤＣオペレータに関連したＥＳＧブートストラップ情報を要求するためのＥＳＧブートストラップエントリポイントであるＵＲＬを示すフィールドであり、ＡｒｅａＥＳＧＢｏｏｔｓｒａｐＥｎｔｒｙＰｏｉｎｔフィールド２０２７は一部領域に関連したＥＳＧブートストラップの情報を搬送するノードであり、ＡｒｅａＰａｒａｍｅｔｅｒフィールド２０３１はネットワークＩＤ、セルＩＤ、ＧＰＳ、国家コードのような領域関連パラメータを搬送するノードであり、ＡｒｅａＥＳＧＢｏｏｔｓｔｒａｐＥｎｔｒｙＰｏｉｎｔＵＲＬフィールド２０３３は双方向ネットワークを通じて一部領域に関連したＥＳＧブートストラップ情報を要求するためのＥＳＧブートストラップエントリポイントであるＵＲＬを示すフィールドであり、ＮｅｔｗｏｒｋＥＳＧＢｏｏｔｓｔｒａｐＥｎｔｒｙＰｏｉｎｔフィールド２０３５はネットワークに関連したＥＳＧブートストラップの情報を搬送するノードであり、ＮｅｔｗｏｒｋＩｎｆｏフィールド２０３９はネットワークタイプ、ネットワークＩＤのようなネットワーク関連情報を搬送するノードであり、ＮｅｔｗｏｒｋＥＳＧＢｏｏｔｓｒａｐＥｎｔｒｙＰｏｉｎｔＵＲＬフィールド２０４１は双方向ネットワークを通じて一部ネットワークと関連したＥＳＧブートストラップ情報を要求するためのＥＳＧブートストラップエントリポイントであるＵＲＬを示すノードであり、ＰｒｏｖｉｄｅｒＥＳＧＢｏｏｔｓｔｒａｐＥｎｔｒｙＰｏｉｎｔフィールド２０４３はプロバイダに関連したＥＳＧブートストラップの情報を搬送するノードであり、ＥＳＧＰｒｏｖｉｄｅｒＵＲＩフィールド２０４７はＥＳＧプロバイダ��連情報を搬送するノードであり、ＰｒｏｖｉｄｅｒＥＳＧＢｏｏｔｓｔｒａｐＥｎｔｒｙＰｏｉｎｔＵＲＬフィールド２０４９は双方向ネットワークを通じてプロバイダに関連したＥＳＧブートストラップ情報を要求するためのＥＳＧブートストラップエントリポイントであるＵＲＬを示すノードであり、ＥＳＧＩｄｅｎＥＳＧＢｏｏｔｓｔｒａｐＥｎｔｒｙＰｏｉｎｔフィールド２０５１はＥＳＧＵＲＩに関連したＥＳＧブートストラップの情報を搬送するノードであり、ＥＳＧＵＲＩフィールド２０５５はＥＳＧブートストラップで探すことができるＥＳＧＵＲＩを示すノードであり、ＥＳＧＩｄｅｎＥＳＧＢｏｏｔｓｔｒａｐＥｎｔｒｙＰｏｉｎｔＵＲＬフィールド２０５７は双方向ネットワークを通じてＥＳＧＵＲＩに関連したＥＳＧブートストラップ情報を要求するためのＥＳＧブートストラップエントリポイントであるＵＲＬを示すノードであり、ＰｌａｔｆｏｒｍＥＳＧＢｏｏｔｓｔｒａｐＥｎｔｒｙＰｏｉｎｔフィールド２０５９はＩＰプラットフォームに関連したＥＳＧブートストラップの情報を搬送するノードであり、ＩＰＰｌａｔｆｏｒｍＩＤフィールド２０６３はＩＰプラットフォーム関連情報を搬送するノードであり、ＰｌａｔｆｏｒｍＥＳＧＢｏｏｔｓｔｒａｐＥｎｔｒｙＰｏｉｎｔＵＲＬフィールド２０６５は双方向ネットワークを通じてＩＰプラットフォームに関連したＥＳＧブートストラップ情報を要求するためのＥＳＧブートストラップエントリポイントであるＵＲＬを示すノードであり、ＲｏａｍｉｎｇＥＳＧＢｏｏｔｓｔｒａｐＥｎｔｒｙＰｏｉｎｔフィールド２０６７又は２０６９はローミングＩＰＤＣ  ＫＭＳシステム及びＩＰＤＣオペレータに関連したＥＳＧブートストラップの情報を搬送するノードであり、ＲｏａｍｉｎｇＩＰＤＣＫＭＳＩＤフィールド２０７３はＩＰＤＣＫＭＳＩＤを有するローミング端末のためのノードであり、ＲｏａｍｉｎｇＩＰＤＣＯｐｅｒａｔｏｒＩＤフィールド２０７５はＩＰＤＣＯｐｅｒａｔｏｒＩＤを有するローミング端末のためのノードであり、ＲｏａｍｉｎｇＰａｒｔｎｅｒフィールド２０７７はローミングパートナー関連情報を搬送するノードであり、ＬｏｃａｌＩＰＤＣＫＭＳＩＤフィールド２０８１はＩＰＤＣＫＭＳＩＤを有するローカル端末のためのノードであり、ＬｏｃａｌＩＰＤＣＯｐｅｒａｔｏｒＩＤフィールド２０８３はＩＰＤＣＯｐｅｒａｔｏｒＩＤを有するローカル端末のためのノードであり、ＲｏａｍｉｎｇＥＳＧＢｏｏｔｓｔｒａｐＥｎｔｒｙＰｏｉｎｔＵＲＬフィールド２０８５はローミング端末に関連したＥＳＧブートストラップ情報を要求するためのＥＳＧブートストラップエントリポイントであるＵＲＬを示すノードであり、Ｔｕｎｉｎｇｐａｒａｍｅｔｅｒｓフィールド２０８７は関連したチューニングパラメータを搬送するノードであり、Ｅｘｔフィールド２０８９は追加情報のための内部ノードである。
【０２４４】
下記の＜表１３９＞は、上記したノード＜ｘ＞をより詳細に示す。
【表１３９】
0005394406.tif 000140
【０２４５】
下記の＜表１４０＞は、上記したノード＜ｘ＞／ＩＰＤＣ／をより詳細に示す。
【表１４０】
0005394406.tif 000141
【０２４６】
下記の＜表１４１＞は、上記したノード＜ｘ＞／ＩＰＤＣ／ＥＳＧ／をより詳細に示す。
【表１４１】
0005394406.tif 000142
【０２４７】
下記の＜表１４２＞は、上記したノード＜ｘ＞／ＩＰＤＣ／ＥＳＧ／ＥＳＧＢｏｏｔｓｔｒａｐＥｎｔｒｙＰｏｉｎｔ／をより詳細に示す。
【表１４２】
0005394406.tif 000143
【０２４８】
＜表１４３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／をより詳細に示す。
【表１４３】
0005394406.tif 000144
【０２４９】
下記の＜表１４４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＧｅｎｅｒａｌＥＳＧＥｎｔｒｙＰｏｉｎｔ／をより詳細に示す。
【表１４４】
0005394406.tif 000145
【０２５０】
下記の＜表１４５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＧｅｎｅｒａｌＥＳＧＢｏｏｔｓｔｒａｐＥｎｔｒｙＰｏｉｎｔ／＜ｘ＞をより詳細に示す。
【表１４５】
0005394406.tif 000146
【０２５１】
＜表１４６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＧｅｎｅｒａｌＥＳＧＥｎｔｒｙＰｏｉｎｔ／＜ｘ＞／ＧｅｎＥＳＧＢｏｏｔｓｔｒａｐＥｎｔｒｙＰｏｉｎｔＵＲＬ／をより詳細に示す。
【表１４６】
0005394406.tif 000147
【０２５２】
下記の＜表１４７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／をより詳細に示す。
【表１４７】
0005394406.tif 000148
【０２５３】
下記の＜表１４８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＢｏｏｔｓｔｒａｐＥｎｔｒｙＰｏｉｎｔ／＜ｘ＞をより詳細に示す。
【表１４８】
0005394406.tif 000149
【０２５４】
下記の＜表１４９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／＜ｘ＞／ＩＰＤＣＫＭＳＩＤ／をより詳細に示す。
【表１４９】
0005394406.tif 000150
【０２５５】
下記の＜表１５０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／＜ｘ＞／ＩＰＤＣＫＭＳＩＤ／ＩＰＤＣＯｐｅｒａｔｏｒＩＤ／をより詳細に示す。
【表１５０】
0005394406.tif 000151
【０２５６】
下記の＜表１５１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＩＰＤＣＥＳＧＥｎｔｒｙＰｏｉｎｔ／＜ｘ＞／ＩＰＤＣＫＭＳＩＤ／ＩＰＤＣＯｐｅｒａｔｏｒＩＤ／ＩＰＤＣＥＳＧＥｎｔｒｙＰｏｉｎｔＵＲＬ／をより詳細に示す。
【表１５１】
0005394406.tif 000152
【０２５７】
下記の＜表１５２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／をより詳細に示す。
【表１５２】
0005394406.tif 000153
【０２５８】
＜表１５３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／＜ｘ＞をより詳細に示す。
【表１５３】
0005394406.tif 000154
【０２５９】
下記の＜表１５４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／＜ｘ＞／ＡｒｅａＰａｒａｍｅｔｅｒ／をより詳細に示す。
【表１５４】
0005394406.tif 000155
【０２６０】
下記の＜表１５５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＡｒｅａＥＳＧＥｎｔｒｙＰｏｉｎｔ／＜ｘ＞／ＡｒｅａＰａｒａｍｅｔｅｒ／ＡｒｅａＥＳＧＢｏｏｔｓｔｒａｐＥｎｔｒｙＰｏｉｎｔＵＲＬ／をより詳細に示す。
【表１５５】
0005394406.tif 000156
【０２６１】
＜表１５６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／をより詳細に示す。
【表１５６】
0005394406.tif 000157
【０２６２】
下記の＜表１５７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／＜ｘ＞をより詳細に示す。
【表１５７】
0005394406.tif 000158
【０２６３】
＜表１５８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／＜ｘ＞／ＮｅｔｗｏｒｋＩｎｆｏ／をより詳細に示す。
【表１５８】
0005394406.tif 000159
【０２６４】
＜表１５９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＮｅｔｗｏｒｋＥＳＧＥｎｔｒｙＰｏｉｎｔ／＜ｘ＞／ＮｅｔｗｏｒｋＩｎｆｏ／ＮｅｔｗｏｒｋＥＳＧＢｏｏｔｓｔｒａｐＥｎｔｒｙＰｏｉｎｔＵＲＬ／をより詳細に示す。
【表１５９】
0005394406.tif 000160
【０２６５】
下記の＜表１６０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／をより詳細に示す。
【表１６０】
0005394406.tif 000161
【０２６６】
下記の＜表１６１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／＜ｘ＞をより詳細に示す。
【表１６１】
0005394406.tif 000162
【０２６７】
下記の＜表１６２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／＜ｘ＞／ＥＳＧＰｒｏｖｉｄｅｒＵＲＩ／をより詳細に示す。
【表１６２】
0005394406.tif 000163
【０２６８】
＜表１６３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｒｏｖｉｄｅｒＥＳＧＥｎｔｒｙＰｏｉｎｔ／＜ｘ＞／ＥＳＧＰｒｏｖｉｄｅｒＵＲＩ／ＰｒｏｖｉｄｅｒＥＳＧＢｏｏｔｓｔｒａｐＥｎｔｒｙＰｏｉｎｔＵＲＬ／をより詳細に示す。
【表１６３】
0005394406.tif 000164
【０２６９】
下記の＜表１６４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／を更に詳細に示す。
【表１６４】
0005394406.tif 000165
【０２７０】
下記の＜表１６５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／＜ｘ＞をより詳細に示す。
【表１６５】
0005394406.tif 000166
【０２７１】
＜表１６６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／＜ｘ＞／ＥＳＧＵＲＩ／を詳細に示す。
【表１６６】
0005394406.tif 000167
【０２７２】
下記の＜表１６７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＥＳＧＩｄｅｎＥＳＧＥｎｔｒｙＰｏｉｎｔ／＜ｘ＞／ＥＳＧＵＲＩ／ＥＳＧＩｄｅｎＥＳＧＢｏｏｔｓｔｒａｐＥｎｔｒｙＰｏｉｎｔＵＲＬ／をより詳細に示す。
【表１６７】
0005394406.tif 000168
【０２７３】
＜表１６８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／をより詳細に示す。
【表１６８】
0005394406.tif 000169
【０２７４】
＜表１６９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／＜ｘ＞をより詳細に示す。
【表１６９】
0005394406.tif 000170
【０２７５】
下記の＜表１７０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／＜ｘ＞／ＩＰＰｌａｔｆｏｒｍＩＤ／をより詳細に示す。
【表１７０】
0005394406.tif 000171
【０２７６】
下記の＜表１７１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＰｌａｔｆｏｒｍＥＳＧＥｎｔｒｙＰｏｉｎｔ／＜ｘ＞／ＩＰＰｌａｔｆｏｒｍＩＤ／ＰｌａｔｆｏｒｍＥＳＧＢｏｏｔｓｔｒａｐＥｎｔｒｙＰｏｉｎｔＵＲＬ／をより詳細に示す。
【表１７１】
0005394406.tif 000172
【０２７７】
下記の＜表１７２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／をより詳細に示す。
【表１７２】
0005394406.tif 000173
【０２７８】
＜表１７３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞をより詳細に示す。
【表１７３】
0005394406.tif 000174
【０２７９】
下記の＜表１７４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＩＰＤＣＫＭＳＩＤ／をより詳細に示す。
【表１７４】
0005394406.tif 000175
【０２８０】
下記の＜表１７５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＩＰＤＣＫＭＳＩＤ／ＬｏｃａｌＩＰＤＣＯｐｅｒａｔｏｒＩＤ／をより詳細に示す。
【表１７５】
0005394406.tif 000176
【０２８１】
＜表１７６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＰａｒｔｎｅｒ／をより詳細に示す。
【表１７６】
0005394406.tif 000177
【０２８２】
下記の＜表１７７＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＰａｒｔｎｅｒ／＜ｘ＞をより詳細に示す。
【表１７７】
0005394406.tif 000178
【０２８３】
＜表１７８＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＰａｒｔｎｅｒ／＜ｘ＞ＬｏｃａｌＩＰＤＣＫＭＳＩＤ／をより詳細に示す。
【表１７８】
0005394406.tif 000179
【０２８４】
＜表１７９＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＰａｒｔｎｅｒ／＜ｘ＞ＬｏｃａｌＩＰＤＣＫＭＳＩＤ／ＬｏｃａｌＩＰＤＣＯｐｅｒａｔｏｒＩＤ／をより詳細に示す。
【表１７９】
0005394406.tif 000180
【０２８５】
下記の＜表１８０＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＲｏａｍｉｎｇＥＳＧＥｎｔｒｙＰｏｉｎｔ／＜ｘ＞／ＲｏａｍｉｎｇＰａｒｔｎｅｒ／＜ｘ＞ＲｏａｍｉｎｇＥＳＧＢｏｏｔｓｔｒａｐＥｎｔｒｙＰｏｉｎｔＵＲＬ／をより詳細に示す。
【表１８０】
0005394406.tif 000181
【０２８６】
下記の＜表１８１＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／をより詳細に示す。
【表１８１】
0005394406.tif 000182
【０２８７】
下記の＜表１８２＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／＜ｘ＞をより詳細に示す。
【表１８２】
0005394406.tif 000183
【０２８８】
＜表１８３＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／＜ｘ＞／ＩＰＤＣＫＭＳＩＤ／をより詳細に示す。
【表１８３】
0005394406.tif 000184
【０２８９】
下記の＜表１８４＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ＫＭＳＥＳＧＥｎｔｒｙＰｏｉｎｔ／＜ｘ＞／ＩＰＤＣＫＭＳＩＤ／ＫＭＳＥＳＧＢｏｏｔｓｔｒａｐＥｎｔｒｙＰｏｉｎｔＵＲＬ／をより詳細に示す。
【表１８４】
0005394406.tif 000185
【０２９０】
下記の＜表１８５＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／ｔｕｎｉｎｇｐａｒａｍｅｔｅｒｓ／をより詳細に示す。
【表１８５】
0005394406.tif 000186
【０２９１】
＜表１８６＞は、上記したノード＜ｘ＞／ＩＰＤＣ／ＥＳＧ／ＥＳＧＢｏｏｔｓｔｒａｐＥｎｔｒｙＰｏｉｎｔ／＜ｘ＞／Ｅｘｔをより詳細に示す。
【表１８６】
0005394406.tif 000187
【０２９２】
＜５．第５のＯＭＡ  ＤＭメカニズム＞
図２１は、本発明の第８の実施形態による第５のＯＭＡ  ＤＭメカニズムのＭＯを示す。
【０２９３】
図２１を参照すると、Ｘフィールド１２０１、２１０５、２１０９、２１１５、２１１９、２１２７、２１３５、２１４１、２１４７、２１５３、２１５９、２１６５はプレースホルダとしての役割をするノードであり、ＩＰＤＣフィールド２１０３はＩＰＤＣ端末のためのノードであり、ＥＳＧＢｏｏｔｓｔｒａｐＥｎｔｒｙＰｏｉｎｔフィールド２１０７はＥＳＧブートストラップ関連情報を搬送するノードであり、ＥＳＧＢｏｏｔｓｔｒａｐＥｎｔｒｙＰｏｉｎｔＵＲＬフィールド２１１１は双方向ネットワークを通じてＥＳＧブートストラップ情報を要求するためのエントリポイントＵＲＬを示すノードであり、ＥｎｔｒｙＰｏｉｎｔＡｔｔｒｉフィールド２１１３はエントリポイントに対する特性情報を搬送するノードであり、Ｏｐｅｒａｔｏｒフィールド２１１７はオペレータ情報を搬送するノードであり、ＬｏｃａｌＩＰＤＣＫＭＳＩＤフィールド２１２１はＩＰＤＣＫＭＳＩＤを有するローカル端末のためのノードであり、ＬｏｃａｌＩＰＤＣＯｐｅｒａｔｏｒＩＤフィールド２１２３はＩＰＤＣＯｐｅｒａｔｏｒＩＤを有するローカル端末のためのノードであり、ＲｏａｍｉｎｇＰａｒｔｎｅｒフィールド２１２５はローカルＩＰＤＣ  ＫＭＳシステム及びＩＰＤＣオペレータのためのローミングパートナー関連情報を搬送するノードで、ＲｏａｍｉｎｇＩＰＤＣＫＭＳＩＤフィールド２１２９はＩＰＤＣＫＭＳＩＤを有するローミング端末のためのノードであり、ＲｏａｍｉｎｇＩＰＤＣＯｐｅｒａｔｏｒＩＤフィールド２１３１はＩＰＤＣＯｐｅｒａｔｏｒＩＤを有するローミング端末のためのノードであり、ＩＰＰｌａｔｆｏｒｍフィールド２１３３はＩＰプラットフォーム関連情報を搬送するノードであり、ＩＰＰｌａｔｆｏｒｍＩＤフィールド２１３７はＩＰプラットフォームインジケータ（ＩＤ）を搬送するノードであり、ＥＳＧＰｒｏｖｉｄｅｒフィールド２１３９はＥＳＧプロバイダ関連情報を搬送するノードであり、ＥＳＧＰｒｏｖｉｄｅｒＵＲＩフィールド２１４３はＥＳＧプロバイダを識別するＵＲＩを搬送するノードであり、ＥＳＧフィールド２１４５はＥＳＧ関連情報を搬送するノードであり、ＥＳＧＵＲＩフィールド２１４９はＥＳＧブートストラップ内で探すことができるＥＳＧＵＲＩを示すノードであり、ＡｒｅａＰａｒａｍｅｔｅｒｓフィールド２１５１は領域関連パラメータを搬送するノードであり、ＡｒｅａＰａｒａｍｅｔｅｒフィールド２１５５はネットワークＩＤ、セルＩＤ、ＭＣＣ、ＭＮＣ、ＧＰＳ、国家コード等のような領域関連パラメータを搬送するノードであり、ＮｅｔｗｏｒｋＩｎｆｏｓフィールド２１５７はネットワーク関連情報を搬送するノードであり、ＮｅｔｗｏｒｋＩｎｆｏフィールド２１６１はネットワークタイプ（衛星、地上、双方向ネットワークなど）及びネットワークＩＤのようなネットワーク関連パラメータを搬送するノードであり、Ｔｕｎｉｎｇｐａｒａｍｅｔｅｒｓフィールド２１６３は関連したチューニング関連情報を搬送するノードでありＴｕｎｉｎｇｐａｒａｍｅｔｅｒフィールド２１６７は関連したチューニングパラメータを搬送するノードであり、Ｅｘｔフィールド２１６９又は２１７１は追加又は拡張用ノードである。���こで、チューニングパラメータは周波数、デコード、電力等のように端末のチューニングに使用されるパラメータである。
【０２９４】
下記の＜表１８７＞は、上記したノード＜ｘ＞をより詳細に示す。
【表１８７】
0005394406.tif 000188
【０２９５】
＜表１８８＞は、上記したノード＜ｘ＞／ＩＰＤＣ／をより詳細に示す。
【表１８８】
0005394406.tif 000189
【０２９６】
＜表１８９＞は、上記したノード＜ｘ＞／ＩＰＤＣ／＜ｘ＞をより詳細に示す。
【表１８９】
0005394406.tif 000190
【０２９７】
下記の＜表１９０＞は、上記したノード＜ｘ＞／ＩＰＤＣ／＜ｘ＞／ＥＳＧＢｏｏｔｓｔｒａｐＥｎｔｒｙＰｏｉｎｔ／をより詳細に示す。
【表１９０】
0005394406.tif 000191
【０２９８】
下記の＜表１９１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞をより詳細に示す。
【表１９１】
0005394406.tif 000192
【０２９９】
下記の＜表１９２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥＳＧＢｏｏｔｓｔｒａｐＥｎｔｒｙＰｏｉｎｔＵＲＬ／を更に詳細に示す。
【表１９２】
0005394406.tif 000193
【０３００】
＜表１９３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／をより詳細に示す。
【表１９３】
0005394406.tif 000194
【０３０１】
下記の＜表１９４＞は、上記したノード＜ｘ＞／ＩＰＤＣ／＜ｘ＞／ＥＳＧＢｏｏｔｓｔｒａｐＥｎｔｒｙＰｏｉｎｔ／ＥｎｔｒｙＰｏｉｎｔＡｔｔｒｉ／＜ｘ＞をより詳細に示す。
【表１９４】
0005394406.tif 000195
【０３０２】
下記の＜表１９５＞は、上記したノード＜ｘ＞／ＩＰＤＣ／＜ｘ＞／ＥＳＧＢｏｏｔｓｔｒａｐＥｎｔｒｙＰｏｉｎｔ／ＥｎｔｒｙＰｏｉｎｔＡｔｔｒｉ／＜ｘ＞／Ｏｐｅｒａｔｏｒ／を詳細に示す。
【表１９５】
0005394406.tif 000196
【０３０３】
＜表１９６＞は、上記したノード＜ｘ＞／ＩＰＤＣ／＜ｘ＞／ＥＳＧＢｏｏｔｓｔｒａｐＥｎｔｒｙＰｏｉｎｔ／ＥｎｔｒｙＰｏｉｎｔＡｔｔｒｉ／＜ｘ＞／Ｏｐｅｒａｔｏｒ／＜ｘ＞をより詳細に示す。
【表１９６】
0005394406.tif 000197
【０３０４】
下記の＜表１９７＞は、上記したノード＜ｘ＞／ＩＰＤＣ／＜ｘ＞／ＥＳＧＢｏｏｔｓｔｒａｐＥｎｔｒｙＰｏｉｎｔ／Ｏｐｅｒａｔｏｒ／＜ｘ＞／ＬｏｃａｌＩＰＤＣＫＭＳＩＤ／をより詳細に示す。
【表１９７】
0005394406.tif 000198
【０３０５】
＜表１９８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｏｐｅｒａｔｏｒ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表１９８】
0005394406.tif 000199
【０３０６】
＜表１９９＞は、上記したノード＜ｘ＞／ＩＰＤＣ／＜ｘ＞／ＥＳＧＢｏｏｔｓｔｒａｐＥｎｔｒｙＰｏｉｎｔ／ＥｎｔｒｙＰｏｉｎｔＡｔｔｒｉ／＜ｘ＞／Ｏｐｅｒａｔｏｒ／＜ｘ＞ＲｏａｍｉｎｇＰａｒｔｎｅｒ／をより詳細に示す。
【表１９９】
0005394406.tif 000200
【０３０７】
下記の＜表２００＞は、上記したノード＜ｘ＞／ＩＰＤＣ／＜ｘ＞／ＥＳＧＢｏｏｔｓｔｒａｐＥｎｔｒｙＰｏｉｎｔ／ＥｎｔｒｙＰｏｉｎｔＡｔｔｒｉ／＜ｘ＞／Ｏｐｅｒａｔｏｒ／＜ｘ＞ＲｏａｍｉｎｇＰａｒｔｎｅｒ／＜ｘ＞をより詳細に示す。
【表２００】
0005394406.tif 000201
【０３０８】
下記の＜表２０１＞は、上記したノード＜ｘ＞／ＩＰＤＣ／＜ｘ＞／ＥＳＧＢｏｏｔｓｔｒａｐＥｎｔｒｙＰｏｉｎｔ／ＥｎｔｒｙＰｏｉｎｔＡｔｔｒｉ／＜ｘ＞／Ｏｐｅｒａｔｏｒ／＜ｘ＞ＲｏａｍｉｎｇＰａｒｔｎｅｒ／＜ｘ＞／ＲｏａｍｉｎｇＩＰＤＣＫＭＳＩＤ／を更に詳細に示す。
【表２０１】
0005394406.tif 000202
【０３０９】
下記の＜表２０２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｏｐｅｒａｔｏｒ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表２０２】
0005394406.tif 000203
【０３１０】
＜表２０３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／をより詳細に示す。
【表２０３】
0005394406.tif 000204
【０３１１】
下記の＜表２０４＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞をより詳細に示す。
【表２０４】
0005394406.tif 000205
【０３１２】
下記の＜表２０５＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍＩＤ／をより詳細に示す。
【表２０５】
0005394406.tif 000206
【０３１３】
＜表２０６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／をより詳細に示す。
【表２０６】
0005394406.tif 000207
【０３１４】
下記の＜表２０７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞をより詳細に示す。
【表２０７】
0005394406.tif 000208
【０３１５】
＜表２０８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞／ＥＳＧＰｒｏｖｉｄｅｒＵＲＩ／をより詳細に示す。
【表２０８】
0005394406.tif 000209
【０３１６】
＜表２０９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／をより詳細に示す。
【表２０９】
0005394406.tif 000210
【０３１７】
下記の＜表２１０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞をより詳細に示す。
【表２１０】
0005394406.tif 000211
【０３１８】
下記の＜表２１１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞／ＥＳＧＵＲＩ／をより詳細に示す。
【表２１１】
0005394406.tif 000212
【０３１９】
下記の＜表２１２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／をより詳細に示す。
【表２１２】
0005394406.tif 000213
【０３２０】
＜表２１３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞をより詳細に示す。
【表２１３】
0005394406.tif 000214
【０３２１】
下記の＜表２１４＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞／ＡｒｅａＰａｒａｍｅｔｅｒ／をより詳細に示す。
【表２１４】
0005394406.tif 000215
【０３２２】
下記の＜表２１５＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／をより詳細に示す。
【表２１５】
0005394406.tif 000216
【０３２３】
＜表２１６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞を詳細に示す。
【表２１６】
0005394406.tif 000217
【０３２４】
下記の＜表２１７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞／ＮｅｔｗｏｒｋＩｎｆｏ／をより詳細に示す。
【表２１７】
0005394406.tif 000218
【０３２５】
＜表２１８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／をより詳細に示す。
【表２１８】
0005394406.tif 000219
【０３２６】
＜表２１９＞は、上記ノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞をより詳細に示す。
【表２１９】
0005394406.tif 000220
【０３２７】
下記の＜表２２０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞／Ｔｕｎｉｎｇｐａｒａｍｅｔｅｒ／をより詳細に示す。
【表２２０】
0005394406.tif 000221
【０３２８】
下記の＜表２２１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｅｘｔ／をより詳細に示す。
【表２２１】
0005394406.tif 000222
【０３２９】
下記の＜表２２２＞は、上記したノード＜ｘ＞／ＩＰＤＣ／＜ｘ＞／Ｅｘｔを詳細に示す。
【表２２２】
0005394406.tif 000223
【０３３０】
本発明の第８の実施形態による第５のＯＭＡ  ＤＭメカニズムでは、各ＥＳＧブートストラップエントリポイントの属性を提供する。従って、ローカル端末は、ホームオペレータのためのＥＳＧブートストラップエントリポイントを選択でき、ローミング端末はホームＤＭサーバ又はローカルＤＭサーバからＭＯ情報を受信することができる。更に、端末は、ＲｏａｍｉｎｇＩＰＤＣＫＭＳＩＤとＲｏａｍｉｎｇＩＰＤＣＯｐｅｒａｔｏｒＩＤからホームオペレータ情報を検索できる。端末がホームオペレータ情報を探す場合、関連したエントリポイントは、端末のためのブートストラップ情報を有する。
【０３３１】
＜６．第６．１のＯＭＡ  ＤＭメカニズム＞
本発明の第８の実施形態による第６．１のＯＭＡ  ＤＭメカニズムは、上述した実施形態を考慮すると、ＩＰプラットフォームに対する一つのＥＳＧブートストラップに関するものである。即ち、図２２に示すように本発明の第８の実施形態による第６．１のＯＭＡ  ＤＭメカニズムは、各ＩＰプラットフォームが一つの対応するＥＳＧＢｏｏｔｓｔｒａｐＥｎｔｒｙＰｏｉｎｔＵＲＬを有する場合に関するものである。
【０３３２】
図２２は、本発明の第８の実施形態による第６．１のＯＭＡ  ＤＭメカニズムのＭＯを示す。
【０３３３】
図２２において、参照符号２２０１〜２２２３によって表されたフィールドは、上記本発明の実施形態で述べたように実質的に同一の動作を遂行するノードである。
【０３３４】
＜７．第６．２のＯＭＡ  ＤＭメカニズム＞
本発明の第８の実施形態による第６．２のＯＭＡ  ＤＭメカニズムでは、各ＩＰＤＣオペレータに対するＥＳＧブートスクラップエントリポイントが提供される。即ち、図２３に示すように第８の実施形態による第６．２のＯＭＡ  ＤＭメカニズムのＭＯにおいて、各ＩＰプラットフォームは、一つの対応するＥＳＧＢｏｏｔｓｔｒａｐＥｎｔｒｙＰｏｉｎｔＵＲＬを有する。
【０３３５】
図２３は、本発明の第８の実施形態による第６．２のＯＭＡ  ＤＭメカニズムのＭＯを示す。
【０３３６】
図２３において、参照符号２３０１〜２３２５によって表されたフィールドは、上記本発明の実施形態で述べたように実質的に同一の動作を遂行するノードである。
【０３３７】
＜８．第６．３のＯＭＡ  ＤＭメカニズム＞
本発明の第８の実施形態による第６．３のＯＭＡ  ＤＭメカニズムにおいて、各ＩＰプラットフォームは、各ＩＰＤＣオペレータに対するＥＳＧブートスクラップエントリポイントを提供する。即ち、図２４に示すように第８の実施形態による第６．３のＯＭＡ  ＤＭメカニズムにおいて、各ＩＰプラットフォームは、各ＩＰオペレータに対して一つのＥＳＧＢｏｏｔｓｔｒａｐＥｎｔｒｙＰｏｉｎｔＵＲＬを有する。
【０３３８】
図２４は、本発明の第８の実施形態による第６．３のＯＭＡ  ＤＭメカニズムのＭＯを示す。
【０３３９】
図２４において、参照符号２４０１〜２４２９によって表されたフィールドは、上記本発明の実施形態で述べたように実質的に同一の動作を遂行するノードである。
【０３４０】
以下、図２５〜図２６Ｄを参照して本発明の第８の実施形態によるＤＭサーバ及び端末の動作について説明する。
【０３４１】
図２５は、本発明の第８の実施形態によるＤＭサーバの動作を示す。
【０３４２】
図２５を参照すると、ＤＭサーバは、ステップ２５０１で端末と通信を確立し、ステップ２５０３で、端末の要求に応じてＥＳＧブートストラップエントリポイント情報を端末に送信する。
【０３４３】
図２６Ａ〜図２６Ｄは、本発明の第８の実施形態による端末の動作を示す。
【０３４４】
図２６Ａを参照すると、端末は、ステップ２６０１でターンオン（ｔｕｒｎ  ｏｎ）され、ステップ２６０３でＤＭサーバにアクセスする。その後、ステップ２６０５で、端末は、通信が確立された後に、ＤＭサーバからＥＳＧブートストラップエントリポイント情報を受信する。
【０３４５】
ＥＳＧブートストラップエントリポイント情報を受信した後、端末は、図２６Ｂ〜図２６Ｄに示すように、所望するブートストラップに対する要件によって予想されるエントリポイントを検索でき、例えば端末のホームＩＰＤＣＫＭＳＩＤ及びＩＰＤＣＯｐｅｒａｔｏｒＩＤに関連したエントリポイント、ネットワークに関連したエントリポイント、ＥＳＧに関連したエントリポイント、及びローミングユーザーに関連したエントリポイントを含む。
【０３４６】
即ち、ステップ２６０７で、端末は、一般的なブートストラップを所望する場合、ＭＯで一般的なＥＳＧブートストラップエントリポイントを決定する。その後、端末は、ステップ２６０９で、決定されたＥＳＧブートストラップエントリポイントから一般的なＥＳＧブートストラップエントリポイントを選択し、ステップ２６１１で選択されたＥＳＧブートストラップエントリポイントからＥＳＧブートストラップ情報を要求する。その後、ステップ２６１３で、端末は、要求されたＥＳＧブートストラップ情報を受信してＥＳＧを選択する。
【０３４７】
一方、ステップ２６１５で、端末は、端末のＩＰＤＣ  ＫＭＳ及びＩＰＤＣオペレータに関連したブートストラップを所望する場合、ＭＯで端末のＩＰＤＣ  ＫＭＳ及びＩＰＤＣオペレータのためのＥＳＧブートストラップエントリポイントを決定する。その後、端末は、ステップ２６１７で、決定されたＥＳＧブートストラップエントリポイントを通じて端末のＩＰＤＣ  ＫＭＳ及びＩＰＤＣオペレータのためのＥＳＧブートストラップエントリポイントを選択し、ステップ２６１９で選択されたＥＳＧブートストラップエントリポイントからＥＳＧブートストラップ情報を要求する。その後、ステップ２６２１で、端末は、要求されたＥＳＧブートストラップ情報を受信してＥＳＧを選択する。
【０３４８】
ステップ２６２３で、端末は、端末の位置でブートストラップを所望する場合、ＭＯで特定領域に対するＥＳＧブートストラップエントリポイントを決定する。その後、端末は、ステップ２６２５で決定されたＥＳＧブートストラップエントリポイントを通じて特定領域に対するＥＳＧブートストラップエントリポイントを選択し、ステップ２６２７で、選択されたＥＳＧブートストラップエントリポイントからＥＳＧブートストラップ情報を要求する。その後、ステップ２６２９で、端末は、要求されたＥＳＧブートストラップ情報を受信してＥＳＧを選択する。
【０３４９】
ステップ２６３１で、端末は、端末のネットワークを通じてブートストラップを所望する場合、ＭＯで端末のネットワークに対するＥＳＧブートストラップエントリポイントを決定する。その後、端末は、ステップ２６３３で、決定されたＥＳＧブートストラップエントリポイントを通じてＥＳＧブートストラップエントリポイントを選択し、ステップ２６３５で選択されたＥＳＧブートストラップエントリポイントからＥＳＧブートストラップ情報を要求する。その後、端末は、ステップ２６３７で要求されたＥＳＧブートストラップ情報を受信してＥＳＧを選択する。
【０３５０】
ステップ２６３９で、端末は、ＥＳＧに関係したブートストラップを所望する場合、ＭＯでＥＳＧＵＲＩのためのＥＳＧブートストラップエントリポイントを決定する。その後、端末は、ステップ２６４１で、決定されたＥＳＧブートストラップエントリポイントを通じてＥＳＧブートストラップエントリポイントを選択し、ステップ２６４３で選択されたＥＳＧブートストラップエントリポイントからＥＳＧブートストラップ情報を要求する。その後、ステップ２６４５で、端末は、要求されたＥＳＧブートストラップ情報を受信してＥＳＧを選択する。
【０３５１】
ステップ２６４７で、端末は、ローミング端末がローミングユーザーのために適切なブートストラップを所望する場合、ＭＯでローミングユーザーのためのＥＳＧブートストラップエントリポイントを決定する。その後、端末は、ステップ２６４９で決定されたＥＳＧブートストラップエントリポイントを通じてローミングユーザーのためのＥＳＧブートストラップエントリポイントを選択し、ステップ２６５１で選択されたＥＳＧブートストラップエントリポイントからＥＳＧブートストラップ情報を要求する。その後、ステップ２６５３で、端末は、要求されたＥＳＧブートストラップ情報を受信してＥＳＧを選択する。
【０３５２】
ステップ２６５５で、端末は、選択されたＥＳＧを通じてアクセスするサービスを選択し、その選択されたサービスにアクセス又は加入する。
【０３５３】
≪第９の実施形態によるＯＭＡ  ＤＭメカニズム≫
本発明の第９の実施形態によるＯＭＡ  ＤＭメカニズムでは、それぞれのホーム（ローカル）端末に対して、外部ネットワークでのローミング端末（自身）のローミングパートナーに関する情報を予め提供する方案を提供する。ＥＳＧブートストラップエントリポイントが知られている場合、サーバは、ローミング端末のローミングパートナーに対する情報を予め提供することができる。このとき、端末は、端末のホームネットワークで多くのローミング情報を予め有し、外部領域に移動する場合にこのローミング情報を使用する。
【０３５４】
＜１．第１のＯＭＡ  ＤＭメカニズム＞
図２７は、本発明の第９の実施形態による第１のＯＭＡ  ＤＭメカニズムのＭＯを示す。
【０３５５】
図２７を参照すると、Ｘフィールド２７０１、２７０５、２７１３はプレースホルダの役割をするノードであり、ＩＰＤＣフィールド２７０３はＩＰＤＣ端末のためのノードであり、ＬｏｃａｌＩＰＤＣＫＭＳＩＤフィールド２７０７はＩＰＤＣＫＭＳＩＤを有するローカル端末のためのノードであり、ＬｏｃａｌＩＰＤＣＯｐｅｒａｔｏｒＩＤフィールド２７０９はＩＰＤＣＯｐｅｒａｔｏｒＩＤを有するローカル端末のためのノードである。また、ＲｏａｍｉｎｇＰａｒｔｎｅｒＯｕｔｓｉｄｅフィールド２７１１はホームカバレッジの外部領域でローカルＩＰＤＣ  ＫＭＳシステム及びＩＰＤＣオペレータのためのローミングパートナー関連情報を搬送するノードであり、ＯｕｔｓｉｄｅＲｏａｍｉｎｇＩＰＤＣＫＭＳＩＤフィールド２７１５はローカル端末のためのこのＩＰＤＣＫＭＳＩＤを有するローミングＩＰＤＣ  ＫＭＳシステムを搬送するノードであり、且つホーム（ローカル）ＩＰＤＣ  ＫＭＳシステム及びオペレータとローミング協定を結んでいるＩＰＤＣ  ＫＭＳシステムを示し、ＯｕｔｓｉｄｅＲｏａｍｉｎｇＩＰＤＣＯｐｅｒａｔｏｒＩＤフィールド２７１７はローカル端末のためのＩＰＤＣＯｐｅｒａｔｏｒＩＤを有するローミングＩＰＤＣオペレータを搬送するノードであり、且つホーム（ローカル）ＩＰＤＣオペレータとローミング協定がなされているＩＰＤＣオペレータを示し、ＥＳＧフィールド２７１９はＥＳＧ関連情報を搬送するノードであり、ＥＳＧＢｏｏｔｓｔｒａｐＥｎｔｒｙＰｏｉｎｔＵＲＬフィールド２７２１は双方向ネットワークを通じてＥＳＧブートストラップ情報を要求するためのＥＳＧブートストラップエントリポイントであるＵＲＬを示すノードである。
【０３５６】
下記の＜表２２３＞は、上記したノード＜ｘ＞をより詳細に示す。
【表２２３】
0005394406.tif 000224
【０３５７】
＜表２２４＞は、上記したノード＜ｘ＞／ＩＰＤＣ／をより詳細に示す。
【表２２４】
0005394406.tif 000225
【０３５８】
＜表２２５＞は、上記したノード＜ｘ＞／ＩＰＤＣ／＜ｘ＞を詳細に示す。
【表２２５】
0005394406.tif 000226
【０３５９】
下記の＜表２２６＞は、上記したノード＜ｘ＞／ＩＰＤＣ／＜ｘ＞／ＬｏｃａｌＩＰＤＣＫＭＳＩＤ／を詳細に示す。
【表２２６】
0005394406.tif 000227
【０３６０】
下記の＜表２２７＞は、上記したノード＜ｘ＞／ＩＰＤＣ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表２２７】
0005394406.tif 000228
【０３６１】
下記の＜表２２８＞は、上記したノード＜ｘ＞／ＩＰＤＣ／＜ｘ＞／ＲｏａｍｉｎｇＰａｒｔｎｅｒＯｕｔｓｉｄｅ／をより詳細に示す。
【表２２８】
0005394406.tif 000229
【０３６２】
＜表２２９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞をより詳細に示す。
【表２２９】
0005394406.tif 000230
【０３６３】
下記の＜表２３０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／をより詳細に示す。
【表２３０】
0005394406.tif 000231
【０３６４】
下記の＜表２３１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／ＯｕｔｓｉｄｅＲｏａｍｉｎｇＩＰＤＣＯｐｅｒａｔｏｒＩＤ／を更に詳細に示す。
【表２３１】
0005394406.tif 000232
【０３６５】
＜表２３２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧ／をより詳細に示す。
【表２３２】
0005394406.tif 000233
【０３６６】
下記の＜表２３３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧ／ＥＳＧＢｏｏｔｓｔｒａｐＥｎｔｒｙＰｏｉｎｔＵＲＬ／をより詳細に示す。
【表２３３】
0005394406.tif 000234
【０３６７】
＜２．第２のＯＭＡ  ＤＭメカニズム＞
本発明の第９の実施形態による第２のＯＭＡ  ＤＭメカニズムは、外部カバレッジに関する更に詳細な情報を示すことができる方式を提供する。
【０３６８】
図２８は、本発明の第９の実施形態による第２のＯＭＡ  ＤＭメカニズムのＭＯを示す。
【０３６９】
図２８を参照すると、Ｘフィールド２８０１、２８０５、２８１３はプレースホルダの役割をするノードであり、ＩＰＤＣフィールド２８０３はＩＰＤＣ端末のためのノードであり、ＬｏｃａｌＩＰＤＣＫＭＳＩＤフィールド２８０７はＩＰＤＣＫＭＳＩＤを有するローカル端末のためのノードであり、ＬｏｃａｌＩＰＤＣＯｐｅｒａｔｏｒＩＤフィールド２８０９はＩＰＤＣＯｐｅｒａｔｏｒＩＤを有するローカル端末のためのノードである。また、ＲｏａｍｉｎｇＰａｒｔｎｅｒＯｕｔｓｉｄｅフィールド２８１１はホームカバレッジの外部領域でローカルＩＰＤＣ  ＫＭＳシステム及びＩＰＤＣオペレータのためのローミングパートナー関連情報を搬送するノードであり、ＯｕｔｓｉｄｅＲｏａｍｉｎｇＩＰＤＣＫＭＳＩＤフィールド２８１５はローカル端末のためのこのＩＰＤＣＫＭＳＩＤを有するローミングＩＰＤＣ  ＫＭＳシステムを搬送するノードであり、且つホーム（ローカル）ＩＰＤＣ  ＫＭＳシステム及びオペレータとローミング協定を結んでいるＩＰＤＣ  ＫＭＳシステムを示し、ＯｕｔｓｉｄｅＲｏａｍｉｎｇＩＰＤＣＯｐｅｒａｔｏｒＩＤフィールド２８１７はローカル端末のためのＩＰＤＣＯｐｅｒａｔｏｒＩＤを有するローミングＩＰＤＣオペレータを搬送するノードであり、且つホーム（ローカル）ＩＰＤＣオペレータとローミング協定がなされているＩＰＤＣオペレータを示し、ＥＳＧフィールド２８１９はＥＳＧ関連情報を搬送するノードであり、ＥＳＧＢｏｏｔｓｔｒａｐＥｎｔｒｙＰｏｉｎｔＵＲＬフィールド２８２１は双方向ネットワークを通じてＥＳＧブートストラップ情報を要求するためのＥＳＧブートストラップエントリポイントであるＵＲＬを示すノードである。更に、ＡｒｅａＰａｒａｍｅｔｅｒフィールド２８２３はネットワークＩＤ、セルＩＤ、ＭＣＣ、ＭＮＣ、ＧＰＳ、国家コードのような領域関連パラメータを搬送するノードであり、ＮｅｔｗｏｒｋＩｎｆｏフィールド２８２５はネットワークタイプ及びネットワークＩＤのようなネットワーク関連パラメータを搬送するノードであり、ＥＳＧＰｒｏｖｉｄｅｒＵＲＩフィールド２８２７はＥＳＧプロバイダ関連情報を搬送するノードであり、ＥＳＧＵＲＩフィールド２８２９はＥＳＧブートストラップ内で探すことができるＥＳＧＵＲＩを示すノードであり、ＩＰＰｌａｔｆｏｒｍＩＤフィールド２８３１はＩＰプラットフォーム関連情報を搬送するノードであり、Ｔｕｎｉｎｇｐａｒａｍｅｔｅｒｓフィールド２８３３は関連チューニングパラメータを搬送するノードであり、Ｅｘｔフィールド２８３５は追加情報のための内部ノードである。
【０３７０】
＜表２３４＞は、上記したノード＜ｘ＞をより詳細に示す。
【表２３４】
0005394406.tif 000235
【０３７１】
＜表２３５＞は、上記したノード＜ｘ＞／ＩＰＤＣ／をより詳細に示す。
【表２３５】
0005394406.tif 000236
【０３７２】
下記の＜表２３６＞は、上記したノード＜ｘ＞／ＩＰＤＣ／＜ｘ＞をより詳細に示す。
【表２３６】
0005394406.tif 000237
【０３７３】
下記の＜表２３７＞は、上記したノード＜ｘ＞／ＩＰＤＣ／＜ｘ＞／ＬｏｃａｌＩＰＤＣＫＭＳＩＤ／をより詳細に示す。
【表２３７】
0005394406.tif 000238
【０３７４】
下記の＜表２３８＞は、上記したノード＜ｘ＞／ＩＰＤＣ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表２３８】
0005394406.tif 000239
【０３７５】
＜表２３９＞は、上記したノード＜ｘ＞／ＩＰＤＣ／＜ｘ＞／ＲｏａｍｉｎｇＰａｒｔｎｅｒＯｕｔｓｉｄｅ／をより詳細に示す。
【表２３９】
0005394406.tif 000240
【０３７６】
下記の＜表２４０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞を更に詳細に示す。
【表２４０】
0005394406.tif 000241
【０３７７】
下記の＜表２４１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／をより詳細に示す。
【表２４１】
0005394406.tif 000242
【０３７８】
＜表２４２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／ＯｕｔｓｉｄｅＲｏａｍｉｎｇＩＰＤＣＯｐｅｒａｔｏｒＩＤ／をより詳細に示す。
【表２４２】
0005394406.tif 000243
【０３７９】
下記の＜表２４３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧ／をより詳細に示す。
【表２４３】
0005394406.tif 000244
【０３８０】
＜表２４４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧ／ＥＳＧＢｏｏｔｓｔｒａｐＥｎｔｒｙＰｏｉｎｔＵＲＬ／をより詳細に示す。
【表２４４】
0005394406.tif 000245
【０３８１】
＜表２４５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＡｒｅａＰａｒａｍｅｔｅｒ／をより詳細に示す。
【表２４５】
0005394406.tif 000246
【０３８２】
下記の＜表２４６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＮｅｔｗｏｒｋＩｎｆｏ／をより詳細に示す。
【表２４６】
0005394406.tif 000247
【０３８３】
下記の＜表２４７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＰｒｏｖｉｄｅｒＵＲＩ／をより詳細に示す。
【表２４７】
0005394406.tif 000248
【０３８４】
下記の＜表２４８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＵＲＩ／をより詳細に示す。
【表２４８】
0005394406.tif 000249
【０３８５】
＜表２４９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＩＰＰｌａｔｆｏｒｍＩＤ／をより詳細に示す。
【表２４９】
0005394406.tif 000250
【０３８６】
下記の＜表２５０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／Ｔｕｎｉｎｇｐａｒａｍｅｔｅｒ／をより詳細に示す。
【表２５０】
0005394406.tif 000251
【０３８７】
下記の＜表２５１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／Ｅｘｔ／をより詳細に示す。
【表２５１】
0005394406.tif 000252
【０３８８】
上述した本発明の第９の実施形態による第２のＯＭＡ  ＤＭメカニズムは、それぞれのローカルＩＰＤＣ  ＫＭＳ及びＩＰＤＣオペレータのためのローミングパートナーが端末に提供されるため、端末は、外部ネットワークにローミングして外部ブートストラップ関連情報にアクセスする場合に自身のローミングパートナーを有する適切なＥＳＧを探すことができる。また、ローミング状況でのブートストラップエントリポイントが提供されると、端末は、ローミング時にこのエントリポイントを用いてブートストラップ情報を要求できる。ローミングＥＳＧが提供されると、端末は、ローミング状況でローミングＥＳＧを探すことができる。上記の表に示したように、他の関連情報が提供されると、端末は、そのローミングパートナー、位置、ネットワークタイプなどに基づいて特定エントリポイントを要求できる。
【０３８９】
＜３．第３のＯＭＡ  ＤＭメカニズム＞
図２９は、本発明の第９の実施形態による第３のＯＭＡ  ＤＭメカニズムのＭＯを示す。
【０３９０】
図２９を参照すると、Ｘフィールド２９０１、２９０５、２９１３、２９２１、２９２７、２９３１、２９３７、２９４３、２９４９、２９５５、２９６１はプレースホルダの役割をするノードであり、ＩＰＤＣフィールド２９０３はＩＰＤＣ端末のためのノードであり、ＬｏｃａｌＩＰＤＣＫＭＳＩＤフィールド２９０７はＩＰＤＣＫＭＳＩＤを有するローカル端末のためのノードであり、ＬｏｃａｌＩＰＤＣＯｐｅｒａｔｏｒＩＤフィールド２９０９はＩＰＤＣＯｐｅｒａｔｏｒＩＤを有するローカル端末のためのノードである。また、ＲｏａｍｉｎｇＰａｒｔｎｅｒＯｕｔｓｉｄｅフィールド２９１１はホームカバレッジの外部領域でローカルＩＰＤＣ  ＫＭＳシステム及びＩＰＤＣオペレータのためのローミングパートナー関連情報を搬送するノードであり、ＯｕｔｓｉｄｅＲｏａｍｉｎｇＩＰＤＣＫＭＳＩＤフィールド２９１５はローカル端末のためのこのＩＰＤＣＫＭＳＩＤを有するローミングＩＰＤＣ  ＫＭＳシステムを搬送するノードであり、且つホーム（ローカル）ＩＰＤＣ  ＫＭＳシステム及びオペレータとローミング協定を結んでいるＩＰＤＣ  ＫＭＳシステムを示し、ＯｕｔｓｉｄｅＲｏａｍｉｎｇＩＰＤＣＯｐｅｒａｔｏｒＩＤフィールド２９１７はローカル端末のためのＩＰＤＣＯｐｅｒａｔｏｒＩＤを有するローミングＩＰＤＣオペレータを搬送するノードであり、且つホーム（ローカル）ＩＰＤＣオペレータとローミング協定がなされているＩＰＤＣオペレータを示す。また、ＥＳＧＢｏｏｔｓｔｒａｐＥｎｔｒｙＰｏｉｎｔフィールド２９１９はＥＳＧブートストラップ関連情報を搬送するノードであり、ＥＳＧＢｏｏｔｓｔｒａｐＥｎｔｒｙＰｏｉｎｔＵＲＬフィールド２９２３は双方向ネットワークを通じてＥＳＧブートストラップ情報を要求するためのエントリポイントＵＲＬを示すノードであり、ＥｎｔｒｙＰｏｉｎｔＡｔｔｒｉフィールド２９２５はエントリポイントの特性情報を搬送するノードであり、ＩＰＰｌａｔｆｏｒｍフィールド２９２９はＩＰプラットフォーム関連情報を搬送するノードであり、ＩＰＰｌａｔｆｏｒｍＩＤフィールド２９３３はＩＰプラットフォーム識別子（ＩＤ）を搬送するノードであり、ＥＳＧＰｒｏｖｉｄｅｒフィールド２９３５はＥＳＧプロバイダ関連情報を搬送するノードであり、ＥＳＧＰｒｏｖｉｄｅｒＵＲＩフィールド２９３９はＥＳＧプロバイダを識別するＵＲＩを搬送するノードであり、ＥＳＧフィールド２９４１はＥＳＧ関連情報を搬送するノードであり、ＥＳＧＵＲＩフィールド２９４５はＥＳＧブートストラップで探すことができるＥＳＧＵＲＩを示すノードであり、ＡｒｅａＰａｒａｍｅｔｅｒｓフィールド２９４７は領域関連パラメータを搬送するノードであり、ＡｒｅａＰａｒａｍｅｔｅｒフィールド２９５１はネットワークＩＤ、セルＩＤ、ＭＣＣ、ＭＮＣ、ＧＰＳ、国家コードのような領域関連パラメータを搬送するノードであり、ＮｅｔｗｏｒｋＩｎｆｏｓフィールド２９５３はネットワーク関連情報を搬送するノードであり、ＮｅｔｗｏｒｋＩｎｆｏフィールド２９５７はネットワークタイプ（衛星、地上、双方向ネットワークなど）及びネットワークＩＤのようなネットワーク関連パラメータ搬送するノードであり���Ｔｕｎｉｎｇｐａｒａｍｅｔｅｒｓフィールド２９５９はチューニング関連情報を搬送するノードであり、Ｔｕｎｉｎｇｐａｒａｍｅｔｅｒフィールド２９６３は関連したチューニングパラメータを搬送するノードであり、Ｅｘｔフィールド２９６５又は２９６７は追加又は拡張のためのノードである。
【０３９１】
＜表２５２＞は、上記したノード＜ｘ＞をより詳細に示す。
【表２５２】
0005394406.tif 000253
【０３９２】
下記の＜表２５３＞は、上記したノード＜ｘ＞／ＩＰＤＣ／をより詳細に示す。
【表２５３】
0005394406.tif 000254
【０３９３】
＜表２５４＞は、上記したノード＜ｘ＞／ＩＰＤＣ／＜ｘ＞をより詳細に示す。
【表２５４】
0005394406.tif 000255
【０３９４】
＜表２５５＞は、上記したノード＜ｘ＞／ＩＰＤＣ／＜ｘ＞／ＬｏｃａｌＩＰＤＣＫＭＳＩＤ／をより詳細に示す。
【表２５５】
0005394406.tif 000256
【０３９５】
下記の＜表２５６＞は、上記したノード＜ｘ＞／ＩＰＤＣ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表２５６】
0005394406.tif 000257
【０３９６】
下記の＜表２５７＞は、上記したノード＜ｘ＞／ＩＰＤＣ／＜ｘ＞／ＲｏａｍｉｎｇＰａｒｔｎｅｒＯｕｔｓｉｄｅ／をより詳細に示す。
【表２５７】
0005394406.tif 000258
【０３９７】
下記の＜表２５８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞を更に詳細に示す。
【表２５８】
0005394406.tif 000259
【０３９８】
＜表２５９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／をより詳細に示す。
【表２５９】
0005394406.tif 000260
【０３９９】
下記の＜表２６０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／ＯｕｔｓｉｄｅＲｏａｍｉｎｇＩＰＤＣＯｐｅｒａｔｏｒＩＤ／をより詳細に示す。
【表２６０】
0005394406.tif 000261
【０４００】
下記の＜表２６１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／をより詳細に示す。
【表２６１】
0005394406.tif 000262
【０４０１】
＜表２６２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞をより詳細に示す。
【表２６２】
0005394406.tif 000263
【０４０２】
下記の＜表２６３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥＳＧＢｏｏｔｓｔｒａｐＥｎｔｒｙＰｏｉｎｔＵＲＬをより詳細に示す。
【表２６３】
0005394406.tif 000264
【０４０３】
＜表２６４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／をより詳細に示す。
【表２６４】
0005394406.tif 000265
【０４０４】
＜表２６５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞をより詳細に示す。
【表２６５】
0005394406.tif 000266
【０４０５】
下記の＜表２６６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／を更に詳細に示す。
【表２６６】
0005394406.tif 000267
【０４０６】
下記の＜表２６７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞／をより詳細に示す。
【表２６７】
0005394406.tif 000268
【０４０７】
下記の＜表２６８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞／ＩＰＰｌａｔｆｏｒｍＩＤ／をより詳細に示す。
【表２６８】
0005394406.tif 000269
【０４０８】
＜表２６９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／をより詳細に示す。
【表２６９】
0005394406.tif 000270
【０４０９】
下記の＜表２７０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞をより詳細に示す。
【表２７０】
0005394406.tif 000271
【０４１０】
下記の＜表２７１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞／ＥＳＧＰｒｏｖｉｄｅｒＵＲＩ／をより詳細に示す。
【表２７１】
0005394406.tif 000272
【０４１１】
＜表２７２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／をより詳細に示す。
【表２７２】
0005394406.tif 000273
【０４１２】
下記の＜表２７３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞をより詳細に示す。
【表２７３】
0005394406.tif 000274
【０４１３】
＜表２７４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞／ＥＳＧＵＲＩ／をより詳細に示す。
【表２７４】
0005394406.tif 000275
【０４１４】
＜表２７５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／をより詳細に示す。
【表２７５】
0005394406.tif 000276
【０４１５】
下記の＜表２７６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞をより詳細に示す。
【表２７６】
0005394406.tif 000277
【０４１６】
下記の＜表２７７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞／ＡｒｅａＰａｒａｍｅｔｅｒ／をより詳細に示す。
【表２７７】
0005394406.tif 000278
【０４１７】
下記の＜表２７８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／をより詳細に示す。
【表２７８】
0005394406.tif 000279
【０４１８】
＜表２７９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞をより詳細に示す。
【表２７９】
0005394406.tif 000280
【０４１９】
下記の＜表２８０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞／ＮｅｔｗｏｒｋＩｎｆｏをより詳細に示す。
【表２８０】
0005394406.tif 000281
【０４２０】
下記の＜表２８１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／をより詳細に示す。
【表２８１】
0005394406.tif 000282
【０４２１】
＜表２８２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞をより詳細に示す。
【表２８２】
0005394406.tif 000283
【０４２２】
下記の＜表２８３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞／Ｔｕｎｉｎｇｐａｒａｍｅｔｅｒ／をより詳細に示す。
【表２８３】
0005394406.tif 000284
【０４２３】
＜表２８４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｅｘｔ／をより詳細に示す。
【表２８４】
0005394406.tif 000285
【０４２４】
＜表２８５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／Ｅｘｔ／をより詳細に示す。
【表２８５】
0005394406.tif 000286
【０４２５】
＜４．第４のＯＭＡ  ＤＭメカニズム＞
図３０は、本発明の第９の実施形態による第４のＯＭＡ  ＤＭメカニズムのＭＯを示す。
【０４２６】
図３０を参照すると、Ｘフィールド３００１、３００５、３０１３、３０１７、３０２３、３０２７、３０３５、３０４１、３０４７、３０５３、３０５９、３０６５はプレースホルダの役割をするノードであり、ＩＰＤＣフィールド３００３はＩＰＤＣ端末のためのノードであり、ＬｏｃａｌＩＰＤＣＫＭＳＩＤフィールド３００７はＩＰＤＣＫＭＳＩＤを有するローカル端末のためのノードであり、ＬｏｃａｌＩＰＤＣＯｐｅｒａｔｏｒＩＤフィールド３００９はＩＰＤＣＯｐｅｒａｔｏｒＩＤを有するローカル端末のためのノードであり、ＲｏａｍｉｎｇＰａｒｔｎｅｒＯｕｔｓｉｄｅフィールド３０１１はホームカバレッジの外部領域でローカルＩＰＤＣ  ＫＭＳシステム及びＩＰＤＣオペレータのためのローミングパートナー関連情報を搬送するノードであり、ＥＳＧＢｏｏｔｓｔｒａｐＥｎｔｒｙＰｏｉｎｔフィールド３０１５はＥＳＧブートストラップ関連情報を搬送するノードであり、ＥＳＧＢｏｏｔｓｔｒａｐＥｎｔｒｙＰｏｉｎｔＵＲＬフィールド３０１９は双方向ネットワークを通じてＥＳＧブートストラップ情報を要求するためのエントリポイントＵＲＬを示すノードであり、ＥｎｔｒｙＰｏｉｎｔＡｔｔｒｉフィールド３０２１はエントリポイントの特性情報を搬送するノードであり、Ｏｐｅｒａｔｏｒフィールド３０２５はオペレータ情報を搬送するノードであり、ＯｕｔｓｉｄｅＲｏａｍｉｎｇＩＰＤＣＫＭＳＩＤフィールド３０２９はローカル端末のためのこのＩＰＤＣＫＭＳＩＤを有するローミングＩＰＤＣ  ＫＭＳシステムを搬送するノードであり、且つホーム（ローカル）ＩＰＤＣ  ＫＭＳシステム及びオペレータとローミング協定を結んでいるＩＰＤＣ  ＫＭＳシステムを示し、ＯｕｔｓｉｄｅＲｏａｍｉｎｇＩＰＤＣＯｐｅｒａｔｏｒＩＤフィールド３０３１はローカル端末のためのＩＰＤＣＯｐｅｒａｔｏｒＩＤを有するローミングＩＰＤＣオペレータを搬送するノードであり、且つホーム（ローカル）ＩＰＤＣオペレータとローミング協定がなされているＩＰＤＣオペレータを示す。また、ＩＰＰｌａｔｆｏｒｍフィールド３０３３はＩＰプラットフォーム関連情報を搬送するノードであり、ＩＰＰｌａｔｆｏｒｍＩＤフィールド３０３７はＩＰプラットフォーム識別子（ＩＤ）を搬送するノードであり、ＥＳＧＰｒｏｖｉｄｅｒフィールド３０３９はＥＳＧプロバイダ関連情報を搬送するノードであり、ＥＳＧＰｒｏｖｉｄｅｒＵＲＩフィールド３０４３はＥＳＧプロバイダを識別するＵＲＩを搬送するノードであり、ＥＳＧフィールド３０４５はＥＳＧ関連情報を搬送するノードであり、ＥＳＧＵＲＩフィールド３０４９はＥＳＧブートストラップで探すことができるＥＳＧＵＲＩを示すノードであり、ＡｒｅａＰａｒａｍｅｔｅｒｓフィールド３０５１は領域関連パラメータを搬送するノードであり、ＡｒｅａＰａｒａｍｅｔｅｒフィールド３０５５はネットワークＩＤ、セルＩＤ、ＭＣＣ、ＭＮＣ、ＧＰＳ、国家コードのような領域関連パラメータを搬送するノードであり、ＮｅｔｗｏｒｋＩｎｆｏｓフィールド３０５７はネットワーク関連情報を搬送するノードであり、ＮｅｔｗｏｒｋＩｎｆｏフィールド３０６１はネットワークタイプ（衛星、地上、双方向ネットワークな���）及びネットワークＩＤのようなネットワーク関連パラメータ搬送するノードであり、Ｔｕｎｉｎｇｐａｒａｍｅｔｅｒｓフィールド３０６３はチューニング関連情報を搬送するノードであり、Ｔｕｎｉｎｇｐａｒａｍｅｔｅｒフィールド３０６７は関連したチューニングパラメータを搬送するノードであり、Ｅｘｔフィールド３０６９又は３０７１は追加又は拡張のためのノードである。
【０４２７】
下記の＜表２８６＞は、上記したノード＜ｘ＞をより詳細に示す。
【表２８６】
0005394406.tif 000287
【０４２８】
下記の＜表２８７＞は、上記したノード＜ｘ＞／ＩＰＤＣ／をより詳細に示す。
【表２８７】
0005394406.tif 000288
【０４２９】
下記の＜表２８８＞は、上記したノード＜ｘ＞／ＩＰＤＣ／＜ｘ＞をより詳細に示す。
【表２８８】
0005394406.tif 000289
【０４３０】
＜表２８９＞は、上記したノード＜ｘ＞／ＩＰＤＣ／＜ｘ＞／ＬｏｃａｌＩＰＤＣＫＭＳＩＤ／をより詳細に示す。
【表２８９】
0005394406.tif 000290
【０４３１】
下記の＜表２９０＞は、上記したノード＜ｘ＞／ＩＰＤＣ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表２９０】
0005394406.tif 000291
【０４３２】
下記の＜表２９１＞は、上記したノード＜ｘ＞／ＩＰＤＣ／＜ｘ＞／ＲｏａｍｉｎｇＰａｒｔｎｅｒＯｕｔｓｉｄｅ／をより詳細に示す。
【表２９１】
0005394406.tif 000292
【０４３３】
＜表２９２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞をより詳細に示す。
【表２９２】
0005394406.tif 000293
【０４３４】
下記の＜表２９３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／をより詳細に示す。
【表２９３】
0005394406.tif 000294
【０４３５】
＜表２９４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞をより詳細に示す。
【表２９４】
0005394406.tif 000295
【０４３６】
＜表２９５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥＳＧＢｏｏｔｓｔｒａｐＥｎｔｒｙＰｏｉｎｔＵＲＬ／を更に詳細に示す。
【表２９５】
0005394406.tif 000296
【０４３７】
下記の＜表２９６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／をより詳細に示す。
【表２９６】
0005394406.tif 000297
【０４３８】
下記の＜表２９７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞をより詳細に示す。
【表２９７】
0005394406.tif 000298
【０４３９】
下記の＜表２９８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｏｐｅｒａｔｏｒ／をより詳細に示す。
【表２９８】
0005394406.tif 000299
【０４４０】
＜表２９９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｏｐｅｒａｔｏｒ／＜ｘ＞をより詳細に示す。
【表２９９】
0005394406.tif 000300
【０４４１】
下記の＜表３００＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｏｐｅｒａｔｏｒ／＜ｘ＞／ＯｕｔｓｉｄｅＲｏａｍｉｎｇＩＰＤＣＫＭＳＩＤ／をより詳細に示す。
【表３００】
0005394406.tif 000301
【０４４２】
下記の＜表３０１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｏｐｅｒａｔｏｒ／＜ｘ＞／ＯｕｔｓｉｄｅＲｏａｍｉｎｇＩＰＤＣＫＭＳＩＤ／ＯｕｔｓｉｄｅＲｏａｍｉｎｇＩＰＤＣＯｐｅｒａｔｏｒＩＤをより詳細に示す。
【表３０１】
0005394406.tif 000302
【０４４３】
＜表３０２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／をより詳細に示す。
【表３０２】
0005394406.tif 000303
【０４４４】
下記の＜表３０３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞をより詳細に示す。
【表３０３】
0005394406.tif 000304
【０４４５】
下記の＜表３０４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞／ＩＰＰｌａｔｆｏｒｍＩＤをより詳細に示す。
【表３０４】
0005394406.tif 000305
【０４４６】
＜表３０５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／をより詳細に示す。
【表３０５】
0005394406.tif 000306
【０４４７】
下記の＜表３０６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞をより詳細に示す。
【表３０６】
0005394406.tif 000307
【０４４８】
下記の＜表３０７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞／ＥＳＧＰｒｏｖｉｄｅｒＵＲＩ／をより詳細に示す。
【表３０７】
0005394406.tif 000308
【０４４９】
下記の＜表３０８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／を更に詳細に示す。
【表３０８】
0005394406.tif 000309
【０４５０】
＜表３０９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞をより詳細に示す。
【表３０９】
0005394406.tif 000310
【０４５１】
下記の＜表３１０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞／ＥＳＧＵＲＩをより詳細に示す。
【表３１０】
0005394406.tif 000311
【０４５２】
下記の＜表３１１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／をより詳細に示す。
【表３１１】
0005394406.tif 000312
【０４５３】
＜表３１２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞をより詳細に示す。
【表３１２】
0005394406.tif 000313
【０４５４】
下記の＜表３１３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞／ＡｒｅａＰａｒａｍｅｔｅｒ／をより詳細に示す。
【表３１３】
0005394406.tif 000314
【０４５５】
＜表３１４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／をより詳細に示す。
【表３１４】
0005394406.tif 000315
【０４５６】
＜表３１５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞を更に詳細に示す。
【表３１５】
0005394406.tif 000316
【０４５７】
下記の＜表３１６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞／ＮｅｔｗｏｒｋＩｎｆｏ／をより詳細に示す。
【表３１６】
0005394406.tif 000317
【０４５８】
下記の＜表３１７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／をより詳細に示す。
【表３１７】
0005394406.tif 000318
【０４５９】
下記の＜表３１８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞をより詳細に示す。
【表３１８】
0005394406.tif 000319
【０４６０】
＜表３１９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞／Ｔｕｎｉｎｇｐａｒａｍｅｔｅｒをより詳細に示す。
【表３１９】
0005394406.tif 000320
【０４６１】
下記の＜表３２０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｅｘｔ／をより詳細に示す。
【表３２０】
0005394406.tif 000321
【０４６２】
下記の＜表３２１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／Ｅｘｔ／をより詳細に示す。
【表３２１】
0005394406.tif 000322
【０４６３】
＜５．第５のＯＭＡ  ＤＭメカニズム＞
本発明の第９の実施形態による第５のＯＭＡ  ＤＭメカニズムでは、ローカルＩＰＤＣオペレータのためのＥＳＧエントリポイントを提供することができる。本発明の第９の実施形態による第５のＯＭＡ  ＤＭメカニズムは、本発明の第３の実施形態と同様にローカルＩＰＤＣオペレータためのＭＯに基づく。
【０４６４】
図３１は、本発明の第９の実施形態による第５のＯＭＡ  ＤＭメカニズムのＭＯを示す。
【０４６５】
図３１を参照すると、Ｘフィールド３１０１、３１０５、３１１３、３１１９、３１２３、３１２９、３１３５、３１４１、３１４７、３１５３はプレースホルダの役割をするノードであり、ＩＰＤＣフィールド３１０３はＩＰＤＣ端末のためのノードであり、ＬｏｃａｌＩＰＤＣＫＭＳＩＤフィールド３１０７はＩＰＤＣＫＭＳＩＤを有するローカル端末のためのノードであり、ＬｏｃａｌＩＰＤＣＯｐｅｒａｔｏｒＩＤフィールド３１０９はＩＰＤＣＯｐｅｒａｔｏｒＩＤを有するローカル端末のためのノードであり、ＥＳＧＢｏｏｔｓｔｒａｐＥｎｔｒｙＰｏｉｎｔフィールド３１１１はＥＳＧブートストラップ関連情報を搬送するノードであり、ＥＳＧＢｏｏｔｓｔｒａｐＥｎｔｒｙＰｏｉｎｔＵＲＬフィールド３１１５は双方向ネットワークを通じてＥＳＧブートストラップ情報を要求するためのエントリポイントＵＲＬを示すノードであり、ＥｎｔｒｙＰｏｉｎｔＡｔｔｒｉフィールド３１１７はエントリポイントの特性情報を搬送するノードであり、ＩＰＰｌａｔｆｏｒｍフィールド３１２１はＩＰプラットフォーム関連情報を搬送するノードであり、ＩＰＰｌａｔｆｏｒｍＩＤフィールド３１２５はＩＰプラットフォーム識別子（ＩＤ）を搬送するノードであり、ＥＳＧＰｒｏｖｉｄｅｒフィールド３１２７はＥＳＧプロバイダ関連情報を搬送するノードであり、ＥＳＧＰｒｏｖｉｄｅｒＵＲＩフィールド３１３１はＥＳＧプロバイダを識別するＵＲＩを搬送するノードであり、ＥＳＧフィールド３１３３はＥＳＧ関連情報を搬送するノードであり、ＥＳＧＵＲＩフィールド３１３７はＥＳＧブートストラップで探すことができるＥＳＧＵＲＩを示すノードであり、ＡｒｅａＰａｒａｍｅｔｅｒｓフィールド３１３９は領域関連パラメータを搬送するノードであり、ＡｒｅａＰａｒａｍｅｔｅｒフィールド３１４３はネットワークＩＤ、セルＩＤ、ＭＣＣ、ＭＮＣ、ＧＰＳ、国家コードのような領域関連パラメータを搬送するノードであり、ＮｅｔｗｏｒｋＩｎｆｏｓフィールド３１４５はネットワーク関連情報を搬送するノードであり、ＮｅｔｗｏｒｋＩｎｆｏフィールド３１４９はネットワークタイプ（衛星、地上、双方向ネットワークなど）及びネットワークＩＤのようなネットワーク関連パラメータ搬送するノードであり、Ｔｕｎｉｎｇｐａｒａｍｅｔｅｒｓフィールド３１５１はチューニング関連情報を搬送するノードであり、Ｔｕｎｉｎｇｐａｒａｍｅｔｅｒフィールド３１５５は関連したチューニングパラメータを搬送するノードであり、Ｅｘｔフィールド３１５７又は３１５９は追加又は拡張のためのノードである。
【０４６６】
＜表３２２＞は、上記したノード＜ｘ＞をより詳細に示す。
【表３２２】
0005394406.tif 000323
【０４６７】
下記の＜表３２３＞は、上記したノード＜ｘ＞／ＩＰＤＣ／をより詳細に示す。
【表３２３】
0005394406.tif 000324
【０４６８】
＜表３２４＞は、上記したノード＜ｘ＞／ＩＰＤＣ／＜ｘ＞をより詳細に示す。
【表３２４】
0005394406.tif 000325
【０４６９】
＜表３２５＞は、上記したノード＜ｘ＞／ＩＰＤＣ／＜ｘ＞／ＬｏｃａｌＩＰＤＣＫＭＳＩＤ／をより詳細に示すキップだ。
【表３２５】
0005394406.tif 000326
【０４７０】
下記の＜表３２６＞は、上記したノード＜ｘ＞／ＩＰＤＣ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表３２６】
0005394406.tif 000327
【０４７１】
下記の＜表３２７＞は、上記したノード＜ｘ＞／ＩＰＤＣ／＜ｘ＞／ＥＳＧＢｏｏｔｓｔｒａｐＥｎｔｒｙＰｏｉｎｔ／をより詳細に示す。
【表３２７】
0005394406.tif 000328
【０４７２】
下記の＜表３２８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞をより詳細に示す。
【表３２８】
0005394406.tif 000329
【０４７３】
＜表３２９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥＳＧＢｏｏｔｓｔｒａｐＥｎｔｒｙＰｏｉｎｔＵＲＬをより詳細に示す。
【表３２９】
0005394406.tif 000330
【０４７４】
下記の＜表３３０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／を更に詳細に示す。
【表３３０】
0005394406.tif 000331
【０４７５】
下記の＜表３３１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞をより詳細に示す。
【表３３１】
0005394406.tif 000332
【０４７６】
＜表３３２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／をより詳細に示す。
【表３３２】
0005394406.tif 000333
【０４７７】
下記の＜表３３３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞をより詳細に示す。
【表３３３】
0005394406.tif 000334
【０４７８】
＜表３３４＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞／ＩＰＰｌａｔｆｏｒｍＩＤ／を詳細に示す。
【表３３４】
0005394406.tif 000335
【０４７９】
＜表３３５＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／をより詳細に示す。
【表３３５】
0005394406.tif 000336
【０４８０】
下記の＜表３３６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞をより詳細に示す。
【表３３６】
0005394406.tif 000337
【０４８１】
下記の＜表３３７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞／ＥＳＧＰｒｏｖｉｄｅｒＵＲＩ／をより詳細に示す。
【表３３７】
0005394406.tif 000338
【０４８２】
下記の＜表３３８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／をより詳細に示す。
【表３３８】
0005394406.tif 000339
【０４８３】
＜表３３９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞をより詳細に示す。
【表３３９】
0005394406.tif 000340
【０４８４】
下記の＜表３４０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞／ＥＳＧＵＲＩ／をより詳細に示す。
【表３４０】
0005394406.tif 000341
【０４８５】
下記の＜表３４１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／をより詳細に示す。
【表３４１】
0005394406.tif 000342
【０４８６】
＜表３４２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞をより細に示す。
【表３４２】
0005394406.tif 000343
【０４８７】
下記の＜表３４３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞／ＡｒｅａＰａｒａｍｅｔｅｒ／をより詳細に示す。
【表３４３】
0005394406.tif 000344
【０４８８】
＜表３４４＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／をより詳細に示す。
【表３４４】
0005394406.tif 000345
【０４８９】
＜表３４５＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞を更に詳細に示す。
【表３４５】
0005394406.tif 000346
【０４９０】
下記の＜表３４６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞／ＮｅｔｗｏｒｋＩｎｆｏ／をより詳細に示す。
【表３４６】
0005394406.tif 000347
【０４９１】
下記の＜表３４７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／をより詳細に示す。
【表３４７】
0005394406.tif 000348
【０４９２】
下記の＜表３４８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞をより詳細に示す。
【表３４８】
0005394406.tif 000349
【０４９３】
＜表３４９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞／Ｔｕｎｉｎｇｐａｒａｍｅｔｅｒ／をより詳細に示す。
【表３４９】
0005394406.tif 000350
【０４９４】
下記の＜表３５０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｅｘｔをより詳細に示す。
【表３５０】
0005394406.tif 000351
【０４９５】
下記の＜表３５１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／Ｅｘｔをより詳細に示す。
【表３５１】
0005394406.tif 000352
【０４９６】
＜６．第６のＯＭＡ  ＤＭメカニズム＞
本発明の第９の実施形態による第６のＯＭＡ  ＤＭメカニズムは、本発明の第９の実施形態による第３又は第４のＯＭＡ  ＤＭメカニズムと同様にローカルＩＰＤＣオペレータのためのＥＳＧエントリポイントを提供する。
【０４９７】
図３２は、本発明の第９の実施形態による第６のＯＭＡ  ＤＭメカニズムのＭＯを示す。
【０４９８】
図３２を参照すると、Ｘフィールド３２０１、３２０５、３２０９、３２１５、３２１９、３２２７、３２３３、３２３９、３２４５、３２５１、３２５７はプレースホルダの役割をするノードであり、ＩＰＤＣフィールド３２０３はＩＰＤＣ端末のためのノードであり、ＥＳＧＢｏｏｔｓｔｒａｐＥｎｔｒｙＰｏｉｎｔフィールド３２０７はＥＳＧブートストラップ関連情報を搬送するノードであり、ＥＳＧＢｏｏｔｓｔｒａｐＥｎｔｒｙＰｏｉｎｔＵＲＬフィールド３２１１は双方向ネットワークを通じてＥＳＧブートストラップ情報を要求するためのエントリポイントＵＲＬを示すノードであり、ＥｎｔｒｙＰｏｉｎｔＡｔｔｒｉフィールド３２１３はエントリポイントの特性情報を搬送するノードであり、Ｏｐｅｒａｔｏｒフィールド３２１７はオペレータ情報を搬送するノードであり、ＩＰＤＣＫＭＳＩＤフィールド３２２１は端末のためのホームＩＰＤＣＫＭＳを示すノードであり、ＩＰＤＣＯｐｅｒａｔｏｒＩＤフィールド３２２３は端末のためのホームＩＰＤＣオペレータを示すノードである。更に、ＩＰＰｌａｔｆｏｒｍフィールド３２２５はＩＰプラットフォーム関連情報を搬送するノードであり、ＩＰＰｌａｔｆｏｒｍＩＤフィールド３２２９はＩＰプラットフォーム識別子（ＩＤ）を搬送するノードであり、ＥＳＧＰｒｏｖｉｄｅｒフィールド３２３１はＥＳＧプロバイダ関連情報を搬送するノードであり、ＥＳＧＰｒｏｖｉｄｅｒＵＲＩフィールド３２２５はＥＳＧプロバイダを識別するＵＲＩを搬送するノードであり、ＥＳＧフィールド３２３７はＥＳＧ関連情報を搬送するノードであり、ＥＳＧＵＲＩフィールド３２４１はＥＳＧブートストラップで探すことができるＥＳＧＵＲＩを示すノードであり、ＡｒｅａＰａｒａｍｅｔｅｒｓフィールド３２４３は領域関連パラメータを搬送するノードであり、ＡｒｅａＰａｒａｍｅｔｅｒフィールド３２４７はネットワークＩＤ、セルＩＤ、ＭＣＣ、ＭＮＣ、ＧＰＳ、国家コードのような領域関連パラメータを搬送するノードであり、ＮｅｔｗｏｒｋＩｎｆｏｓフィールド３２４９はネットワーク関連情報を搬送するノードであり、ＮｅｔｗｏｒｋＩｎｆｏフィールド３２５３はネットワークタイプ（衛星、地上、双方向ネットワークなど）及びネットワークＩＤのようなネットワーク関連パラメータ搬送するノードであり、Ｔｕｎｉｎｇｐａｒａｍｅｔｅｒｓフィールド３２５５はチューニング関連情報を搬送するノードであり、Ｔｕｎｉｎｇｐａｒａｍｅｔｅｒフィールド３２５９は関連したチューニングパラメータを搬送するノードであり、Ｅｘｔフィールド３２６１又は３２６３は追加又は拡張のためのノードである。
【０４９９】
＜表３５２＞は、上記したノード＜ｘ＞をより詳細に示す。
【表３５２】
0005394406.tif 000353
【０５００】
下記の＜表３５３＞は、上記したノード＜ｘ＞／ＩＰＤＣ／をより詳細に示す。
【表３５３】
0005394406.tif 000354
【０５０１】
＜表３５４＞は、上記したノード＜ｘ＞／ＩＰＤＣ／＜ｘ＞をより詳細に示す。
【表３５４】
0005394406.tif 000355
【０５０２】
＜表３５５＞は、上記したノード＜ｘ＞／ＩＰＤＣ／＜ｘ＞／ＥＳＧＢｏｏｔｓｔｒａｐＥｎｔｒｙＰｏｉｎｔ／をより詳細に示す。
【表３５５】
0005394406.tif 000356
【０５０３】
下記の＜表３５６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞を更に詳細に示す。
【表３５６】
0005394406.tif 000357
【０５０４】
下記の＜表３５７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥＳＧＢｏｏｔｓｔｒａｐＥｎｔｒｙＰｏｉｎｔＵＲＬをより詳細に示す。
【表３５７】
0005394406.tif 000358
【０５０５】
下記の＜表３５８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／をより詳細に示す。
【表３５８】
0005394406.tif 000359
【０５０６】
＜表３５９＞は、上記したノード＜ｘ＞／ＩＰＤＣ／＜ｘ＞／ＥＳＧＢｏｏｔｓｔｒａｐＥｎｔｒｙＰｏｉｎｔ／ＥｎｔｒｙＰｏｉｎｔＡｔｔｒｉ／＜ｘ＞をより詳細に示す。
【表３５９】
0005394406.tif 000360
【０５０７】
下記の＜表３６０＞は、上記したノード＜ｘ＞／ＩＰＤＣ／＜ｘ＞／ＥＳＧＢｏｏｔｓｔｒａｐＥｎｔｒｙＰｏｉｎｔ／ＥｎｔｒｙＰｏｉｎｔＡｔｔｒｉ／＜ｘ＞／Ｏｐｅｒａｔｏｒ／をより詳細に示す。
【表３６０】
0005394406.tif 000361
【０５０８】
下記の＜表３６１＞は、上記したノード＜ｘ＞／ＩＰＤＣ／＜ｘ＞／ＥＳＧＢｏｏｔｓｔｒａｐＥｎｔｒｙＰｏｉｎｔ／ＥｎｔｒｙＰｏｉｎｔＡｔｔｒｉ／＜ｘ＞／Ｏｐｅｒａｔｏｒ／＜ｘ＞をより詳細に示す。
【表３６１】
0005394406.tif 000362
【０５０９】
＜表３６２＞は、上記したノード＜ｘ＞／ＩＰＤＣ／＜ｘ＞／ＥＳＧＢｏｏｔｓｔｒａｐＥｎｔｒｙＰｏｉｎｔ／Ｏｐｅｒａｔｏｒ／＜ｘ＞／ＩＰＤＣＫＭＳＩＤ／をより詳細に示す。
【表３６２】
0005394406.tif 000363
【０５１０】
下記の＜表３６３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｏｐｅｒａｔｏｒ／＜ｘ＞／ＩＰＤＣＫＭＳＩＤ／ＩＰＤＣＯｐｅｒａｔｏｒＩＤ／をより詳細に示す。
【表３６３】
0005394406.tif 000364
【０５１１】
＜表３６４＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／をより詳細に示す。
【表３６４】
0005394406.tif 000365
【０５１２】
＜表３６５＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞をより詳細に示す。
【表３６５】
0005394406.tif 000366
【０５１３】
下記の＜表３６６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍＩＤ／をより詳細に示す。
【表３６６】
0005394406.tif 000367
【０５１４】
下記の＜表３６７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／をより詳細に示す。
【表３６７】
0005394406.tif 000368
【０５１５】
下記の＜表３６８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞をより詳細に示す。
【表３６８】
0005394406.tif 000369
【０５１６】
＜表３６９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞／ＥＳＧＰｒｏｖｉｄｅｒＵＲＩ／をより詳細に示す。
【表３６９】
0005394406.tif 000370
【０５１７】
下記の＜表３７０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／をより詳細に示す。
【表３７０】
0005394406.tif 000371
【０５１８】
下記の＜表３７１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞をより詳細に示す。
【表３７１】
0005394406.tif 000372
【０５１９】
＜表３７２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞／ＥＳＧＵＲＩ／をより詳細に示す。
【表３７２】
0005394406.tif 000373
【０５２０】
下記の＜表３７３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／を更に詳細に示す。
【表３７３】
0005394406.tif 000374
【０５２１】
＜表３７４＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞をより詳細に示す。
【表３７４】
0005394406.tif 000375
【０５２２】
＜表３７５＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞／ＡｒｅａＰａｒａｍｅｔｅｒ／をより詳細に示す。
【表３７５】
0005394406.tif 000376
【０５２３】
下記の＜表３７６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／をより詳細に示す。
【表３７６】
0005394406.tif 000377
【０５２４】
下記の＜表３７７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞をより詳細に示す。
【表３７７】
0005394406.tif 000378
【０５２５】
下記の＜表３７８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞／ＮｅｔｗｏｒｋＩｎｆｏ／をより詳細に示す。
【表３７８】
0005394406.tif 000379
【０５２６】
＜表３７９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／をより詳細に示す。
【表３７９】
0005394406.tif 000380
【０５２７】
下記の＜表３８０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞をより詳細に示す。
【表３８０】
0005394406.tif 000381
【０５２８】
下記の＜表３８１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞／Ｔｕｎｉｎｇｐａｒａｍｅｔｅｒ／をより詳細に示す。
【表３８１】
0005394406.tif 000382
【０５２９】
＜表３８２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｅｘｔ／をより詳細に示す。
【表３８２】
0005394406.tif 000383
【０５３０】
下記の＜表３８３＞は、上記したノード＜ｘ＞／ＩＰＤＣ／＜ｘ＞／Ｅｘｔ／をより詳細に示す。
【表３８３】
0005394406.tif 000384
【０５３１】
＜７．第７のＯＭＡ  ＤＭメカニズム＞
本発明の第９の実施形態による第７のＯＭＡ  ＤＭメカニズムは、本発明の第９の実施形態による第３及び第５のＯＭＡ  ＤＭメカニズム又は第４及び第５のＯＭＡ  ＤＭメカニズムとの組み合わせで構成される。
【０５３２】
図３３は、本発明の第９の実施形態による第７のＯＭＡ  ＤＭメカニズムのＭＯを示す。
【０５３３】
図３３を参照すると、Ｘフィールド３３０１、３３０５、３３１３、３３１９、３３２３、３３２９、３３３５、３３４１、３３４７、３３５３、３３６１、３３６９、３３７５、３３７９、３３８５、３３９１、３３９７、３４０３、３４０９はプレースホルダの役割をするノードであり、ＩＰＤＣフィールド３３０３はＩＰＤＣ端末のためのノードであり、ＬｏｃａｌＩＰＤＣＫＭＳＩＤフィールド３３０７はＩＰＤＣＫＭＳＩＤを有するローカル端末のためのノードであり、ＬｏｃａｌＩＰＤＣＯｐｅｒａｔｏｒＩＤフィールド３３０９はＩＰＤＣＯｐｅｒａｔｏｒＩＤを有するローカル端末のためのノードであり、ＥＳＧＢｏｏｔｓｔｒａｐＥｎｔｒｙＰｏｉｎｔフィールド３３１１はＥＳＧブートストラップ関連情報を搬送するノードであり、ＥＳＧＢｏｏｔｓｔｒａｐＥｎｔｒｙＰｏｉｎｔＵＲＬフィールド３３１５は双方向ネットワークを通じてＥＳＧブートストラップ情報を要求するためのエントリポイントＵＲＬを示すノードであり、ＥｎｔｒｙＰｏｉｎｔＡｔｔｒｉフィールド３３１７又は３３７３はエントリポイントの特性情報を搬送するノードであり、ＩＰＰｌａｔｆｏｒｍフィールド３３２１又は３３７７はＩＰプラットフォーム関連情報を搬送するノードであり、ＩＰＰｌａｔｆｏｒｍＩＤフィールド３３２５又は３３８１はＩＰプラットフォーム識別子（ＩＤ）を搬送するノードであり、ＥＳＧＰｒｏｖｉｄｅｒフィールド３３２７又は３３８３はＥＳＧプロバイダ関連情報を搬送するノードであり、ＥＳＧＰｒｏｖｉｄｅｒＵＲＩフィールド３３３１又は３３８７はＥＳＧプロバイダを識別するＵＲＩを搬送するノードであり、ＥＳＧフィールド３３３３又は３３８９はＥＳＧ関連情報を搬送するノードであり、ＥＳＧＵＲＩフィールド３３３７又は３３９３はＥＳＧブートストラップで探すことができるＥＳＧＵＲＩを示すノードであり、ＡｒｅａＰａｒａｍｅｔｅｒｓフィールド３３３９又は３３９５は領域関連パラメータを搬送するノードであり、ＡｒｅａＰａｒａｍｅｔｅｒフィールド３３４３又は３３９９はネットワークＩＤ、セルＩＤ、ＭＣＣ、ＭＮＣ、ＧＰＳ、国家コードのような領域関連パラメータを搬送するノードであり、ＮｅｔｗｏｒｋＩｎｆｏｓフィールド３３４５又は３４０１はネットワーク関連情報を搬送するノードであり、ＮｅｔｗｏｒｋＩｎｆｏフィールド３３４９又は３４０５はネットワークタイプ（衛星、地上、双方向ネットワークなど）及びネットワークＩＤのようなネットワーク関連パラメータ搬送するノードであり、Ｔｕｎｉｎｇｐａｒａｍｅｔｅｒｓフィールド３３５１又は３４０７はチューニング関連情報を搬送するノードであり、Ｔｕｎｉｎｇｐａｒａｍｅｔｅｒフィールド３３５５又は３４１１は関連したチューニングパラメータを搬送するノードであり、Ｅｘｔフィールド３３５７、３４１３、３４１５、３４１７は追加又は拡張のためのノードである。
【０５３４】
ＲｏａｍｉｎｇＰａｒｔｎｅｒＯｕｔｓｉｄｅフィールド３３５９は、ホームカバレッジ領域の外部地域でローカルＩＰＤＣ  ＫＭＳシステム及びＩＰＤＣオペレータのためのローミングパートナー関連情報を搬送するノードであり、ＯｕｔｓｉｄｅＲｏａｍｉｎｇＩＰＤＣＫＭＳＩＤフィールド３３６３は、ローカル端末のためのＩＰＤＣＫＭＳＩＤを有するローミングＩＰＤＣ  ＫＭＳシステムを搬送し、且つホーム（ローカル）ＩＰＤＣ  ＫＭＳシステム及びオペレータとローミング協定を結んでいるＩＰＤＣ  ＫＭＳシステムを示すノードであり、ＯｕｔｓｉｄｅＲｏａｍｉｎｇＩＰＤＣＯｐｅｒａｔｏｒＩＤフィールド３３６５はローカル端末のためのＩＰＤＣＯｐｅｒａｔｏｒＩＤを有するローミングＩＰＤＣオペレータを搬送し、且つホーム（ローカル）ＩＰＤＣオペレータとローミング協定を結んでいるＩＰＤＣオペレータを示すノードであり、ＥＳＧＢｏｏｔｓｔｒａｐＥｎｔｒｙＰｏｉｎｔｏｕｔフィールド３３６７はＥＳＧブートストラップエントリポイント関連情報を搬送するノードであり、ＥＳＧＢｏｏｔｓｔｒａｐＥｎｔｒｙＰｏｉｎｔｏｕｔＵＲＬフィールド３３７１は双方向ネットワークを通じてＥＳＧブートストラップ情報を要求するためのエントリポイントＵＲＬを示すノードである。
【０５３５】
＜表３８４＞は、上記したノード＜ｘ＞をより詳細に示す。
【表３８４】
0005394406.tif 000385
【０５３６】
＜表３８５＞は、上記したノード＜ｘ＞／ＩＰＤＣ／をより詳細に示す。
【表３８５】
0005394406.tif 000386
【０５３７】
下記の＜表３８６＞は、上記したノード＜ｘ＞／ＩＰＤＣ／＜ｘ＞をより詳細に示す。
【表３８６】
0005394406.tif 000387
【０５３８】
下記の＜表３８７＞は、上記したノード＜ｘ＞／ＩＰＤＣ／＜ｘ＞／ＬｏｃａｌＩＰＤＣＫＭＳＩＤ／をより詳細に示す。
【表３８７】
0005394406.tif 000388
【０５３９】
下記の＜表３８８＞は、上記したノード＜ｘ＞／ＩＰＤＣ／＜ｘ＞／ＬｏｃａｌＩＰＤＣＫＭＳＩＤ／ＬｏｃａｌＩＰＤＣＯｐｅｒａｔｏｒＩＤ／を更に詳細に示す。
【表３８８】
0005394406.tif 000389
【０５４０】
＜表３８９＞は、上記したノード＜ｘ＞／ＩＰＤＣ／＜ｘ＞／ＥＳＧＢｏｏｔｓｔｒａｐＥｎｔｒｙＰｏｉｎｔ／をより詳細に示す。
【表３８９】
0005394406.tif 000390
【０５４１】
下記の＜表３９０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞をより詳細に示す。
【表３９０】
0005394406.tif 000391
【０５４２】
下記の＜表３９１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥＳＧＢｏｏｔｓｔｒａｐＥｎｔｒｙＰｏｉｎｔＵＲＬ／をより詳細に示す。
【表３９１】
0005394406.tif 000392
【０５４３】
＜表３９２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／をより詳細に示す。
【表３９２】
0005394406.tif 000393
【０５４４】
下記の＜表３９３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞を更に詳細に示す。
【表３９３】
0005394406.tif 000394
【０５４５】
＜表３９４＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／をより詳細に示す。
【表３９４】
0005394406.tif 000395
【０５４６】
＜表３９５＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞をより詳細に示す。
【表３９５】
0005394406.tif 000396
【０５４７】
下記の＜表３９６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞／ＩＰＰｌａｔｆｏｒｍＩＤ／を更に詳細に示す。
【表３９６】
0005394406.tif 000397
【０５４８】
下記の＜表３９７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／をより詳細に示す。
【表３９７】
0005394406.tif 000398
【０５４９】
下記の＜表３９８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞をより詳細に示す。
【表３９８】
0005394406.tif 000399
【０５５０】
＜表３９９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞／ＥＳＧＰｒｏｖｉｄｅｒＵＲＩ／をより詳細に示す。
【表３９９】
0005394406.tif 000400
【０５５１】
下記の＜表４００＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／をより詳細に示す。
【表４００】
0005394406.tif 000401
【０５５２】
下記の＜表４０１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞をより詳細に示す。
【表４０１】
0005394406.tif 000402
【０５５３】
＜表４０２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞／ＥＳＧＵＲＩ／をより詳細に示す。
【表４０２】
0005394406.tif 000403
【０５５４】
下記の＜表４０３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／を更に詳細に示す。
【表４０３】
0005394406.tif 000404
【０５５５】
＜表４０４＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞をより詳細に示す。
【表４０４】
0005394406.tif 000405
【０５５６】
＜表４０５＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞／ＡｒｅａＰａｒａｍｅｔｅｒ／をより詳細に示す。
【表４０５】
0005394406.tif 000406
【０５５７】
下記の＜表４０６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／をより詳細に示す。
【表４０６】
0005394406.tif 000407
【０５５８】
下記の＜表４０７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞をより詳細に示す。
【表４０７】
0005394406.tif 000408
【０５５９】
下記の＜表４０８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞／ＮｅｔｗｏｒｋＩｎｆｏ／を更に詳細に示す。
【表４０８】
0005394406.tif 000409
【０５６０】
＜表４０９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／をより詳細に示す。
【表４０９】
0005394406.tif 000410
【０５６１】
下記の＜表４１０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞をより詳細に示す。
【表４１０】
0005394406.tif 000411
【０５６２】
下記の＜表４１１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞／Ｔｕｎｉｎｇｐａｒａｍｅｔｅｒ／をより詳細に示す。
【表４１１】
0005394406.tif 000412
【０５６３】
＜表４１２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｅｘｔ／をより詳細に示す。
【表４１２】
0005394406.tif 000413
【０５６４】
下記の＜表４１３＞は、上記したしたノード＜ｘ＞／ＩＰＤＣ／＜ｘ＞／ＥＳＧＢｏｏｔｓｔｒａｐＥｎｔｒｙＰｏｉｎｔ／＜ｘ＞／Ｅｘｔ／をより詳細に示す。
【表４１３】
0005394406.tif 000414
【０５６５】
＜表４１４＞は、上記したノード＜ｘ＞／ＩＰＤＣ／＜ｘ＞／ＲｏａｍｉｎｇＰａｒｔｎｅｒＯｕｔｓｉｄｅ／を更に詳細に示す。
【表４１４】
0005394406.tif 000415
【０５６６】
＜表４１５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞をより詳細に示す。
【表４１５】
0005394406.tif 000416
【０５６７】
下記の＜表４１６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／をより詳細に示す。
【表４１６】
0005394406.tif 000417
【０５６８】
下記の＜表４１７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／ＯｕｔｓｉｄｅＲｏａｍｉｎｇＩＰＤＣＯｐｅｒａｔｏｒＩＤ／をより詳細に示す。
【表４１７】
0005394406.tif 000418
【０５６９】
下記の＜表４１８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／をより詳細に示す。
【表４１８】
0005394406.tif 000419
【０５７０】
＜表４１９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞をより詳細に示す。
【表４１９】
0005394406.tif 000420
【０５７１】
下記の＜表４２０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥＳＧＢｏｏｔｓｔｒａｐＥｎｔｒｙＰｏｉｎｔＯｕｔＵＲＬ／をより詳細に示す。
【表４２０】
0005394406.tif 000421
【０５７２】
下記の＜表４２１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／をより詳細に示す。
【表４２１】
0005394406.tif 000422
【０５７３】
＜表４２２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／をより詳細に示す。
【表４２２】
0005394406.tif 000423
【０５７４】
下記の＜表４２３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＩＰＰｌａｔｆｏｒｍ／をより詳細に示す。
【表４２３】
0005394406.tif 000424
【０５７５】
＜表４２４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＩＰＰｌａｔｆｏｒｍ／＜ｘ＞をより詳細に示す。
【表４２４】
0005394406.tif 000425
【０５７６】
＜表４２５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＩＰＰｌａｔｆｏｒｍ／＜ｘ＞／ＩＰＰｌａｔｆｏｒｍＩＤ／をより詳細に示す。
【表４２５】
0005394406.tif 000426
【０５７７】
下記の＜表４２６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧＰｒｏｖｉｄｅｒ／をより詳細に示す。
【表４２６】
0005394406.tif 000427
【０５７８】
下記の＜表４２７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧＰｒｏｖｉｄｅｒ／＜ｘ＞を更に詳細に示す。
【表４２７】
0005394406.tif 000428
【０５７９】
下記の＜表４２８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧＰｒｏｖｉｄｅｒ／＜ｘ＞／ＥＳＧＰｒｏｖｉｄｅｒＵＲＩ／をより詳細に示す。
【表４２８】
0005394406.tif 000429
【０５８０】
＜表４２９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧ／をより詳細に示す。
【表４２９】
0005394406.tif 000430
【０５８１】
下記の＜表４３０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧ／＜ｘ＞を更に詳細に示す。
【表４３０】
0005394406.tif 000431
【０５８２】
下記の＜表４３１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧ／＜ｘ＞／ＥＳＧＵＲＩ／をより詳細に示す。
【表４３１】
0005394406.tif 000432
【０５８３】
＜表４３２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＡｒｅａＰａｒａｍｅｔｅｒｓ／をより詳細に示す。
【表４３２】
0005394406.tif 000433
【０５８４】
下記の＜表４３３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＡｒｅａＰａｒａｍｅｔｅｒｓ／＜ｘ＞をより詳細に示す。
【表４３３】
0005394406.tif 000434
【０５８５】
＜表４３４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＡｒｅａＰａｒａｍｅｔｅｒｓ／＜ｘ＞／ＡｒｅａＰａｒａｍｅｔｅｒ／をより詳細に示す。
【表４３４】
0005394406.tif 000435
【０５８６】
＜表４３５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＮｅｔｗｏｒｋＩｎｆｏｓ／をより詳細に示す。
【表４３５】
0005394406.tif 000436
【０５８７】
下記の＜表４３６＞は前記説明したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＮｅｔｗｏｒｋＩｎｆｏｓ／＜ｘ＞を詳細に示すキップだ。
【表４３６】
0005394406.tif 000437
【０５８８】
下記の＜表４３７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＮｅｔｗｏｒｋＩｎｆｏｓ／＜ｘ＞／ＮｅｔｗｏｒｋＩｎｆｏ／をより詳細に示す。
【表４３７】
0005394406.tif 000438
【０５８９】
下記の＜表４３８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｔｕｎｉｎｇｐａｒａｍｅｔｅｒｓ／をより詳細に示す。
【表４３８】
0005394406.tif 000439
【０５９０】
＜表４３９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｔｕｎｉｎｇｐａｒａｍｅｔｅｒｓ／＜ｘ＞をより詳細に示す。
【表４３９】
0005394406.tif 000440
【０５９１】
下記の＜表４４０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｔｕｎｉｎｇｐａｒａｍｅｔｅｒｓ／＜ｘ＞／Ｔｕｎｉｎｇｐａｒａｍｅｔｅｒ／をより詳細に示す。
【表４４０】
0005394406.tif 000441
【０５９２】
下記の＜表４４１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＯｕｔＡｔｔｒｉ／＜ｘ＞／Ｅｘｔ／をより詳細に示す。
【表４４１】
0005394406.tif 000442
【０５９３】
＜表４４２＞は、上記したノード＜ｘ＞／ＩＰＤＣ／＜ｘ＞／ＲｏａｍｉｎｇＰａｒｔｎｅｒＯｕｔＯｕｔｓｉｄｅ／＜ｘ＞／Ｅｘｔ／をより詳細に示す。
【表４４２】
0005394406.tif 000443
【０５９４】
≪８．第８のＯＭＡ  ＤＭメカニズム≫
本発明の第９の実施形態による第８のＯＭＡ  ＤＭメカニズムは、本発明の第９の実施形態による第４及び第５のＯＭＡ  ＤＭメカニズムの組み合わせに対応する。
【０５９５】
図３４は、本発明の第９の実施形態による第８のＯＭＡ  ＤＭメカニズムのＭＯを示す。
【０５９６】
図３４を参照すると、Ｘフィールド３４１９、３４２３、３４３１、３４３７、３４４１、３４４７、３４５３、３４５９、３４６５、３４７１、３４７９、３４８３、３４８９、３４９３、３５０１、３５０７、３５１３、３５１９、３５２５、３５３１はプレースホルダの役割をするノードであり、ＩＰＤＣフィールド３４２１はＩＰＤＣ端末のためのノードであり、ＬｏｃａｌＩＰＤＣＫＭＳＩＤフィールド３４２５はＩＰＤＣＫＭＳＩＤを有するローカル端末のためのノードであり、ＬｏｃａｌＩＰＤＣＯｐｅｒａｔｏｒＩＤフィールド３４２７はＩＰＤＣＯｐｅｒａｔｏｒＩＤを有するローカル端末のためのノードであり、ＥＳＧＢｏｏｔｓｔｒａｐＥｎｔｒｙＰｏｉｎｔフィールド３４２９はＥＳＧブートストラップ関連情報を搬送するノードであり、ＥＳＧＢｏｏｔｓｔｒａｐＥｎｔｒｙＰｏｉｎｔＵＲＬフィールド３４３３は双方向ネットワークを通じてＥＳＧブートストラップ情報を要求するためのエントリポイントＵＲＬを示すノードであり、ＥｎｔｒｙＰｏｉｎｔＡｔｔｒｉフィールド３４３５又は３４８７はエントリポイントの特性情報を搬送するノードであり、ＩＰＰｌａｔｆｏｒｍフィールド３４３９又は３４９９はＩＰプラットフォーム関連情報を搬送するノードであり、ＩＰＰｌａｔｆｏｒｍＩＤフィールド３４４３又は３５０３はＩＰプラットフォーム識別子（ＩＤ）を搬送するノードであり、ＥＳＧＰｒｏｖｉｄｅｒフィールド３４４５又は３５０５はＥＳＧプロバイダ関連情報を搬送するノードであり、ＥＳＧＰｒｏｖｉｄｅｒＵＲＩフィールド３４４９又は３５０９はＥＳＧプロバイダを識別するＵＲＩを搬送するノードであり、ＥＳＧフィールド３４５１又は３５１１はＥＳＧ関連情報を搬送するノードであり、ＥＳＧＵＲＩフィールド３４５５又は３５１５はＥＳＧブートストラップで探すことができるＥＳＧＵＲＩを示すノードであり、ＡｒｅａＰａｒａｍｅｔｅｒｓフィールド３４５７又は３５１７は領域関連パラメータを搬送するノードであり、ＡｒｅａＰａｒａｍｅｔｅｒフィールド３４６１又は３５２１はネットワークＩＤ、セルＩＤ、ＭＣＣ、ＭＮＣ、ＧＰＳ、国家コードのような領域関連パラメータを搬送するノードであり、ＮｅｔｗｏｒｋＩｎｆｏｓフィールド３４６３又は３５２３はネットワーク関連情報を搬送するノードであり、ＮｅｔｗｏｒｋＩｎｆｏフィールド３４６７又は３５２７はネットワークタイプ及びネットワークＩＤのようなネットワーク関連パラメータ搬送するノードであり、Ｔｕｎｉｎｇｐａｒａｍｅｔｅｒｓフィールド３４６９又は３５２９はチューニング関連情報を搬送するノードであり、Ｔｕｎｉｎｇｐａｒａｍｅｔｅｒフィールド３４７３又は３５３３は関連したチューニングパラメータを搬送するノードであり、Ｅｘｔフィールド３４７５、３５３５、３５３７、３５３９は追加又は拡張のためのノードである。
【０５９７】
ＲｏａｍｉｎｇＰａｒｔｎｅｒＯｕｔｓｉｄｅフィールド３４７７は、ホームカバレッジ領域の外部地域でローカルＩＰＤＣ  ＫＭＳシステム及びＩＰＤＣオペレータのためのローミングパートナー関連情報を搬送するノードであり、ＥＳＧＢｏｏｔｓｔｒａｐＥｎｔｒｙＰｏｉｎｔｏｕｔフィールド３４８１はＥＳＧブートストラップエントリポイント関連情報を搬送するノードであり、ＥＳＧＢｏｏｔｓｔｒａｐＥｎｔｒｙＰｏｉｎｔｏｕｔＵＲＬフィールド３４８５は双方向ネットワークを通じてＥＳＧブートストラップ情報を要求するためのエントリポイントＵＲＬを示すノードである。
【０５９８】
Ｏｐｅｒａｔｏｒフィールド３４９１はオペレータ情報を搬送するノードであり、ＯｕｔｓｉｄｅＲｏａｍｉｎｇＩＰＤＣＫＭＳＩＤフィールド３４９５は、ローカル端末のためのＩＰＤＣＫＭＳＩＤを有するローミングＩＰＤＣ  ＫＭＳシステムを搬送し、且つホーム（ローカル）ＩＰＤＣ  ＫＭＳシステム及びオペレータとローミング協定を結んでいるＩＰＤＣ  ＫＭＳシステムを示すノードであり、ＯｕｔｓｉｄｅＲｏａｍｉｎｇＩＰＤＣＯｐｅｒａｔｏｒＩＤフィールド３４９７はローカル端末のためのＩＰＤＣＯｐｅｒａｔｏｒＩＤを有するローミングＩＰＤＣオペレータを搬送し、且つホーム（ローカル）ＩＰＤＣオペレータとローミング協定を結んでいるＩＰＤＣオペレータを示すノードである。
【０５９９】
下記の＜表４４３＞は、上記したノード＜ｘ＞をより詳細に示す。
【表４４３】
0005394406.tif 000444
【０６００】
＜表４４４＞は、上記したノード＜ｘ＞／ＩＰＤＣ／をより詳細に示す。
【表４４４】
0005394406.tif 000445
【０６０１】
＜表４４５＞は、上記したノード＜ｘ＞／ＩＰＤＣ／＜ｘ＞をより詳細に示す。
【表４４５】
0005394406.tif 000446
【０６０２】
下記の＜表４４６＞は、上記したノード＜ｘ＞／ＩＰＤＣ／＜ｘ＞／ＬｏｃａｌＩＰＤＣＫＭＳＩＤ／をより詳細に示す。
【表４４６】
0005394406.tif 000447
【０６０３】
下記の＜表４４７＞は、上記したノード＜ｘ＞／ＩＰＤＣ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表４４７】
0005394406.tif 000448
【０６０４】
下記の＜表４４８＞は、上記したノード＜ｘ＞／ＩＰＤＣ／＜ｘ＞／ＥＳＧＢｏｏｔｓｔｒａｐＥｎｔｒｙＰｏｉｎｔ／を更に詳細に示す。
【表４４８】
0005394406.tif 000449
【０６０５】
＜表４４９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞をより詳細に示す。
【表４４９】
0005394406.tif 000450
【０６０６】
下記の＜表４５０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥＳＧＢｏｏｔｓｔｒａｐＥｎｔｒｙＰｏｉｎｔＵＲＬ／をより詳細に示す。
【表４５０】
0005394406.tif 000451
【０６０７】
下記の＜表４５１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／をより詳細に示す。
【表４５１】
0005394406.tif 000452
【０６０８】
＜表４５２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞をより詳細に示す。
【表４５２】
0005394406.tif 000453
【０６０９】
下記の＜表４５３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／をより詳細に示す。
【表４５３】
0005394406.tif 000454
【０６１０】
＜表４５４＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞をより詳細に示す。
【表４５４】
0005394406.tif 000455
【０６１１】
＜表４５５＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞／ＩＰＰｌａｔｆｏｒｍＩＤ／をより詳細に示す。
【表４５５】
0005394406.tif 000456
【０６１２】
下記の＜表４５６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／を更に詳細に示す。
【表４５６】
0005394406.tif 000457
【０６１３】
下記の＜表４５７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞をより詳細に示す。
【表４５７】
0005394406.tif 000458
【０６１４】
下記の＜表４５８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞／ＥＳＧＰｒｏｖｉｄｅｒＵＲＩ／をより詳細に示す。
【表４５８】
0005394406.tif 000459
【０６１５】
＜表４５９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／をより詳細に示す。
【表４５９】
0005394406.tif 000460
【０６１６】
下記の＜表４６０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞をより詳細に示す。
【表４６０】
0005394406.tif 000461
【０６１７】
下記の＜表４６１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞／ＥＳＧＵＲＩ／をより詳細に示す。
【表４６１】
0005394406.tif 000462
【０６１８】
＜表４６２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／をより詳細に示す。
【表４６２】
0005394406.tif 000463
【０６１９】
下記の＜表４６３＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞をより詳細に示す。
【表４６３】
0005394406.tif 000464
【０６２０】
＜表４６４＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞／ＡｒｅａＰａｒａｍｅｔｅｒ／をより詳細に示す。
【表４６４】
0005394406.tif 000465
【０６２１】
＜表４６５＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／をより詳細に示す。
【表４６５】
0005394406.tif 000466
【０６２２】
下記の＜表４６６＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞をより詳細に示す。
【表４６６】
0005394406.tif 000467
【０６２３】
下記の＜表４６７＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞／ＮｅｔｗｏｒｋＩｎｆｏ／を更に詳細に示す。
【表４６７】
0005394406.tif 000468
【０６２４】
下記の＜表４６８＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／をより詳細に示す。
【表４６８】
0005394406.tif 000469
【０６２５】
＜表４６９＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞をより詳細に示す。
【表４６９】
0005394406.tif 000470
【０６２６】
下記の＜表４７０＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞／Ｔｕｎｉｎｇｐａｒａｍｅｔｅｒ／をより詳細に示す。
【表４７０】
0005394406.tif 000471
【０６２７】
下記の＜表４７１＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｅｘｔ／をより詳細に示す。
【表４７１】
0005394406.tif 000472
【０６２８】
＜表４７２＞は、上記したノード＜ｘ＞／ＩＰＤＣ／＜ｘ＞／ＥＳＧＢｏｏｔｓｔｒａｐＥｎｔｒｙＰｏｉｎｔ／＜ｘ＞／Ｅｘｔ／をより詳細に示す。
【表４７２】
0005394406.tif 000473
【０６２９】
下記の＜表４７３＞は、上記したノード＜ｘ＞／ＩＰＤＣ／＜ｘ＞／ＲｏａｍｉｎｇＰａｒｔｎｅｒＯｕｔｓｉｄｅ／を更に詳細に示す。
【表４７３】
0005394406.tif 000474
【０６３０】
＜表４７４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞をより詳細に示す。
【表４７４】
0005394406.tif 000475
【０６３１】
＜表４７５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／をより詳細に示す。
【表４７５】
0005394406.tif 000476
【０６３２】
下記の＜表４７６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞を更に詳細に示す。
【表４７６】
0005394406.tif 000477
【０６３３】
下記の＜表４７７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥＳＧＢｏｏｔｓｔｒａｐＥｎｔｒｙＰｏｉｎｔＯｕｔＵＲＬ／をより詳細に示す。
【表４７７】
0005394406.tif 000478
【０６３４】
下記の＜表４７８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／をより詳細に示す。
【表４７８】
0005394406.tif 000479
【０６３５】
＜表４７９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞をより詳細に示す。
【表４７９】
0005394406.tif 000480
【０６３６】
下記の＜表４８０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｏｐｅｒａｔｏｒ／をより詳細に示す。
【表４８０】
0005394406.tif 000481
【０６３７】
下記の＜表４８１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｏｐｅｒａｔｏｒ／＜ｘ＞をより詳細に示す。
【表４８１】
0005394406.tif 000482
【０６３８】
＜表４８２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｏｐｅｒａｔｏｒ／＜ｘ＞／ＯｕｔｓｉｄｅＲｏａｍｉｎｇＩＰＤＣＫＭＳＩＤ／を更に詳細に示す。
【表４８２】
0005394406.tif 000483
【０６３９】
下記の＜表４８３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｏｐｅｒａｔｏｒ／＜ｘ＞／ＯｕｔｓｉｄｅＲｏａｍｉｎｇＩＰＤＣＫＭＳＩＤ／ＯｕｔｓｉｄｅＲｏａｍｉｎｇＩＰＤＣＯｐｅｒａｔｏｒＩＤ／をより詳細に示す。
【表４８３】
0005394406.tif 000484
【０６４０】
＜表４８４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＩＰＰｌａｔｆｏｒｍ／をより詳細に示す。
【表４８４】
0005394406.tif 000485
【０６４１】
＜表４８５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＩＰＰｌａｔｆｏｒｍ／＜ｘ＞を更に詳細に示す。
【表４８５】
0005394406.tif 000486
【０６４２】
下記の＜表４８６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＩＰＰｌａｔｆｏｒｍ／＜ｘ＞／ＩＰＰｌａｔｆｏｒｍＩＤ／を詳細に示す。
【表４８６】
0005394406.tif 000487
【０６４３】
下記の＜表４８７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧＰｒｏｖｉｄｅｒ／をより詳細に示す。
【表４８７】
0005394406.tif 000488
【０６４４】
下記の＜表４８８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧＰｒｏｖｉｄｅｒ／＜ｘ＞をより詳細に示す。
【表４８８】
0005394406.tif 000489
【０６４５】
＜表４８９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧＰｒｏｖｉｄｅｒ／＜ｘ＞／ＥＳＧＰｒｏｖｉｄｅｒＵＲＩ／をより詳細に示す。
【表４８９】
0005394406.tif 000490
【０６４６】
下記の＜表４９０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧ／をより詳細に示す。
【表４９０】
0005394406.tif 000491
【０６４７】
下記の＜表４９１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧ／＜ｘ＞をより詳細に示す。
【表４９１】
0005394406.tif 000492
【０６４８】
＜表４９２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＥＳＧ／＜ｘ＞／ＥＳＧＵＲＩ／をより詳細に示す。
【表４９２】
0005394406.tif 000493
【０６４９】
下記の＜表４９３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＡｒｅａＰａｒａｍｅｔｅｒｓ／をより詳細に示す。
【表４９３】
0005394406.tif 000494
【０６５０】
＜表４９４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＡｒｅａＰａｒａｍｅｔｅｒｓ／＜ｘ＞を更に詳細に示す。
【表４９４】
0005394406.tif 000495
【０６５１】
＜表４９５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＡｒｅａＰａｒａｍｅｔｅｒｓ／＜ｘ＞／ＡｒｅａＰａｒａｍｅｔｅｒ／を更に詳細に示す。
【表４９５】
0005394406.tif 000496
【０６５２】
下記の＜表４９６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＮｅｔｗｏｒｋＩｎｆｏｓ／をより詳細に示す。
【表４９６】
0005394406.tif 000497
【０６５３】
下記の＜表４９７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＮｅｔｗｏｒｋＩｎｆｏｓ／＜ｘ＞をより詳細に示す。
【表４９７】
0005394406.tif 000498
【０６５４】
下記の＜表４９８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／ＮｅｔｗｏｒｋＩｎｆｏｓ／＜ｘ＞／ＮｅｔｗｏｒｋＩｎｆｏ／をより詳細に示す。
【表４９８】
0005394406.tif 000499
【０６５５】
＜表４９９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｔｕｎｉｎｇｐａｒａｍｅｔｅｒｓ／をより詳細に示す。
【表４９９】
0005394406.tif 000500
【０６５６】
下記の＜表５００＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｔｕｎｉｎｇｐａｒａｍｅｔｅｒｓ／＜ｘ＞をより詳細に示す。
【表５００】
0005394406.tif 000501
【０６５７】
下記の＜表５０１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｔｕｎｉｎｇｐａｒａｍｅｔｅｒｓ／＜ｘ＞／Ｔｕｎｉｎｇｐａｒａｍｅｔｅｒ／を更に詳細に示す。
【表５０１】
0005394406.tif 000502
【０６５８】
＜表５０２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔＯｕｔ／＜ｘ＞／ＥｎｔｒｙＰｏｉｎｔＯｕｔＡｔｔｒｉ／＜ｘ＞／Ｅｘｔ／をより詳細に示す。
【表５０２】
0005394406.tif 000503
【０６５９】
下記の＜表５０３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／Ｅｘｔ／をより詳細に示す。
【表５０３】
0005394406.tif 000504
【０６６０】
以下、図３５及び図３６を参照して、本発明の第９の実施形態によるＤＭサーバ及び端末の動作について説明する。
【０６６１】
図３５は、本発明の第９の実施形態によるＤＭサーバの動作を示す。以下で述べる本発明の第９の実施形態によるＤＭサーバの動作は、本発明の第８の実施形態によるＤＭサーバの動作と同様である。
【０６６２】
図３５を参照すると、ＤＭサーバは、ステップ３５５０で端末と通信を確立し、ステップ３５７０で、端末からの要求に応じてローミングパートナーに対するＥＳＧブートストラップエントリポイント情報を端末に送信する。
【０６６３】
図３６は、本発明の第９の実施形態による端末の動作を示す。
【０６６４】
図３６を参照すると、端末は、ステップ３６０１でターンオンされ、ステップ３６０３でＤＭサーバにアクセスする。ステップ３６０５で、端末は、通信が確立された後に、ＤＭサーバからＥＳＧブートストラップエントリポイント情報を受信する。端末は、ローミングカバレッジ内の自分のローミングパートナーに対するＥＳＧブートストラップエントリポイントを探すことができる。
【０６６５】
ステップ３６０７で、オペレータが他のカバレッジ領域に移動する場合に適切なブートストラップを所望すると、ＭＯでローミングパートナーのための特定ＥＳＧブートストラップエントリポイントを決定する。ステップ３６０９で、端末は、ローミングパートナーのためのＥＳＧブートストラップエントリポイントを選択する。ステップ３６１１で、端末は、選択されたＥＳＧブートストラップエントリポイントからＥＳＧブートストラップ情報を要求する。ステップ３６１３で、端末は、ローミング状況に適切なＥＳＧブートストラップ情報を受信してＥＳＧを選択する。その結果、ステップ３６１５で、端末は、選択されたＥＳＧを通じてアクセスするサービスを選択する。
【０６６６】
≪第１０の実施形態によるＯＭＡ  ＤＭメカニズム≫
上記した本発明の第１〜第９の実施形態によるＯＭＡ  ＤＭメカニズムは、ＯＭＡ  ＤＭを用いてＥＳＧブートストラップエントリポイントを提供する。しかし、ＯＭＡ  ＤＭを用いる同一の方式でＥＳＧのエントリポイントを提供することができる。このために、本発明の第１〜第９の実施形態によるメカニズムでの“ＥＳＧＢｏｏｔｓｔｒａｐＥｎｔｒｙＰｏｉｎｔ”を“ＥＳＧＥｎｔｒｙＰｏｉｎｔ”に置き換え、“ＥＳＧＢｏｏｔｓｔｒａｐＥｎｔｒｙＰｏｉｎｔＵＲＬ”を“ＥＳＧＥｎｔｒｙＰｏｉｎｔＵＲＬ”に置き換えることができる。また、端末は、ＯＭＡ  ＤＭが提供するエントリポイントを用いてＥＳＧを直接に要求できる。
【０６６７】
以下、本発明の第１０の実施形態によるＯＭＡ  ＤＭメカニズムは、上記ＯＭＡ  ＤＭメカニズムに基づいたローミングパートナーのためのＥＳＧエントリポイントに対する一例を提示する。一方、同一の方式でローカルオペレータのためのＥＳＧエントリポイントを提供できる。
【０６６８】
図３７は、本発明の第１０の実施形態によるＯＭＡ  ＤＭメカニズムのＭＯを示す。
【０６６９】
図３７を参照すると、Ｘフィールド３７０１、３７０５、３７１３、３７２１、３７２７、３７３１、３７３７、３７４３、３７４９、３７５５、３７６１はプレースホルダの役割をするノードであり、ＩＰＤＣフィールド３７０３はＩＰＤＣ端末のためのノードであり、ＬｏｃａｌＩＰＤＣＫＭＳＩＤフィールド３７０７はＩＰＤＣＫＭＳＩＤを有するローカル端末のためのノードであり、ＬｏｃａｌＩＰＤＣＯｐｅｒａｔｏｒＩＤフィールド３７０９はＩＰＤＣＯｐｅｒａｔｏｒＩＤを有するローカル端末のためのノードであり、ＲｏａｍｉｎｇＰａｒｔｎｅｒＯｕｔｓｉｄｅフィールド３７１１はホームカバレッジの外部領域でローカルＩＰＤＣ  ＫＭＳシステム及びＩＰＤＣオペレータのためのローミングパートナー関連情報を搬送するノードである。更に、ＯｕｔｓｉｄｅＲｏａｍｉｎｇＩＰＤＣＫＭＳＩＤフィールド３７１５はローカル端末のためのこのＩＰＤＣＫＭＳＩＤを有するローミングＩＰＤＣ  ＫＭＳシステムを搬送するノードであり、且つホーム（ローカル）ＩＰＤＣ  ＫＭＳシステム及びオペレータとローミング協定を結んでいるＩＰＤＣ  ＫＭＳシステムを示し、ＯｕｔｓｉｄｅＲｏａｍｉｎｇＩＰＤＣＯｐｅｒａｔｏｒＩＤフィールド３７１７はローカル端末のためのＩＰＤＣＯｐｅｒａｔｏｒＩＤを有するローミングＩＰＤＣオペレータを搬送するノードであり、且つホーム（ローカル）ＩＰＤＣオペレータとローミング協定がなされているＩＰＤＣオペレータを示し、ＥＳＧＥｎｔｒｙＰｏｉｎｔフィールド３７１９はＥＳＧブートストラップ関連情報を搬送するノードであり、ＥＳＧＥｎｔｒｙＰｏｉｎｔＵＲＬフィールド３７２３は双方向ネットワークを通じてＥＳＧを要求するためのエントリポイントＵＲＬを示すノードである。また、ＥｎｔｒｙＰｏｉｎｔＡｔｔｒｉフィールド３７２５はエントリポイントの特性情報を搬送するノードであり、ＥＳＧフィールド３７２９はＥＳＧ関連情報を搬送するノードであり、ＥＳＧＵＲＩフィールド３７３３は  ＥＳＧブートストラップ内で探すことができるＥＳＧＵＲＩを示すノードであり、ＥＳＧＰｒｏｖｉｄｅｒフィールド３７３５はＥＳＧプロバイダ関連情報を搬送するノードであり、ＥＳＧＰｒｏｖｉｄｅｒＵＲＩフィールド３７３９はＥＳＧプロバイダを識別するＵＲＩを搬送するノードであり、ＡｒｅａＰａｒａｍｅｔｅｒｓフィールド３７４１は領域関連パラメータを搬送するノードであり、ＡｒｅａＰａｒａｍｅｔｅｒフィールド３７４５はネットワークＩＤ、セルＩＤ、ＭＣＣ、ＭＮＣ、ＧＰＳ、国家コードのような領域関連パラメータを搬送するノードであり、ＮｅｔｗｏｒｋＩｎｆｏｓフィールド３７４７はネットワーク関連情報を搬送するノードであり、ＮｅｔｗｏｒｋＩｎｆｏフィールド３７５１はネットワークタイプ及びネットワークＩＤのようなネットワーク関連パラメータ搬送するノードであり、ＩＰＰｌａｔｆｏｒｍフィールド３７５３はＩＰプラットフォーム関連情報を搬送するノードであり、ＩＰＰｌａｔｆｏｒｍＩＤフィールド３７５７はＩＰプラットフォーム識別子（ＩＤ）を搬送するノードであり、Ｔｕｎｉｎｇｐａｒａｍｅｔｅｒｓフィールド３７５９はチューニング関連情報を搬送するノード��あり、Ｔｕｎｉｎｇｐａｒａｍｅｔｅｒフィールド３７６３は関連したチューニングパラメータを搬送するノードであり、Ｅｘｔフィールド３７６５又は３７６７は追加又は拡張のためのノードである。
【０６７０】
＜表５０４＞は、上記したノード＜ｘ＞をより詳細に示す。
【表５０４】
0005394406.tif 000505
【０６７１】
＜表５０５＞は、上記したノード＜ｘ＞／ＩＰＤＣ／をより詳細に示す。
【表５０５】
0005394406.tif 000506
【０６７２】
下記の＜表５０６＞は、上記したノード＜ｘ＞／ＩＰＤＣ／＜ｘ＞をより詳細に示す。
【表５０６】
0005394406.tif 000507
【０６７３】
下記の＜表５０７＞は、上記したノード＜ｘ＞／ＩＰＤＣ／＜ｘ＞／ＬｏｃａｌＩＰＤＣＫＭＳＩＤ／をより詳細に示す。
【表５０７】
0005394406.tif 000508
【０６７４】
下記の＜表５０８＞は、上記したノード＜ｘ＞／ＩＰＤＣ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表５０８】
0005394406.tif 000509
【０６７５】
＜表５０９＞は、上記したノード＜ｘ＞／ＩＰＤＣ／＜ｘ＞／ＲｏａｍｉｎｇＰａｒｔｎｅｒＯｕｔｓｉｄｅ／をより詳細に示す。
【表５０９】
0005394406.tif 000510
【０６７６】
下記の＜表５１０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞をより詳細に示す。
【表５１０】
0005394406.tif 000511
【０６７７】
下記の＜表５１１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／をより詳細に示す。
【表５１１】
0005394406.tif 000512
【０６７８】
＜表５１２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／ＯｕｔｓｉｄｅＲｏａｍｉｎｇＩＰＤＣＯｐｅｒａｔｏｒＩＤ／をより詳細に示す。
【表５１２】
0005394406.tif 000513
【０６７９】
下記の＜表５１３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＥｎｔｒｙＰｏｉｎｔ／をより詳細に示す。
【表５１３】
0005394406.tif 000514
【０６８０】
＜表５１４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞をより詳細に示す。
【表５１４】
0005394406.tif 000515
【０６８１】
＜表５１５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥＳＧＥｎｔｒｙＰｏｉｎｔＵＲＬ／を更に詳細に示す。
【表５１５】
0005394406.tif 000516
【０６８２】
下記の＜表５１６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／をより詳細に示す。
【表５１６】
0005394406.tif 000517
【０６８３】
下記の＜表５１７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞をより詳細に示す。
【表５１７】
0005394406.tif 000518
【０６８４】
下記の＜表５１８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／をより詳細に示す。
【表５１８】
0005394406.tif 000519
【０６８５】
＜表５１９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞をより詳細に示す。
【表５１９】
0005394406.tif 000520
【０６８６】
下記の＜表５２０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧ／＜ｘ＞／ＥＳＧＵＲＩ／をより詳細に示す。
【表５２０】
0005394406.tif 000521
【０６８７】
下記の＜表５２１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／をより詳細に示す。
【表５２１】
0005394406.tif 000522
【０６８８】
＜表５２２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞をより詳細に示す。
【表５２２】
0005394406.tif 000523
【０６８９】
下記の＜表５２３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＥＳＧＰｒｏｖｉｄｅｒ／＜ｘ＞／ＥＳＧＰｒｏｖｉｄｅｒＵＲＩ／を更に詳細に示す。
【表５２３】
0005394406.tif 000524
【０６９０】
＜表５２４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／をより詳細に示す。
【表５２４】
0005394406.tif 000525
【０６９１】
＜表５２５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞をより詳細に示す。
【表５２５】
0005394406.tif 000526
【０６９２】
下記の＜表５２６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＡｒｅａＰａｒａｍｅｔｅｒｓ／＜ｘ＞／ＡｒｅａＰａｒａｍｅｔｅｒ／をより詳細に示す。
【表５２６】
0005394406.tif 000527
【０６９３】
下記の＜表５２７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／をより詳細に示す。
【表５２７】
0005394406.tif 000528
【０６９４】
下記の＜表５２８＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞をより詳細に示す。
【表５２８】
0005394406.tif 000529
【０６９５】
＜表５２９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＮｅｔｗｏｒｋＩｎｆｏｓ／＜ｘ＞／ＮｅｔｗｏｒｋＩｎｆｏ／をより詳細に示す。
【表５２９】
0005394406.tif 000530
【０６９６】
下記の＜表５３０＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／をより詳細に示す。
【表５３０】
0005394406.tif 000531
【０６９７】
下記の＜表５３１＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞をより詳細に示す。
【表５３１】
0005394406.tif 000532
【０６９８】
＜表５３２＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／ＩＰＰｌａｔｆｏｒｍ／＜ｘ＞／ＩＰＰｌａｔｆｏｒｍＩＤ／をより詳細に示す。
【表５３２】
0005394406.tif 000533
【０６９９】
下記の＜表５３３＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／をより詳細に示す。
【表５３３】
0005394406.tif 000534
【０７００】
＜表５３４＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒｓ／＜ｘ＞をより詳細に示す。
【表５３４】
0005394406.tif 000535
【０７０１】
＜表５３５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｔｕｎｉｎｇｐａｒａｍｅｔｅｒ／＜ｘ＞／Ｔｕｎｉｎｇｐａｒａｍｅｔｅｒをより詳細に示す。
【表５３５】
0005394406.tif 000536
【０７０２】
下記の＜表５３６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＥＳＧＢｏｏｔｓｔｒａｐＥｎｔｒｙＰｏｉｎｔ／＜ｘ＞／ＥｎｔｒｙＰｏｉｎｔＡｔｔｒｉ／＜ｘ＞／Ｅｘｔ／をより詳細に示す。
【表５３６】
0005394406.tif 000537
【０７０３】
下記の＜表５３７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／Ｅｘｔ／をより詳細に示す。
【表５３７】
0005394406.tif 000538
【０７０４】
以下、図３８及び図３９を参照して、本発明の第１０の実施形態によるＤＭサーバ及び端末の動作について説明する。
【０７０５】
図３８は、本発明の第１０の実施形態によるＤＭサーバの動作を示す。
【０７０６】
以下に述べる本発明の第１０の実施形態によるＤＭサーバの動作は、本発明の第８及び第９の実施形態によるＤＭサーバの動作と同様である。
【０７０７】
図３８を参照すると、ＤＭサーバは、ステップ３８０１で端末と通信を確立し、ステップ３８０３で端末からの要求に応じてローミングパートナーに対するＥＳＧブートストラップエントリポイント情報を端末に送信する。
【０７０８】
図３９は、本発明の第１０の実施形態による端末の動作を示す。
【０７０９】
図３９を参照すると、端末は、ステップ３９０１でターンオンされ、ステップ３９０３でＤＭサーバにアクセスする。その後、ステップ３９０５で、端末は、通信が確立された後にＤＭサーバからＥＳＧブートストラップエントリポイント情報を受信する。その後、端末は、ローミングカバレッジ内の自身のローミングパートナーに対するＥＳＧブートストラップエントリポイントを探すことができる。
【０７１０】
ステップ３９０７で、端末は、オペレータが他のカバレッジ領域に移動する場合に適切なブートストラップを所望すると、ＭＯでローミングパートナーのための特定ＥＳＧエントリポイントを決定する。ステップ３９０９で、端末は、ローミングパートナーのためのＥＳＧエントリポイントを選択する。端末は、ステップ３９１１で、選択したＥＳＧエントリポイントからＥＳＧ情報を要求する。端末は、ステップ３９１３で、ローミング状況に適切なＥＳＧ情報を受信してＥＳＧを選択する。この結果、ステップ３９１５で、端末は、選択したＥＳＧを通じてアクセスするサービスを選択する。
【０７１１】
≪第１１の実施形態によるＯＭＡ  ＤＭメカニズム≫
ＯＭＡ  ＤＭは、上記したブートストラップのために、或いは本発明の第１１の実施形態によってプロビジョンニングのために使用できる。
【０７１２】
ステージ１の仕様に基づいたＥＳＧ検索メカニズムは、次のようである。
１）端末がＰＳＩ／ＳＩを受信する。
２）端末がＰＳＩ／ＳＩで列挙されたＩＰプラットフォームに基づいてＩＰプラットフォームを選択する。
３）端末は、選択されたＩＰプラットフォームのためのＥＳＧブートストラップを受信する。
４）端末は、ＥＳＧＰｒｏｖｉｄｅｒＤｉｓｃｏｖｅｒｙディスクリプタ内の列挙されたＥＳＧプロバイダからＥＳＧプロバイダを選択する。
５）端末は、ＥＳＧブートストラップのＥＳＧＡｃｃｅｓｓＤｅｓｃｒｉｐｔｏｒに列挙されたＥＳＧからＥＳＧを選択して検索する。
【０７１３】
どのＩＰプラットフォーム、ＥＳＧプロバイダ、又はＥＳＧが適切であるかに関する情報が省略されているため、端末にプロビジョニング情報を提供できる。このプロビジョニング情報に基づいて、端末は、アクセスする適切な対象を決定でき選択できる。
【０７１４】
ローミングシナリオにおいて、プロビジョニング情報は更に重要である。従って、ローミングシナリオのためのプロビジョニングを提供することができる。
【０７１５】
以下、図４０を参照してＯＭＡ  ＤＭによってプロビジョニング情報をシグナリングする例を説明する。
【０７１６】
図４０は、本発明の第１１の実施形態によるＯＭＡ  ＤＭメカニズムのＭＯを示す。
【０７１７】
図４０を参照すると、Ｘフィールド４００１、４００５、４０１３、４０１７、４０２３、４０２９、４０３５、４０４１、４０４７、４０５５、４０６５、４０６９、４０７５、４０８１、４０８７、４０９３、４０９９はプレースホルダの役割をするノードであり、ＩＰＤＣフィールド４００３はＩＰＤＣ端末のためのノードであり、ＬｏｃａｌＩＰＤＣＫＭＳＩＤフィールド４００７はＩＰＤＣＫＭＳＩＤを有するローカル端末のためのノードであり、ＬｏｃａｌＩＰＤＣＯｐｅｒａｔｏｒＩＤフィールド４００９はＩＰＤＣＯｐｅｒａｔｏｒＩＤを有するローカル端末のためのノードである。更に、ＬｏｃａｌＯｐｅｒａｔｏｒＡｔｔｒｉフィールド４０１１は、ローカルＩＰＤＣオペレータに関する特性情報を搬送するノードであり、ＩＰＰｌａｔｆｏｒｍフィールド４０１５又は４０６７はＩＰプラットフォーム関連情報を搬送するノードであり、ＩＰＰｌａｔｆｏｒｍＩＤフィールド４０１９又は４０７１はＩＰプラットフォーム識別子（ＩＤ）を搬送するノードであり、ＥＳＧＰｒｏｖｉｄｅｒフィールド４０２１又は４０７３はＥＳＧプロバイダ関連情報を搬送するノードであり、ＥＳＧＰｒｏｖｉｄｅｒＵＲＩフィールド４０２５又は４０７７はＥＳＧプロバイダを識別するＵＲＩを搬送するノードであり、ＥＳＧフィールド４０２７又は４０７９はＥＳＧ関連情報を搬送するノードであり、ＥＳＧＵＲＩフィールド４０３１又は４０８３はＥＳＧブートストラップで探すことができるＥＳＧＵＲＩを示すノードであり、ＡｒｅａＰａｒａｍｅｔｅｒｓフィールド４０３３又は４０８５は領域関連パラメータを搬送するノードであり、ＡｒｅａＰａｒａｍｅｔｅｒフィールド４０３７又は４０８９はネットワークＩＤ、セルＩＤ、ＭＣＣ、ＭＮＣ、ＧＰＳ、国家コードのような領域関連パラメータを搬送するノードであり、ＮｅｔｗｏｒｋＩｎｆｏｓフィールド４０３９又は４０９１はネットワーク関連情報を搬送するノードであり、ＮｅｔｗｏｒｋＩｎｆｏフィールド４０４３又は４０９５はネットワークタイプ（衛星、地上、双方向ネットワークなど）及びネットワークＩＤのようなネットワーク関連パラメータ搬送するノードであり、Ｔｕｎｉｎｇｐａｒａｍｅｔｅｒｓフィールド４０４５又は４０９７はチューニング関連情報を搬送するノードであり、Ｔｕｎｉｎｇｐａｒａｍｅｔｅｒフィールド４０４９又は３７０２は関連したチューニングパラメータを搬送するノードであり、Ｅｘｔフィールド４０５１、４０５７、３７０４、３７０６は追加又は拡張のためのノードである。更に、ＲｏａｍｉｎｇＰａｒｔｎｅｒＯｕｔｓｉｄｅフィールド４０５３は、ホームカバレッジ領域の外部地域でローカルＩＰＤＣ  ＫＭＳシステム及びＩＰＤＣオペレータのためのローミングパートナー関連情報を搬送するノードであり、ＯｕｔｓｉｄｅＲｏａｍｉｎｇＩＰＤＣＫＭＳＩＤフィールド４０５９は、ローカル端末のためのＩＰＤＣＫＭＳＩＤを有するローミングＩＰＤＣ  ＫＭＳシステムを搬送し、且つホーム（ローカル）ＩＰＤＣ  ＫＭＳシステム及びオペレータとローミング協定を結んでいるＩＰＤＣ  ＫＭＳシステムを示すノードであり、ＯｕｔｓｉｄｅＲｏａｍｉｎｇＩＰＤＣＯｐｅｒａｔｏｒＩＤ���ィールド４０６１はローカル端末のためのＩＰＤＣＯｐｅｒａｔｏｒＩＤを有するローミングＩＰＤＣオペレータを搬送し、且つホーム（ローカル）ＩＰＤＣオペレータとローミング協定を結んでいるＩＰＤＣオペレータを示すノードであり、ＲｏａｍｉｎｇＰａｒｔｎｅｒＡｔｔｒｉフィールド４０６３はローミングパートナーに関する特性情報を搬送するノーである。
【０７１８】
下記の＜表５３８＞は、上記したノード＜ｘ＞をより詳細に示す。
【表５３８】
0005394406.tif 000539
【０７１９】
＜表５３９＞は、上記したノード＜ｘ＞／ＩＰＤＣ／をより詳細に示す。
【表５３９】
0005394406.tif 000540
【０７２０】
下記の＜表５４０＞は、上記したノード＜ｘ＞／ＩＰＤＣ／＜ｘ＞をより詳細に示す。
【表５４０】
0005394406.tif 000541
【０７２１】
下記の＜表５４１＞は、上記したノード＜ｘ＞／ＩＰＤＣ／＜ｘ＞／ＬｏｃａｌＩＰＤＣＫＭＳＩＤ／をより詳細に示す。
【表５４１】
0005394406.tif 000542
【０７２２】
＜表５４２＞は、上記したノード＜ｘ＞／ＩＰＤＣ／＜ｘ＞／ＬｏｃａｌＩＰＤＣＫＭＳＩＤ／ＬｏｃａｌＩＰＤＣＯｐｅｒａｔｏｒＩＤ／をより詳細に示す。
【表５４２】
0005394406.tif 000543
【０７２３】
下記の＜表５４３＞は、上記したノード＜ｘ＞／ＩＰＤＣ／＜ｘ＞／ＬｏｃａｌＯｐｅｒａｔｏｒＡｔｔｒｉ／を詳細に示す。
【表５４３】
0005394406.tif 000544
【０７２４】
＜表５４４＞は、上記したノード＜ｘ＞／ＩＰＤＣ／＜ｘ＞／ＬｏｃａｌＯｐｅｒａｔｏｒＡｔｔｒｉ／＜ｘ＞をより詳細に示す。
【表５４４】
0005394406.tif 000545
【０７２５】
＜表５４５＞は、上記したノード＜ｘ＞／ＩＰＤＣ／＜ｘ＞／ＬｏｃａｌＯｐｅｒａｔｏｒＡｔｔｒｉ／＜ｘ＞／ＩＰＰｌａｔｆｏｒｍ／をより詳細に示す。
【表５４５】
0005394406.tif 000546
【０７２６】
下記の＜表５４６＞は、上記したノード＜ｘ＞／ＩＰＤＣ／＜ｘ＞／ＬｏｃａｌＯｐｅｒａｔｏｒＡｔｔｒｉ／＜ｘ＞／ＩＰＰｌａｔｆｏｒｍ／＜ｘ＞をより詳細に示す。
【表５４６】
0005394406.tif 000547
【０７２７】
下記の＜表５４７＞は、上記したノード＜ｘ＞／ＩＰＤＣ／＜ｘ＞／ＬｏｃａｌＯｐｅｒａｔｏｒＡｔｔｒｉ／＜ｘ＞／ＩＰＰｌａｔｆｏｒｍ／＜ｘ＞／ＩＰＰｌａｔｆｏｒｍＩＤをより詳細に示す。
【表５４７】
0005394406.tif 000548
【０７２８】
下記の＜表５４８＞は、上記したノード＜ｘ＞／ＩＰＤＣ／＜ｘ＞／ＬｏｃａｌＯｐｅｒａｔｏｒＡｔｔｒｉ／＜ｘ＞／ＥＳＧＰｒｏｖｉｄｅｒ／をより詳細に示す。
【表５４８】
0005394406.tif 000549
【０７２９】
＜表５４９＞は、上記したノード＜ｘ＞／ＩＰＤＣ／＜ｘ＞／ＬｏｃａｌＯｐｅｒａｔｏｒＡｔｔｒｉ／＜ｘ＞／ＥＳＧＰｒｏｖｉｄｅｒ／＜ｘ＞を更に詳細に示す。
【表５４９】
0005394406.tif 000550
【０７３０】
下記の＜表５５０＞は、上記したノード＜ｘ＞／ＩＰＤＣ／＜ｘ＞／ＬｏｃａｌＯｐｅｒａｔｏｒＡｔｔｒｉ／＜ｘ＞／ＥＳＧＰｒｏｖｉｄｅｒ／＜ｘ＞／ＥＳＧＰｒｏｖｉｄｅｒＵＲＩをより詳細に示す。
【表５５０】
0005394406.tif 000551
【０７３１】
下記の＜表５５１＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／ＥＳＧ／をより詳細に示す。
【表５５１】
0005394406.tif 000552
【０７３２】
＜表５５２＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／ＥＳＧ／＜ｘ＞をより詳細に示す。
【表５５２】
0005394406.tif 000553
【０７３３】
下記の＜表５５３＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／ＥＳＧ／＜ｘ＞／ＥＳＧＵＲＩをより詳細に示す。
【表５５３】
0005394406.tif 000554
【０７３４】
＜表５５４＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／ＡｒｅａＰａｒａｍｅｔｅｒ／をより詳細に示す。
【表５５４】
0005394406.tif 000555
【０７３５】
＜表５５５＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／ＡｒｅａＰａｒａｍｅｔｅｒ／＜ｘ＞をより詳細に示す。
【表５５５】
0005394406.tif 000556
【０７３６】
下記の＜表５５６＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／ＡｒｅａＰａｒａｍｅｔｅｒ／＜ｘ＞／ＡｒｅａＰａｒａｍｅｔｅｒ／をより詳細に示す。
【表５５６】
0005394406.tif 000557
【０７３７】
下記の＜表５５７＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／ＮｅｔｗｏｒｋＩｎｆｏ／をより詳細に示す。
【表５５７】
0005394406.tif 000558
【０７３８】
＜表５５８＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／ＮｅｔｗｏｒｋＩｎｆｏ／＜ｘ＞をより詳細に示す。
【表５５８】
0005394406.tif 000559
【０７３９】
下記の＜表５５９＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／ＮｅｔｗｏｒｋＩｎｆｏ／＜ｘ＞／ＮｅｔｗｏｒｋＩｎｆｏ／をより詳細に示す。
【表５５９】
0005394406.tif 000560
【０７４０】
下記の＜表５６０＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／Ｔｕｎｉｎｇｐａｒａｍｅｔｅｒ／をより詳細に示す。
【表５６０】
0005394406.tif 000561
【０７４１】
＜表５６１＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／Ｔｕｎｉｎｇｐａｒａｍｅｔｅｒ／＜ｘ＞をより詳細に示す。
【表５６１】
0005394406.tif 000562
【０７４２】
下記の＜表５６２＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／Ｔｕｎｉｎｇｐａｒａｍｅｔｅｒ／＜ｘ＞／Ｔｕｎｉｎｇｐａｒａｍｅｔｅｒ／をより詳細に示す。
【表５６２】
0005394406.tif 000563
【０７４３】
＜表５６３＞は、上記したノード＜ｘ＞／ＩＰＤＣ／＜ｘ＞／ＬｏｃａｌＯｐｅｒａｔｏｒＡｔｔｒｉ／＜ｘ＞／ＥｎｔｒｙＰｏｉｎｔＡｔｔｒｉ／＜ｘ＞／Ｅｘｔ／をより詳細に示す。
【表５６３】
0005394406.tif 000564
【０７４４】
＜表５６４＞は、上記したノード＜ｘ＞／ＩＰＤＣ／＜ｘ＞／ＲｏａｍｉｎｇＰａｒｔｎｅｒＯｕｔｓｉｄｅ／をより詳細に示す。
【表５６４】
0005394406.tif 000565
【０７４５】
下記の＜表５６５＞は、上記したノード＜ｘ＞／ＩＰＤＣ／＜ｘ＞／ＲｏａｍｉｎｇＰａｒｔｎｅｒＯｕｔｓｉｄｅ／＜ｘ＞を更に詳細に示す。
【表５６５】
0005394406.tif 000566
【０７４６】
下記の＜表５６６＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／をより詳細に示す。
【表５６６】
0005394406.tif 000567
【０７４７】
下記の＜表５６７＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／ＯｕｔｓｉｄｅＲｏａｍｉｎｇＩＰＤＣＫＭＳＩＤ／ＯｕｔｓｉｄｅＲｏａｍｉｎｇＩＰＤＣＯｐｅｒａｔｏｒＩＤ／をより詳細に示す。
【表５６７】
0005394406.tif 000568
【０７４８】
＜表５６８＞は、上記したノード＜ｘ＞／ＩＰＤＣ／＜ｘ＞／ＲｏａｍｉｎｇＰａｒｔｎｅｒＡｔｔｒｉ／をより詳細に示す。
【表５６８】
0005394406.tif 000569
【０７４９】
下記の＜表５６９＞は、上記したノード＜ｘ＞／ＩＰＤＣ／＜ｘ＞／ＲｏａｍｉｎｇＰａｒｔｎｅｒＡｔｔｒｉ／＜ｘ＞を更に詳細に示す。
【表５６９】
0005394406.tif 000570
【０７５０】
下記の＜表５７０＞は、上記したノード＜ｘ＞／ＩＰＤＣ／＜ｘ＞／ＲｏａｍｉｎｇＰａｒｔｎｅｒＡｔｔｒｉ／＜ｘ＞／ＩＰＰｌａｔｆｏｒｍ／をより詳細に示す。
【表５７０】
0005394406.tif 000571
【０７５１】
＜表５７１＞は、上記したノード＜ｘ＞／ＩＰＤＣ／＜ｘ＞／ＲｏａｍｉｎｇＰａｒｔｎｅｒＡｔｔｒｉ／＜ｘ＞／ＩＰＰｌａｔｆｏｒｍ／＜ｘ＞をより詳細に示す。
【表５７１】
0005394406.tif 000572
【０７５２】
下記の＜表５７２＞は、上記したノード＜ｘ＞／ＩＰＤＣ／＜ｘ＞／ＲｏａｍｉｎｇＰａｒｔｎｅｒＡｔｔｒｉ／＜ｘ＞／ＩＰＰｌａｔｆｏｒｍ／＜ｘ＞／ＩＰＰｌａｔｆｏｒｍＩＤをより詳細に示す。
【表５７２】
0005394406.tif 000573
【０７５３】
＜表５７３＞は、上記したノード＜ｘ＞／ＩＰＤＣ／＜ｘ＞／ＲｏａｍｉｎｇＰａｒｔｎｅｒＡｔｔｒｉ／＜ｘ＞／ＥＳＧＰｒｏｖｉｄｅｒ／をより詳細に示す。
【表５７３】
0005394406.tif 000574
【０７５４】
＜表５７４＞は、上記したノード＜ｘ＞／ＩＰＤＣ／＜ｘ＞／ＲｏａｍｉｎｇＰａｒｔｎｅｒＡｔｔｒｉ／＜ｘ＞／ＥＳＧＰｒｏｖｉｄｅｒ／＜ｘ＞をより詳細に示す。
【表５７４】
0005394406.tif 000575
【０７５５】
下記の＜表５７５＞は、上記したノード＜ｘ＞／ＩＰＤＣ／＜ｘ＞／ＲｏａｍｉｎｇＰａｒｔｎｅｒＡｔｔｒｉ／＜ｘ＞／ＥＳＧＰｒｏｖｉｄｅｒ／＜ｘ＞／ＥＳＧＰｒｏｖｉｄｅｒＵＲＩをより詳細に示す。
【表５７５】
0005394406.tif 000576
【０７５６】
下記の＜表５７６＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／ＥＳＧ／をより詳細に示す。
【表５７６】
0005394406.tif 000577
【０７５７】
下記の＜表５７７＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／ＥＳＧ／＜ｘ＞をより詳細に示す。
【表５７７】
0005394406.tif 000578
【０７５８】
＜表５７８＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／ＥＳＧ／＜ｘ＞／ＥＳＧＵＲＩをより詳細に示す。
【表５７８】
0005394406.tif 000579
【０７５９】
下記の＜表５７９＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／ＡｒｅａＰａｒａｍｅｔｅｒ／をより詳細に示す。
【表５７９】
0005394406.tif 000580
【０７６０】
下記の＜表５８０＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／ＡｒｅａＰａｒａｍｅｔｅｒ／＜ｘ＞をより詳細に示す。
【表５８０】
0005394406.tif 000581
【０７６１】
＜表５８１＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／ＡｒｅａＰａｒａｍｅｔｅｒ／＜ｘ＞／ＡｒｅａＰａｒａｍｅｔｅｒをより詳細に示す。
【表５８１】
0005394406.tif 000582
【０７６２】
下記の＜表５８２＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／ＮｅｔｗｏｒｋＩｎｆｏ／をより詳細に示す。
【表５８２】
0005394406.tif 000583
【０７６３】
＜表５８３＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／ＮｅｔｗｏｒｋＩｎｆｏ／＜ｘ＞をより詳細に示す。
【表５８３】
0005394406.tif 000584
【０７６４】
＜表５８４＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／ＮｅｔｗｏｒｋＩｎｆｏ／＜ｘ＞／ＮｅｔｗｏｒｋＩｎｆｏを更に詳細に示す。
【表５８４】
0005394406.tif 000585
【０７６５】
下記の＜表５８５＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／Ｔｕｎｉｎｇｐａｒａｍｅｔｅｒ／をより詳細に示す。
【表５８５】
0005394406.tif 000586
【０７６６】
下記の＜表５８６＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／Ｔｕｎｉｎｇｐａｒａｍｅｔｅｒ／＜ｘ＞をより詳細に示す。
【表５８６】
0005394406.tif 000587
【０７６７】
下記の＜表５８７＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／Ｔｕｎｉｎｇｐａｒａｍｅｔｅｒ／＜ｘ＞／Ｔｕｎｉｎｇｐａｒａｍｅｔｅｒ／を詳細に示す。
【表５８７】
0005394406.tif 000588
【０７６８】
＜表５８８＞は、上記したノード＜ｘ＞／ＩＰＤＣ／＜ｘ＞／ＲｏａｍｉｎｇＰａｒｔｎｅｒＡｔｔｒｉ／＜ｘ＞／ＥｎｔｒｙＰｏｉｎｔＡｔｔｒｉ／＜ｘ＞／Ｅｘｔ／をより詳細に示す。
【表５８８】
0005394406.tif 000589
【０７６９】
下記の＜表５８９＞は、上記したノード＜ｘ＞／ＩＰＤＣ／＜ｘ＞／ＲｏａｍｉｎｇＰａｒｔｎｅｒＯｕｔｓｉｄｅ／＜ｘ＞／Ｅｘｔ／をより詳細に示す。
【表５８９】
0005394406.tif 000590
【０７７０】
下記の＜表５９０＞は、上記したノード＜ｘ＞／ＩＰＤＣ／＜ｘ＞／Ｅｘｔ／をより詳細に示す。
【表５９０】
0005394406.tif 000591
【０７７１】
上述したプロビジョニング情報に基づき、端末は、適切なＥＳＧブートストラップエントリポイント、ＥＳＧブートストラップ情報、ＥＳＧブートストラップディスクリプタ、ＥＳＧ、ＥＳＧサブセット、ＥＳＧフラグメント、サービスバンドル、サービスなどをクエリすることができる。
【０７７２】
端末又はユーザーＩＤが提供される場合、そして他の端末又はユーザーのためのプロビジョニングが異なる場合に、他の端末又はユーザーのための異なるプロビジョニングに対するメカニズムのＭＯは、図４１Ａ及び図４１Ｂに示すような構成を有することができる。
【０７７３】
図４１Ａ及び図４１Ｂは、本発明の第１１の実施形態によるＯＭＡ  ＤＭメカニズムのＭＯの他の例を示す。
【０７７４】
図４１Ａ及び図４１Ｂを参照すると、参照番号４１０１〜４２６１で表されるフィールドは、本発明の他の実施形態で説明したフィールドと実質的に同一の機能を遂行するノードである。
【０７７５】
以下、図４２及び図４３を参照して本発明の第１１の実施形態によるＤＭサーバ及び端末の動作について説明する。
【０７７６】
図４２は、本発明の第１１の実施形態によるＤＭサーバの動作を示す。
【０７７７】
図４２を参照すると、ＤＭサーバは、ステップ４２７０で端末と通信を確立し、ステップ４２９０でプロビジョニング情報を端末に送信する。
【０７７８】
図４３は、本発明の第１１の実施形態による端末の動作を示す。
【０７７９】
図４３を参照すると、端末は、ステップ４３０１でターンオンされ、ステップ４３０３でＤＭサーバにアクセスする。ステップ４３０５で、端末は、ＤＭサーバからプロビジョニング情報を受信する。ステップ４３０７で、端末は、受信したプロビジョニング情報に基づいてブートストラップへの適切なＩＰプラットフォームを選択し、それによって適切なＥＳＧプロバイダ及びアクセスするＥＳＧを選択する。ステップ４３０９で、端末は、選択されたＥＳＧを通じて使用するサービスを選択する。
【０７８０】
≪第１２の実施形態によるＯＭＡ  ＤＭメカニズム≫
本発明の第１２の実施形態によるＯＭＡ  ＤＭメカニズムでは、ＯＭＡ  ＤＭを用いてＥＳＧエントリポイントの発見が可能である。一つのＭＯは、ローミングパートナーからＥＳＧ発見のために定義される。
【０７８１】
＜１．第１のＯＭＡ  ＤＭメカニズム＞
図４４は、本発明の第１２の実施形態による第１のＯＭＡ  ＤＭメカニズムのＭＯを示す。
【０７８２】
図４４を参照すると、本発明の第１２の実施形態による第１のＯＭＡ  ＤＭメカニズムにおいて、上述したＭＯと同様のＭＯは、ホームＩＰＤＣオペレータからＥＳＧ発見のために定義される。このメカニズムで、ＥＳＧＥｎｔｒｙＰｏｉｎｔ４４０６は、ホーム（ローカル）ＩＰＤＣオペレータでＥＳＧを発見する端末のために使用される。また、ＥＳＧＥｎｔｒｙＰｏｉｎｔＵＲＬ４４０８は、端末が双方向ネットワークを通じてＥＳＧをクエリ可能なＵＲＬである。そして、参照符号４４０１〜４４３５は、上記した本発明の第１０の実施形態によるＯＭＡ  ＤＭによって提供される各ノードと同一の動作を遂行する。
【０７８３】
＜２．第２のＯＭＡ  ＤＭメカニズム＞
図４５は、本発明の第１２の実施形態による第２のＯＭＡ  ＤＭメカニズムのＭＯを示す。
【０７８４】
図４５を参照すると、本発明の第１２の実施形態による第２のＯＭＡ  ＤＭメカニズムにおいて、エントリポイントのためにＵＲＬが記述されても、記述されるＵＲＬだけでなくＩＰアドレス、ポートナンバー、ＵＲＬ及びＩＰアドレス／ポートナンバーの両方、又は他のアドレスも使用可能である。ＵＲＬ及びＩＰアドレス／ポートナンバーの両方が同時に使用されると、それらの各々は、サブノードで表すことができる。従って、本発明の第１２の実施形態による第２のＯＭＡ  ＤＭメカニズムで説明した全てのＵＲＬは、ＩＰアドレスとポートナンバー（ＴＳＩ、ＩＰプラットフォームＩＤが必要な場合がある）、又はＵＲＬ及びＩＰアドレス／ポートナンバー（ＴＳＩ、ＩＰプラットフォームＩＤが必要な場合がある）となり得る。更に、エントリポイントは、端末が放送ネットワークで発見する（ＥＳＧブートストラップ又はＥＳＧのための）エントリポイントとなり得る。
【０７８５】
本発明の第１２の実施形態による第２のＯＭＡ  ＤＭメカニズムでは、ＭＯは、放送ネットワークでエントリポイントの発見のために定義される。
【０７８６】
ＩＰＶｅｒｉｓｏｎ６（４５０８）は、ＳｏｕｒｃｅＩＰＡｄｄｒｅｓｓ及びＤｅｓｔｉｎａｔｉｏｎＩＰＡｄｄｒｅｓｓがＩＰＶｅｒｉｓｏｎ６による信号であるかを示す。ここで、ＳｏｕｒｃｅＩＰＡｄｄｒｅｓｓ４５０９はＥＳＧを伝送するＦＬＵＴＥセッションのソースＩＰアドレスであり、ＤｅｓｔｉｎａｔｉｏｎＩＰＡｄｄｒｅｓｓ４５１０はＥＳＧを伝送するＦＬＵＴＥセッションのターゲットＩＰアドレスである。そして、Ｐｏｒｔ４５１１はＥＳＧを伝送するＦＬＵＴＥセッションのＩＰストリーム（ｓｔｒｅａｍ）のポートナンバーであり、ＴＳＩ４５１２は、ＥＳＧを伝送するＦＬＵＴＥセッションの伝送セッションインジケータであり、ＥＳＧＵＲＩ４５１７は、ＥＳＧを伝送することを指示し、ＩＰＰｌａｔｆｏｒｍＩＤ４５２９はＥＳＧを伝送するＩＰプラットフォームインジケータである。更に、参照符号４５０１〜４５３５は、上記した本発明の第１０の実施形態によるＯＭＡ  ＤＭによって提供される各ノードと同一の動作を遂行する。
【０７８７】
＜３．第３のＯＭＡ  ＤＭメカニズム＞
図４６は、本発明の第１２の実施形態による第３のＯＭＡ  ＤＭメカニズムのＭＯを示す。
【０７８８】
図４６を参照すると、各ＥＳＧＵＲＩのために、ＥＳＧＵＲＩのエントリポイントは各ＩＰプラットフォームに定義され、参照符号４６０１〜４６３１は、上記した本発明の第１０の実施形態によるＯＭＡ  ＤＭによって提供される各ノードと同一の動作を遂行する。
【０７８９】
本発明の第１２の実施形態による第２及び第３のＯＭＡ  ＤＭメカニズムにおいて、端末は、ＥＳＧブートストラップ情報を分析せずに直接に放送でＥＳＧを検索することができる。更に、上述した本発明の第１２の実施形態による第２及び第３のＯＭＡ  ＤＭメカニズムは、ホーム（ローカル）ケースに対する例に該当する。同様に、ローミングパートナー発見ＭＯのＥＳＧは、以下に述べる本発明の第１２の実施形態による第４及び第５のＯＭＡ  ＤＭメカニズムによって定義することができる。
【０７９０】
＜４．第４のＯＭＡ  ＤＭメカニズム＞
図４７は、本発明の第１２の実施形態による第４のＯＭＡ  ＤＭメカニズムのＭＯを示す。
【０７９１】
図４７を参照すると、参照符号４７０１〜４７３９は、上記した本発明の第１０の実施形態によるＯＭＡ  ＤＭで提供される各ノードと実質的に同一の動作を遂行する。
【０７９２】
＜５．第５のＯＭＡ  ＤＭメカニズム＞
図４８は、本発明の第１２の実施形態による第５のＯＭＡ  ＤＭメカニズムのＭＯを示す。
【０７９３】
図４８を参照すると、参照符号４８０１〜４８３５は、上記した本発明の第１０の実施形態によるＯＭＡ  ＤＭによって提供される各ノードと同一の動作を遂行する。
【０７９４】
ホームＩＰＤＣオペレータスコープ（ｓｃｏｐｅ）とローミングパートナースコープにおいて、端末のためのＭＯは、両方のスコープを組み合わせて得られる構成を有することができる。また、ＵＲＬとＩＰアドレス／ポート／ＴＳＩ／ＩＰＰｌａｔｆｏｒｍＩＤのために、ＭＯは、両方向及び放送ネットワークにおける両方のエントリポイントの発見のための組み合わせに対応する構成を有する。更に、全ての他のＭＯのエントリポイントに対して、ＵＲＬは、ＩＰＰｌａｔｆｏｒｍ、ＴＳＩ、又はこれらの両方となり得る。そして、ＭＯは、本発明の第１２の実施形態によるＯＭＡ  ＤＭメカニズムで説明した同様の方式で変更することができる。
【０７９５】
≪第１３の実施形態によるＯＭＡ  ＤＭメカニズム≫
本発明の第１０〜第１２の実施形態によるＯＭＡ  ＤＭメカニズムは、ＥＳＧ探索に使用される。本発明の第１１の実施形態によるメカニズムは、構成情報の提供に使用され、他はＥＳＧブートストラップの検索に使用される。例えば、これらのメカニズムは、構成情報の提供及びＥＳＧブートストラップの検索のための少なくとも一つの目的のために結合することができる。
【０７９６】
構成（ｃｏｎｆｉｇｕｒａｔｉｏｎ）は、異なるアプリケーションによって多様な形態を有する。従って、構成を提供するために定義されるＭＯ、ＥＳＧブートストラップエントリポイント、及びＥＳＧエントリポイントは、多様な形態を有する。また、一実施形態において、本明細書で定義されるメカニズムは、多様な方式で結合又は変更することができる。
【０７９７】
＜１．第１のＯＭＡ  ＤＭメカニズム＞
図４９は、本発明の第１３の実施形態による第１のＯＭＡ  ＤＭメカニズムのＭＯを示す。
【０７９８】
図４９は、次のような仮定に基づく。図４９において、参照符号４９０１〜４９６０で表されるノードは、本発明の他の実施形態によるＯＭＡ  ＤＭによって提供される各ノードと同一の動作を遂行する。また、各ホームＩＰＤＣオペレータは、そのホーム（ローカル）構成と異なるローミング構成を有する。ローミング構成は、そのローミングパートナーとのローミング協定に基づく。図４９の参照符号４９０９を参照すると、ＩＰＤＣオペレータのホーム構成は、ＬｏｃａｌＯｐｅｒａｔｏｒＡｔｔｒｉに記述される。このＬｏｃａｌＯｐｅｒａｔｏｒＡｔｔｒｉ４９０９は、関連ＩＰプラットフォーム、ＥＳＧプロバイダ、ＥＳＧ、領域情報、ネットワーク情報、及びチューニングパラメータを記述する。ＬｏｃａｌＥＳＧＢｏｏｔｓｔｒａｐＥｎｔｒｙＰｏｉｎｔＵＲＬは、ホーム構成のために提供される。
【０７９９】
図４９の参照符号４９３８を参照すると、各ローミングパートナーの構成は、ＲｏａｍｉｎｇＰａｒｔｎｅｒＡｔｔｒｉフィールド４９０９内に提供される。また、図４９のＥＳＧＢｏｏｔｓｔｒａｐＥｎｔｒｙＰｏｉｎｔＯｕｔＵＲＬフィールド４９３５は、端末がローミング構成に属する場合にブートストラップの検索のために提供される。
【０８００】
上記したＭＯにおいて、異なるＥＳＧブートストラップエントリポイントＵＲＬは、ローカルとローミングケースのために用意され、一つのＵＲＬは、これらの両方のために提供することができる。共通のＵＲＬがローカルとローミングケースに使用される場合に、端末は、そのＵＲＬを使用するブートストラップ情報を要求する場合にどの端末がローカルとローミングケースとの間でクエリ（ｑｕｅｒｙ）されるかに対してサーバに通知しなければならない。
【０８０１】
上記した構成及びエントリポイント情報に基づき、端末は、ブートストラップのためのＩＰプラットフォームを選択し、放送ネットワークを通じてアクセスするために適したＥＳＧを選択し、或いは双方向ネットワークを通じてそれらをクエリすることができる。ＥＳＧエントリポイント情報が本発明の第９〜第１２の実施形態によるＯＭＡ  ＤＭメカニズムとして提供されると、端末は、ブートストラップ情報をパーシングせずに直接ＥＳＧにアクセス又はクエリすることができる。
【０８０２】
＜２．第２のＯＭＡ  ＤＭメカニズム＞
図５０は、本発明の第１３の実施形態による第２のＯＭＡ  ＤＭメカニズムのＭＯを示す。
【０８０３】
図５０において、参照符号５００１〜５０７８は、本発明の他の実施形態によるＯＭＡ  ＤＭによって提供される各ノードと同一の動作を遂行する。
【０８０４】
上記した本発明の第１３の実施形態による第１のＯＭＡ  ＤＭメカニズムにおいて、一つのブートストラップエントリポイントＵＲＬは、各ホーム及びローミング構成のために提供される。しかし、ホーム又はローミングの構成は、例えば一つのＩＰプラットフォームに対する一つのブートストリップエントリポイントのように異なる特性を有する少なくとも２個のエントリポイントを有することができる。このような特性は、先のメカニズムに記述した。この特性情報は、構成情報に関連している。本発明の第１３の実施形態による第２のＯＭＡ  ＤＭメカニズムでは、構成情報は、エントリポイントの構成供給と特性の両者のために使用できる。
【０８０５】
＜３．第３のＯＭＡ  ＤＭメカニズム＞
図５１は、本発明の第１３の実施形態による第３のＯＭＡ  ＤＭメカニズムのＭＯを示す。
【０８０６】
図５１において、参照符号５１０１〜５１３９は、本発明の他の実施形態によるＯＭＡ  ＤＭで提供される各ノードと同一の動作を遂行する。
【０８０７】
構成情報とＥＳＧブートストラップエントリポイント情報を区分して提供することを所望する場合、一部のエントリポイント特性情報は、構成情報と重複し、ＭＯは異なるサブノードによって重複（ｏｖｅｒｌａｐｐｉｎｇ）情報を定義できる。従って、多様な目的のためのメカニズムを結合するための多様な方式を使用できる。本発明の第１３の実施形態による第３のＯＭＡ  ＤＭメカニズムが構成のいくつかの例を提供しても、本発明は、これらの例に限定されず、他のアプリケーションに基づいて構成を変更できる。
【０８０８】
＜４．第４のＯＭＡ  ＤＭメカニズム＞
図５２は、本発明の第１３の実施形態による第４のＯＭＡ  ＤＭメカニズムのＭＯを示す。
【０８０９】
図５２において、参照符号５２０１〜５２３０で表されるノードは、本発明の他の実施形態によるＯＭＡ  ＤＭによって提供される各ノードと同一の動作を遂行する。
【０８１０】
端末は、登録されたＩＰＤＣオペレータとそのオペレータのローミングパートナーに基づいてサービスにアクセスできる。このサービスを除き、スクランブルされないサービスがある。サービスが端末の登録されたＩＰＤＣオペレータ又はローミングパートナーを基にしなくても、端末は、これらのサービスにアクセスできる。このような種類のサービスを“クリアツウエア（ｃｌｅａｒ  ｔｏ  ａｉｒ）”サービスと呼ばれる。
【０８１１】
次のＭＯは、クリアツウエアサービスを検索する一例に該当する。
【０８１２】
ＥＳＧＢｏｏｔｓｔｒａｐＥｎｔｒｙＰｏｉｎｔＵＲＬは、端末がクリアツウエアサービスのためのブートストラップ情報をクエリ可能にするＵＲＬである。ＩＰＰｌａｔｆｏｒｍＩＤは、ＩＰプラットフォームがクリアツウエアサービスを有することを指定する。ＥＳＧＵＲＩは、ＥＳＧがクリアツウエアサービスを有することを指定する。ＥＳＧＥｎｔｒｙＰｏｉｎｔはクリアツウエアサービスを有するＥＳＧのエントリポイントを指定する。その詳細について、本発明の第１０及び第１２の実施形態によるメカニズムを参照できる。端末がＥＳＧをクエリすることによるＵＲＬがあり得る。このＵＲＬは、ＥＳＧの位置を指示するＩＰアドレス、ポートナンバー、ＴＳＩ、ＩＰＰｌａｔｆｏｒｍＩＤである。他の関連情報は、他のメカニズムに関する説明を参照して得ることができる。
【０８１３】
上述した実施形態において、端末ＩＤ又はユーザーＩＤが提供される場合、ＥＳＧブートストラップエントリポイント、ＥＳＧアクセスポイント、プロビジョニング又は他の情報は、他の端末又はユーザーによって異なる。更に、端末ＩＤ又はユーザーＩＤと端末情報又はユーザー情報に関するノードは、追加又は変更することができる。ＥＳＧブートストラップエントリポイント、アクセスポイント、プロビジョニング又は他の情報は、他の端末又はユーザーに基づいて提供される。
【０８１４】
また、本明細書のＯＭＡ  ＤＭではＥＳＧブートストラップエントリポイント、アクセスポイント、及びプロビジョニングを使用するが、このＥＳＧブートストラップエントリポイント、アクセスポイント、及びプロビジョニングは、上述した実施形態に限定されない。
【０８１５】
なお、本明細書におけるＭＯの定義は、使用されるブートストラップ情報、ＥＳＧブートストラップディスクリプタ、ＥＳＧサブセット、ＥＳＧコンテナ、ＥＳＧフラグメント、サービスバンドル、サービスなどのために使用することができる。
【０８１６】
以下、図５３及び図５４を参照して、本発明の一実施形態によるＤＭサーバ及び端末について説明する。
【０８１７】
図５３は、本発明の一実施形態によるＤＭサーバを示す。
【０８１８】
図５３を参照すると、ＤＭサーバ（送信器）は、端末（受信器）と通信を確立し、端末からの要求に対応してＥＳＧブートストラップエントリポイント情報を端末に送信するために、サービスアプリケーション部５３１０と、サービス管理部５３３０を含む。
【０８１９】
サービスアプリケーション部５３１０は、特定サービスアプリケーションを提供するために複数のソースからコンテンツ及びサービス構成に必要なメタデータを収集（ａｇｇｒｅｇａｔｅ）し、電子サービスガイドで使用されるサービス技術メタデータを生成して、サービスアプリケーションと対話するための端末用対話式エンドポイントである。また、サービスアプリケーション部５３１０は、ヘッドエンドアプリケーション論理及びサービス保護を提供し、ＩＰデータキャストに提供される各アプリケーションを含み、ストリーミング又はファイルカルーセル（ｃａｒｏｕｓｅｌ）の伝送を通じて端末が理解するフォーマットで符号化されるコンテンツを提供する責任を持つ。また、サービスアプリケーション部５３１０は、サービス保護を提供し、ＩＰデータキャストに提供されるそれぞれのアプリケーションのためにサービスアプリケーションエンティティを含むことができる。
【０８２０】
サービス管理部５３３０は、サービスガイドプロビジョニングアプリケーション部５３３１、サービス構成及びリソース割り当て部５３３３、セキュリティ／サービス保護提供部５３３５、及び位置サービス部５３３７のサブエンティティを含む。
【０８２１】
サービス構成及びリソース割り当て部５３３３は、放送ベアラの帯域幅に対して競合するサービスアプリケーションを割り当てる。即ち、一つのＤＶＢ−Ｈ  ＩＰプラットフォームは一つのＤＶＢ伝送（ｔｒａｎｓｐｏｒｔ）ストリームに割り当てられる。そして、サービス構成及びリソース割り当て部５３３３は、サービス位置（例えば、放送ネットワークトポロジ）及び帯域幅及び時間にわたったスケジュールサービスにリソースを割り当てる。サービスガイドプロビジョニングアプリケーション部５３３１は、サービスアプリケーション部５３１０からローミングＥＳＧ情報のパラメータを収集する。セキュリティ／サービス保護提供部５３３５は、サービスアプリケーション部５３１０にアクセスするユーザーを管理する。更に、位置サービス部５３３７は、例えば、双方向ベアラネットワーク機能又はＧＰＳ機能によってサービスアプリケーションに位置サービスを提供する。
【０８２２】
図５４は、本発明の一実施形態による端末を示す。
【０８２３】
図５４を参照すると、端末は、ＤＭサーバからＥＳＧブートストラップエントリポイント情報を受信する。その後、端末は、下記のように所望するブートストラップの要件に従ってＥＳＧブートストラップエントリポイントを選択できる。所望するブートストラップの要件によるＥＳＧブートストラップエントリポイントは、記述した端末（自身）のホームＩＰＤＣＫＭＳＩＤ及びＩＰＤＣＯｐｅｒａｔｏｒＩＤに関連したＥＳＧブートストラップエントリポイント、特定領域に関連したＥＳＧブートストラップエントリポイント、特定ネットワークに関連したＥＳＧブートストラップエントリポイント、特定ＥＳＧに関連したＥＳＧブートストラップエントリポイント、及びローミングユーザーに関連したＥＳＧブートストラップエントリポイントを含む。その後、端末は、選択されたＥＳＧブートストラップエントリポイントからＥＳＧブートストラップ情報を要求し、要求したＥＳＧブートストラップ情報を受信してＥＳＧを選択する。また、端末は、選択したＥＳＧを通じてアクセスするサービスを選択してサービスにアクセスする。上述した端末は、放送受信器５４０１と、双方向アダプタ５４０３と、制御部５４０５と、加入管理部５４０７と、コンテンツ消費部５４０９とを含む。
【０８２４】
放送受信器５４０１は、放送ネットワークからサービスデータ又はシグナリング（ローミングＥＳＧ情報を含む）を受信する。双方向アダプタ５４０３は、双方向ネットワークを通じてサービスデータ又はシグナリング（ローミングＥＳＧ情報を包含）を送受信する。制御部５４０５は、移動性プロセスを遂行し、上述したように所望のブートストラップの要件によってＥＳＧブートストラップエントリポイントを選択するように制御する。加入管理部５４０７は、権利獲得管理、獲得された権利の追跡を制御し、サービスコンテンツの分析プロセスを制御する。コンテンツ消費部５４０９は、コンテンツを消費し、ローミングＥＳＧ情報をユーザーに提供する。
【０８２５】
図５５は、本発明の一実施形態によるＥＳＧブートストラップエントリポイント発見情報を提供する装置を示す。
【０８２６】
この装置は、図１のサービスアプリケーション部１０３と双方向ネットワーク１０９との間で別途の形態で構成され、サービス管理部１０５に内蔵され、或いはサービス管理部１０５の一部分として構成することができる。
【０８２７】
上記したＥＳＧブートストラップエントリポイント発見情報提供装置は、ＭＯ生成部５５０１と送信部５５０２とを含む。ＭＯ生成部５５０１は、端末の状態に適合したＥＳＧブートストラップのための少なくとも一つのＥＳＧブートストラップ特性情報をリスティングし、ＥＳＧブートストラップエントリポイントを少なくとも一つのＥＳＧブートストラップ特性情報と接続する管理オブジェクト（ＭＯ）を生成する。送信部５５０２は、生成されたＭＯを、双方向チャンネルを介して端末に伝送する。
【０８２８】
以上、本発明を具体的な実施形態を参照して説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【０８２９】
１０１    コンテンツ供給部
１０３    サービスアプリケーション部
１０５、５３３０    サービス管理部
１０７    放送ネットワーク
１０９    双方向ネットワーク
１１１    端末
５３１０    サービスアプリケーション部
５３３１    サービスガイドプロビジョニングアプリケーション部
５３３３    サービス構成及びリソース割り当て部
５３３５    セキュリティ／サービス保護提供部
５３３７    位置サービス部
５４０１    放送受信器
５４０３    双方向アダプタ
５４０５    制御部
５４０７    加入管理部
５４０９    コンテンツ消費部
５５０１    ＭＯ生成部
５５０２    送信部
【図１】
0005394406.tif 000592
【図２】
0005394406.tif 000593
【図３】
0005394406.tif 000594
【図４】
0005394406.tif 000595
【図５】
0005394406.tif 000596
【図６】
0005394406.tif 000597
【図７】
0005394406.tif 000598
【図８】
0005394406.tif 000599
【図９】
0005394406.tif 000600
【図１０】
0005394406.tif 000601
【図１１Ａ】
0005394406.tif 000602
【図１１Ｂ】
0005394406.tif 000603
【図１２】
0005394406.tif 000604
【図１３】
0005394406.tif 000605
【図１４】
0005394406.tif 000606
【図１５】
0005394406.tif 000607
【図１６】
0005394406.tif 000608
【図１７Ａ】
0005394406.tif 000609
【図１７Ｂ】
0005394406.tif 000610
【図１８】
0005394406.tif 000611
【図１９】
0005394406.tif 000612
【図２０】
0005394406.tif 000613
【図２１】
0005394406.tif 000614
【図２２】
0005394406.tif 000615
【図２３】
0005394406.tif 000616
【図２４】
0005394406.tif 000617
【図２５】
0005394406.tif 000618
【図２６Ａ】
0005394406.tif 000619
【図２６Ｂ】
0005394406.tif 000620
【図２６Ｃ】
0005394406.tif 000621
【図２６Ｄ】
0005394406.tif 000622
【図２７】
0005394406.tif 000623
【図２８】
0005394406.tif 000624
【図２９】
0005394406.tif 000625
【図３０】
0005394406.tif 000626
【図３１】
0005394406.tif 000627
【図３２】
0005394406.tif 000628
【図３３】
0005394406.tif 000629
【図３４】
0005394406.tif 000630
【図３５】
0005394406.tif 000631
【図３６】
0005394406.tif 000632
【図３７】
0005394406.tif 000633
【図３８】
0005394406.tif 000634
【図３９】
0005394406.tif 000635
【図４０】
0005394406.tif 000636
【図４１Ａ】
0005394406.tif 000637
【図４１Ｂ】
0005394406.tif 000638
【図４２】
0005394406.tif 000639
【図４３】
0005394406.tif 000640
【図４４】
0005394406.tif 000641
【図４５】
0005394406.tif 000642
【図４６】
0005394406.tif 000643
【図４７】
0005394406.tif 000644
【図４８】
0005394406.tif 000645
【図４９】
0005394406.tif 000646
【図５０】
0005394406.tif 000647
【図５１】
0005394406.tif 000648
【図５２】
0005394406.tif 000649
【図５３】
0005394406.tif 000650
【図５４】
0005394406.tif 000651
【図５５】
0005394406.tif 000652